(57)【特許請求の範囲】
【請求項１】
遊技球が流下可能な遊技領域に配された第１入球口、及び第２入球口と、
前記第２入球口へ遊技球が入球可能な開状態と、前記第２入球口への入球が不可能又は前記開状態よりも困難な閉状態とをとる入球口開閉部材と、
前記遊技領域に配された特別入賞口と、前記特別入賞口を開閉する特別入賞口開閉部材と、前記特別入賞口に入賞した遊技球が通過可能であって、その通過の可否が予め定められたタイミングで切り替えられる特定領域と、を有する特別入賞手段と、
前記第１入球口への入球に基づいて数値情報を取得する第１数値情報取得手段と、
前記第２入球口への入球に基づいて数値情報を取得する第２数値情報取得手段と、
予め定めた第１の判定条件が成立すると、前記第１数値情報取得手段により取得された数値情報に基づいて第１当否判定を行い、予め定めた第２の判定条件が成立すると、前記第２数値情報取得手段により取得された数値情報に基づいて第２当否判定を行う当否判定手段と、
前記当否判定手段による判定結果が特定当たりへの当選である場合に、前記特別入賞口開閉部材を開放する第１特別遊技を行う第１特別遊技実行手段と、
前記特定領域へ遊技球が通過した場合に、遊技者に有利な第２特別遊技を行う第２特別遊技実行手段と、
前記第２特別遊技後の遊技状態を所定の終了条件が成立するまで通常遊技状態よりも前記第２入球口へ遊技球が入球し易い特典遊技状態に制御可能な遊技状態制御手段と、
前記第２数値情報取得手段により取得された数値情報を、その数値情報に基づく前記第２当否判定が実行されるまでの間、所定の上限記憶数を限度として記憶可能な第２入球口用記憶手段と、
所定の演出手段を用いて演出を実行する演出実行手段と、
前記演出実行手段により実行される演出の態様を、前記第２特別遊技の実行され易さの点で有利な有利状態であることを示唆する有利演出態様、又は、前記有利状態よりも有利でない非有利状態であることを示唆する非有利演出態様に設定可能な演出態様設定手段と、を備え、
前記第１当否判定よりも前記第２当否判定の方が前記特定当たりへの当選確率が高く設定されている遊技機であって、
前記演出態様設定手段は、
前記第２特別遊技の終了後に前記特典遊技状態に制御される場合には、前記第２入球口用記憶手段に数値情報の記憶があるか否かにかかわらず前記有利演出態様に設定する一方、
前記第２特別遊技の終了後に前記通常遊技状態に制御される場合には、その第２特別遊技の終了時に前記第２入球口用記憶手段に数値情報の記憶があれば前記有利演出態様に設定し、なければ前記非有利演出態様に設定するものであることを特徴とする遊技機。
【請求項２】
請求項１に記載の遊技機であって、
前記第１特別遊技実行手段は、前記第２当否判定での特定当たり当選に基づく前記第１特別遊技では、前記特別入賞口への入賞が可能であって前記特別入賞口へ入賞した遊技球がその入賞のタイミングに関わらず前記特定領域を通過可能な通過開放パターンにて前記特別入賞口開閉部材を開放するものであることを特徴とする遊技機。
【請求項３】
請求項２に記載の遊技機であって、
前記第２当否判定は、前記特定当たりである小当たりの当否判定と、前記特定当たりではない大当たりの当否判定とを含んでおり、
前記第１当否判定は、少なくとも前記大当たりの当否判定を含んでおり、
前記第２特別遊技実行手段は、前記当否判定手段による判定結果が大当たり当選である場合にも前記第２特別遊技を行うものであり、
前記第２当否判定の結果は、小当たり当選又は大当たり当選のいずれかであり、
前記第２当否判定にて当選する小当たりの種別には、その小当たり当選に基づく第１特別遊技中の前記特定領域への通過を実行契機とする第２特別遊技後の遊技状態が前記特典遊技状態に制御される特典付き小当たりと、前記通常遊技状態に制御される特典なし小当たりとがあることを特徴とする遊技機。
【請求項４】
請求項３に記載の遊技機であって、
前記第１当否判定は、前記小当たりの当否判定を含んでおり、
前記第１特別遊技実行手段は、前記第１当否判定での小当たり当選に基づく前記第１特別遊技では、遊技球が前記特別入賞口へ入賞しても前記特定領域を通過することが不可能又は実質的に不可能な非通過開放パターンを少なくとも含む開放パターンの中から選択した開放パターンにて前記特別入賞口開閉部材を開放するものであることを特徴とする遊技機。
【請求項５】
請求項１から請求項４までのいずれかに記載の遊技機であって、
前記第２特別遊技には、前記特別入賞口又はこれとは異なる他の特別入賞口を開放する複数回の開放遊技と、前記複数回の開放遊技の終了後のエンディングとが含まれており、
実行中の第２特別遊技の終了後に前記有利演出態様にて演出が実行される場合には、その旨を示唆する有利演出態様実行示唆演出を前記エンディング中に行う一方、実行中の第２特別遊技の終了後に前記非有利演出態様にて演出が実行される場合には、その旨を示唆する非有利演出態様実行示唆演出を前記エンディング中に行うエンディング演出実行手段を備えていることを特徴とする遊技機。
【請求項６】
請求項１から請求項５までのいずれかに記載の遊技機であって、
前記第２特別遊技には、前記特別入賞口又はこれとは異なる他の特別入賞口を開放する複数回の開放遊技と、前記複数回の開放遊技の終了後のエンディングとが含まれており、
前記複数回の開放遊技のうちの所定の開放遊技の実行に伴って、実行中の第２特別遊技の終了後に前記有利演出態様にて演出が実行されることを示唆する第１開放遊技演出、又は、前記非有利演出態様にて演出が実行されることを示唆する第２開放遊技演出のいずれかを実行可能な開放遊技演出実行手段を備え、
前記開放遊技演出実行手段は、
実行中の第２特別遊技の終了後に前記特典遊技状態に制御される場合には、前記第２入球口用記憶手段に数値情報の記憶があるか否かにかかわらず前記第１開放遊技演出を実行する一方、
実行中の第２特別遊技の終了後に前記通常遊技状態に制御される場合には、前記所定の開放遊技の実行開始時に前記第２入球口用記憶手段に数値情報の記憶があれば前記第１開放遊技演出を実行し、なければ前記第２開放遊技演出を実行するものであることを特徴とする遊技機。
【発明の詳細な説明】
【技術分野】
【０００１】
本発明は、パチンコ遊技機等に代表される遊技機に関する。
【背景技術】
【０００２】
遊技機の中には、いわゆる２種遊技を実行可能な遊技機がある。つまり、始動口（入球口）への入賞に基づいて数値情報を取得し、その数値情報に基づいて大入賞口（特別入賞口）を開放する第１特別遊技（小当たり遊技）を行い、第１特別遊技において大入賞口内の特定領域を遊技球が通過すると遊技者に有利な第２特別遊技（大当たり遊技）を行う遊技機がある。例えば下記特許文献１には、このような２種遊技を実行可能な遊技機が記載されている。
【０００３】
この文献に記載の遊技機は、いわゆる１種２種混合機である。具体的にはこの遊技機では、遊技球の入球し易さが変わらない第１始動口への入賞時には、いわゆる１種大当たり（第１特別遊技を経ないで第２特別遊技を実行する大当たり）の抽選のみを行う。これに対して、電チュー（普通電動役物）に係る第２始動口への入賞時には、１種大当たりの抽選に加えて、第１特別遊技を行うか否かの抽選もしている。そして、第２始動口への入賞時には、高頻度で第１特別遊技を行う旨の抽選結果が得られるようになっている。
【０００４】
この遊技機では、第２特別遊技の終了後には、通常遊技状態よりも電チューに係る第２始動口への入賞が容易な特典遊技状態に制御されることがある。特典遊技状態に制御されるか否かは、第２特別遊技の実行契機となった当たりの種類による。そして、通常遊技状態では、現在の遊技状態が通常遊技状態であることを示す演出態様にて演出が行われる（例えば通常遊技状態専用の背景画像が液晶表示装置に表示される）。一方、特典遊技状態では、現在の遊技状態が特典遊技状態であることを示す演出態様にて演出が行われる（例えば特典遊技状態専用の背景画像が液晶表示装置に表示される）。これによれば、遊技者は演出態様により現在の遊技状態を把握することが可能であった。
【先行技術文献】
【特許文献】
【０００５】
【特許文献１】特開２０１３−２３６８５１号公報
【発明の概要】
【発明が解決しようとする課題】
【０００６】
ところで、上記のような２種遊技を実行可能な遊技機において、第２始動口への入賞により取得された数値情報を所定の上限記憶数まで記憶可能に構成し、所定の判定条件が成立したときにその数値情報に基づいて抽選を行うように構成することが考えられる。しかしながらこのように構成した場合には、第２特別遊技の終了後に通常遊技状態に制御されたとしても、まだ遊技者にとって有利な状態（つまり第２特別遊技を獲得し易い状態）が続く場合が生じる。第２始動口への入賞に基づく数値情報の記憶（以下「第２入球口保留記憶」ともいう）が残っている場合である。
【０００７】
このような場合にまで、第２入球口保留記憶が残っていない場合と同じ演出態様に設定してしまうと、有利な状態が終了して有利でない状態に至ったと遊技者に誤認させてしまうおそれが出てくる。そうすると、第２入球口保留記憶に基づく第１特別遊技の実行によって第２特別遊技の獲得機会が遊技者に付与されても、遊技者がそれを逃してしまうおそれが生じる。つまり、遊技者の利益を意図しないかたちで損なわせてしまうケースが生じ得る。
【０００８】
本発明は上記事情に鑑みてなされたものである。すなわちその課題とするところは、遊技者の利益を不当に損なわせてしまうことのない遊技機を提供することを目的とする。
【課題を解決するための手段】
【０００９】
本発明は、上記の課題を解決するために次のような手段をとる。なお、以下に記す手段の説明では、後述の[発明を実施するための形態]における対応する構成名や表現、図面に使用した符号等を参考のためにかっこ書きで付記している。但し、本発明の構成要素はこの付記に限定されるものではない。
【００１０】
手段１に係る発明は、
遊技球が流下可能な遊技領域（３）に配された第１入球口（第１始動口２０）、及び第２入球口（第２始動口２１）と、
前記第２入球口へ遊技球が入球可能な開状態と、前記第２入球口への入球が不可能又は前記開状態よりも困難な閉状態とをとる入球口開閉部材（可動部材２３）と、
前記遊技領域に配された特別入賞口（第２大入賞口３５）と、前記特別入賞口を開閉する特別入賞口開閉部材（開閉部材３７）と、前記特別入賞口に入賞した遊技球が通過可能であって、その通過の可否が予め定められたタイミングで切り替えられる特定領域（３９）と、を有する特別入賞手段（第２大入賞装置３６）と、
前記第１入球口への入球に基づいて数値情報（大当たり乱数等の乱数値）を取得する第１数値情報取得手段（ステップS208を実行する遊技制御用マイコン８１）と、
前記第２入球口への入球に基づいて数値情報（大当たり乱数等の乱数値）を取得する第２数値情報取得手段（ステップS214を実行する遊技制御用マイコン８１）と、
予め定めた第１の判定条件が成立すると、前記第１数値情報取得手段により取得された数値情報に基づいて第１当否判定（ステップS1008）を行い、予め定めた第２の判定条件が成立すると、前記第２数値情報取得手段により取得された数値情報に基づいて第２当否判定（ステップS1002）を行う当否判定手段（遊技制御用マイコン８１）と、
前記当否判定手段による判定結果が特定当たり（小当たり）への当選である場合に、前記特別入賞口開閉部材を開放する第１特別遊技（小当たり遊技）を行う第１特別遊技実行手段（ステップS909を実行する遊技制御用マイコン８１）と、
前記特定領域へ遊技球が通過した場合に、遊技者に有利な第２特別遊技（大当たり遊技）を行う第２特別遊技実行手段（ステップS908を実行する遊技制御用マイコン８１）と、
前記第２特別遊技後の遊技状態を所定の終了条件が成立するまで通常遊技状態よりも前記第２入球口へ遊技球が入球し易い特典遊技状態（高ベース状態）に制御可能な遊技状態制御手段（ステップS2102等を実行する遊技制御用マイコン８１）と、
前記第２数値情報取得手段により取得された数値情報を、その数値情報に基づく前記第２当否判定が実行されるまでの間、所定の上限記憶数（例えば「１」）を限度として記憶可能な第２入球口用記憶手段（第２特図保留記憶部８５ｂ）と、
所定の演出手段（画像表示装置７）を用いて演出を実行する演出実行手段（演出制御用マイコン９１）と、
前記演出実行手段により実行される演出の態様を、前記第２特別遊技の実行され易さの点で有利な有利状態であることを示唆する有利演出態様（図４５（ｂ）や（ｃ））、又は、前記有利状態よりも有利でない非有利状態であることを示唆する非有利演出態様（図４５（ａ）や（ｄ））に設定可能な演出態様設定手段（ステップS5706、S5710、S5715等を実行する演出制御用マイコン９１）と、を備え、
前記第１当否判定よりも前記第２当否判定の方が前記特定当たりへの当選確率が高く設定されている遊技機（パチンコ遊技機１）であって、
前記演出態様設定手段は、
前記第２特別遊技の終了後に前記特典遊技状態に制御される場合には、前記第２入球口用記憶手段に数値情報の記憶があるか否かにかかわらず前記有利演出態様に設定する（ステップS5706を行う）一方、
前記第２特別遊技の終了後に前記通常遊技状態に制御される場合には、その第２特別遊技の終了時に前記第２入球口用記憶手段に数値情報の記憶があれば前記有利演出態様に設定し、なければ前記非有利演出態様に設定する（ステップS5708でYESならS5710を行い、NOならS5715を行う）ものであることを特徴とする遊技機である。
【００１１】
手段１に係る発明によれば、第２特別遊技の獲得機会が得られる特定当たりの当選確率は、第１当否判定よりも第２当否判定の方が高い。そのため、第２特別遊技の終了後の遊技状態が通常遊技状態に制御された場合であっても、第２入球口保留記憶（第２入球口用記憶手段による数値情報の記憶）があれば、第２特別遊技の実行という利益を獲得しやすい状態にある。よって本発明では、このような状態のときには、非有利演出態様ではなく有利演出態様にて演出を実行するようにしている。そのため、遊技者に対してまだ第２特別遊技の実行という利益を獲得しやすい状態にあることを報知することが可能となる。その結果、遊技者が不用意に第２特別遊技の獲得機会を失うのを防ぐことが可能となる。
【００１２】
手段２に係る発明は、
手段１に記載の遊技機であって、
前記第１特別遊技実行手段は、前記第２当否判定での特定当たり当選に基づく前記第１特別遊技では、前記特別入賞口への入賞が可能であって前記特別入賞口へ入賞した遊技球がその入賞のタイミングに関わらず前記特定領域を通過可能な通過開放パターン（図４２（ｂ）に示す開放パターン）にて前記特別入賞口開閉部材を開放するものであることを特徴とする遊技機である。
【００１３】
手段２に係る発明によれば、第２入球口への入球に基づく第２当否判定において特定当たりに当選した場合には、特別入賞口へ入賞した遊技球はその入賞タイミングに関わらず特定領域を通過する。つまり、第２当否判定において特定当たりに当選すれば、必ず遊技者に有利な第２特別遊技が実行される。従って、第２入球口への入球が容易となる特典遊技状態において従来よりも早いスピードで次の大当たりを引き当てられる従来にない斬新な遊技性を創出することが可能となる。
【００１４】
手段３に係る発明は、
手段２に記載の遊技機であって、
前記第２当否判定は、前記特定当たりである小当たりの当否判定（ステップS1107）と、前記特定当たりではない大当たりの当否判定（ステップS1103）とを含んでおり、
前記第１当否判定は、少なくとも前記大当たりの当否判定（ステップS1103）を含んでおり、
前記第２特別遊技実行手段は、前記当否判定手段による判定結果が大当たり当選である場合にも前記第２特別遊技を行うものであり、
前記第２当否判定の結果は、小当たり当選又は大当たり当選のいずれかであり、
前記第２当否判定にて当選する小当たりの種別には、その小当たり当選に基づく第１特別遊技中の前記特定領域への通過を実行契機とする第２特別遊技後の遊技状態が前記特典遊技状態に制御される特典付き小当たり（図６に示す１６Ｒ時短小当たりＣ）と、前記通常遊技状態に制御される特典なし小当たり（図６に示す１６Ｒ通常小当たり）とがあることを特徴とする遊技機である。
【００１５】
手段３に係る発明によれば、第２当否判定がなされれば実質的には必ず第２特別遊技が実行されることとなる。つまり大当たりに当選する（ここでは特定領域への通過も大当たり当選という）こととなる。従って、一旦特典遊技状態に制御されれば原則的には、第２入球口用記憶手段の数値情報の記憶の全てが特典なし小当たりに振り分けられない限り、第２特別遊技の実行という利益を獲得し続けられる（大当たりに当選し続けられる）という新たな遊技性を提供することが可能となる。つまり、第２入球口用記憶手段の上限記憶数＋１回の所謂ループ機を提供することが可能となる。
【００１６】
手段４に係る発明は、
手段３に記載の遊技機であって、
前記第１当否判定は、前記小当たりの当否判定（ステップS1107）を含んでおり、
前記第１特別遊技実行手段は、前記第１当否判定での小当たり当選に基づく前記第１特別遊技では、遊技球が前記特別入賞口へ入賞しても前記特定領域を通過することが不可能又は実質的に不可能な非通過開放パターン（図４２（ｆ）に示す開放パターン）を少なくとも含む開放パターンの中から選択した開放パターンにて前記特別入賞口開閉部材を開放するものであることを特徴とする遊技機である。
【００１７】
手段４に係る発明によれば、第２当否判定にて小当たりに当選した場合には、特別入賞口への入賞タイミングに関わらず特定領域を通過可能な通過開放パターンにて第１特別遊技が実行される。一方、第１当否判定にて小当たりに当選した場合には、特別入賞口へ入賞しても特定領域を通過することが不可能又は実質的に不可能な非通過開放パターンにて第１特別遊技が実行され得る。従って、遊技機全体として特別入賞口へ入賞した遊技球の特定領域への通過率が不当に高くなるのを抑制することが可能となる。
【００１８】
手段５に係る発明は、
手段１から手段４までのいずれかに記載の遊技機であって、
前記第２特別遊技には、前記特別入賞口（第２大入賞口３５）又はこれとは異なる他の特別入賞口（第１大入賞口３０）を開放する複数回の開放遊技（ラウンド遊技）と、前記複数回の開放遊技の終了後のエンディングとが含まれており、
実行中の第２特別遊技の終了後に前記有利演出態様にて演出が実行される場合には、その旨を示唆する有利演出態様実行示唆演出（図４８（ａ），（ｂ），又は（ｃ））を前記エンディング中に行う一方、実行中の第２特別遊技の終了後に前記非有利演出態様にて演出が実行される場合には、その旨を示唆する非有利演出態様実行示唆演出（図４８（ｄ）又は（ｅ））を前記エンディング中に行うエンディング演出実行手段（ステップS5717等を実行する演出制御用マイコン９１）を備えていることを特徴とする遊技機である。
【００１９】
手段５に係る発明によれば、第２特別遊技の終了後に通常遊技状態に制御される場合に、第２入球口保留記憶があるときと第２入球口保留記憶がないときとで、第２特別遊技のエンディング中に実行される演出が異なる。第２入球口保留記憶があるときには、有利演出態様実行示唆演出によって有利演出態様に制御されることが遊技者に報知される。これに対して第２入球口保留記憶が無いときには、非有利演出態様実行示唆演出によって非有利演出態様に制御されることが遊技者に報知される。従って、第２特別遊技のエンディング中にどちらの演出が実行されるのかに遊技者の意識を向けさせることが可能となり、第２特別遊技のエンディング中の興趣を高めることが可能となる。
【００２０】
手段６に係る発明は、
手段１から手段５までのいずれかに記載の遊技機であって、
前記第２特別遊技には、前記特別入賞口又はこれとは異なる他の特別入賞口を開放する複数回の開放遊技と、前記複数回の開放遊技の終了後のエンディングとが含まれており、
前記複数回の開放遊技のうちの所定の開放遊技の実行に伴って、実行中の第２特別遊技の終了後に前記有利演出態様にて演出が実行されることを示唆する第１開放遊技演出（図４７（ａ））、又は、前記非有利演出態様にて演出が実行されることを示唆する第２開放遊技演出（図４７（ｂ））のいずれかを実行可能な開放遊技演出実行手段（ステップS5609，S5611，S5612等を実行する演出制御用マイコン９１）を備え、
前記開放遊技演出実行手段は、
実行中の第２特別遊技の終了後に前記特典遊技状態に制御される場合には、前記第２入球口用記憶手段に数値情報の記憶があるか否かにかかわらず前記第１開放遊技演出を実行する（ステップS5608でYESならS5609を行う）一方、
実行中の第２特別遊技の終了後に前記通常遊技状態に制御される場合には、前記所定の開放遊技の実行開始時に前記第２入球口用記憶手段に数値情報の記憶があれば前記第１開放遊技演出を実行し、なければ前記第２開放遊技演出を実行する（ステップS5608でNOならS5610を行い、S5610でYESならS5609を行ってNOならS5611を行う）ものであることを特徴とする遊技機である。
【００２１】
手段６に係る発明によれば、第２特別遊技の開始時には第２入球口保留記憶がない場合でも、所定の開放遊技の実行までに第２入球口保留記憶が発生したときには、所定の開放遊技に伴って、有利演出態様に制御されることを示唆する第１開放遊技演出が実行される。よって、開放遊技に伴う演出と、第２特別遊技後の演出態様との整合を図ることが可能となる。
【００２２】
手段７に係る発明は、
手段１から手段６までのいずれかに記載の遊技機であって、
前記第１当否判定が行われると、その第１当否判定の結果を示す第１図柄（第１特別図柄）を変動表示を経て停止表示し、前記第２当否判定が行われると、その第２当否判定の結果を示す第２図柄（第２特別図柄）を変動表示を経て停止表示する図柄表示手段（ステップS904等を実行する遊技制御用マイコン８１）を備え、
前記図柄表示手段は、前記第２図柄の変動表示と前記第１図柄の変動表示とを同時に実行することがなく、前記第２図柄の変動表示を前記第１図柄の変動表示よりも優先して実行する（ステップS1001でYESならステップS1007に進む）ものであり、
前記第１特別遊技実行手段は、前記特定当たりへの当選を示す所定の停止態様（小当たり停止態様）で前記図柄表示手段により図柄が停止表示されたあと、前記第１特別遊技を実行するものであり、
前記遊技状態制御手段は、前記特典遊技状態において予め定められた上限実行回数（例えば「９９」回）の前記変動表示が終了すると、前記終了条件が成立したとして前記特典遊技状態を終了させるものであることを特徴とする遊技機である。
【００２３】
手段７に係る発明によれば、第２図柄の変動表示が第１図柄の変動表示よりも優先して実行される。そのため、特典遊技状態において第２図柄の変動表示が実行されずに第１図柄の変動表示ばかりが実行されることにより、特典遊技状態にて実行される変動表示の残回数がいたずらに減少してしまう不利益の発生を防止することが可能となる。つまり、第２当否判定に基づく特定当たり当選という利益の獲得機会が適正に遊技者に与えられることなく特典遊技状態の終了条件が成立してしまうのを防ぐことが可能となる。
【００２４】
手段８に係る発明は、
手段７に記載の遊技機であって、
前記演出態様設定手段は、前記第２特別遊技の終了時に前記第２入球口用記憶手段に数値情報の記憶があってその第２特別遊技の終了後に前記通常遊技状態に制御された場合には、その第２入球口用記憶手段に記憶されている全ての数値情報に基づく前記第２図柄の変動表示の終了時以降、前記第２特別遊技を経ることなく実行される前記第１図柄の変動表示の開始時までに、前記非有利演出態様に設定する（ステップS4904でYESならS4905を行う）ことを特徴とする遊技機である。
【００２５】
手段８に係る発明によれば、通常遊技状態において有利演出態様で演出が実行された場合でも、第２特別遊技が実行されることなく第２入球口保留記憶がなくなれば、非有利演出態様で演出が実行されるようになる。そのため、遊技者に対して第２特別遊技の実行という利益を獲得しやすい状態ではなくなったことを確実に報知することが可能となる。その結果、遊技者がいつまでも有利な状態であると誤解するのを防ぐことが可能となる。
【００２６】
手段９に係る発明は、
手段１から手段８までのいずれかに記載の遊技機であって、
前記演出手段は、表示画面（７ａ）を有する画像表示装置（７）であり、
前記有利演出態様は、前記表示画面に予め定めた有利背景画像（図４５（ｂ）の第１夜背景の画像や図４５（ｃ）の第２夜背景の画像）を表示する演出態様であり、
前記非有利演出態様は、前記表示画面に前記有利背景画像とは異なる非有利背景画像（図４５（ａ）の昼背景の画像や図４５（ｄ）の夜明け背景の画像）を表示する演出態様であることを特徴とする遊技機である。
【００２７】
手段９に係る発明によれば、比較的注目され易い表示画面の背景画像を変えているため、遊技者に対して第２特別遊技の実行という利益を獲得しやすい状態か否かをわかりやすく示すことが可能である。
【発明の効果】
【００２８】
本発明によれば、遊技者の利益を不当に損なわせてしまうのを防止することが可能である。
【図面の簡単な説明】
【００２９】
【図１】本発明の一実施形態に係る遊技機の正面図である。
【図２】同遊技機が備える第２大入賞装置等を詳細に示す概略正面図である。
【図３】（Ａ）は図１に示すＡ部分の拡大図であり、同遊技機が備える第１の表示器類を示す図であり、（Ｂ）は図１に示すＢ部分の拡大図であり、同遊技機が備える第２の表示器類を示す図である。
【図４】同遊技機の主制御基板側の電気的な構成を示すブロック図である。
【図５】同遊技機のサブ制御基板側の電気的な構成を示すブロック図である。
【図６】当たりの種別と大入賞口の開放パターンとの対応等を示す表である。
【図７】遊技制御用マイコンが取得する各種乱数を示す表である。
【図８】（Ａ）は大当たり判定テーブルであり、（Ｂ）は当たり種別判定テーブルであり、（Ｃ）はリーチ判定テーブルであり、（Ｄ）は普通図柄当たり判定テーブルであり、（Ｅ）は普通図柄変動パターン選択テーブルである。
【図９】変動パターン判定テーブルである。
【図１０】電チューの開放パターン決定テーブルである。
【図１１】主制御メイン処理のフローチャートである。
【図１２】メイン側タイマ割り込み処理のフローチャートである。
【図１３】センサ検出処理のフローチャートである。
【図１４】普通動作処理のフローチャートである。
【図１５】特別動作処理のフローチャートである。
【図１６】特別図柄待機処理のフローチャートである。
【図１７】大当たり判定処理のフローチャートである。
【図１８】変動パターン選択処理のフローチャートである。
【図１９】変動パターン選択処理のフローチャートである。
【図２０】特別図柄変動中処理のフローチャートである。
【図２１】特別図柄確定処理のフローチャートである。
【図２２】遊技状態管理処理のフローチャートである。
【図２３】特別電動役物処理１（大当たり遊技）のフローチャートである。
【図２４】遊技状態設定処理のフローチャートである。
【図２５】特別電動役物処理２（小当たり遊技）のフローチャートである。
【図２６】特別電動役物処理２（小当たり遊技）のフローチャートである。
【図２７】振分部材制御処理のフローチャートである。
【図２８】特定領域センサ検出処理のフローチャートである。
【図２９】サブ制御メイン処理のフローチャートである。
【図３０】受信割り込み処理のフローチャートである。
【図３１】１ｍｓタイマ割り込み処理のフローチャートである。
【図３２】１０ｍｓタイマ割り込み処理のフローチャートである。
【図３３】受信コマンド解析処理のフローチャートである。
【図３４】変動演出開始処理のフローチャートである。
【図３５】背景処理のフローチャートである。
【図３６】変動演出パターン選択処理のフローチャートである。
【図３７】変動演出終了処理のフローチャートである。
【図３８】オープニング演出選択処理のフローチャートである。
【図３９】ラウンド演出選択処理のフローチャートである。
【図４０】エンディング演出選択処理のフローチャートである。
【図４１】右打ち画像表示処理のフローチャートである。
【図４２】小当たりの種別に応じた第２大入賞口の開放パターン及び振分部材の作動パターンを示すタイミングチャートである。
【図４３】従来のパチンコ遊技機における第２大入賞口の開放パターン及び振分部材の作動パターンを示すタイミングチャートである。
【図４４】背景の種類等を示す表である。
【図４５】（ａ）は通常背景の背景画像を示す図であり、（ｂ）は特別背景の背景画像を示す図であり、（ｃ）はラストチャンス背景の背景画像を示す図であり、（ｄ）はチャンス終了直後背景の背景画像を示す図である。
【図４６】特図２の小当たり変動時の表示画面を示す図である。
【図４７】ラウンド演出を示す図であり、（ａ）はチャンス突入示唆演出としてのラウンド演出を示し、（ｂ）はチャンス非突入示唆演出としてのラウンド演出を示す。
【図４８】（ａ）〜（ｅ）はエンディング演出としての演出画像を示す図である。
【図４９】第２特図保留がある状態で通常遊技状態に制御される際のエンディング演出を示す図である。
【図５０】左打ち画像を表示する表示画面の図である。
【図５１】特図１の抽選に基づく小当たり遊技の実行時の表示画面の図である。
【図５２】小当たりの種別に応じた右打ちランプの点灯制御及び右打ち画像の表示制御を示すタイミングチャートである。
【図５３】実施形態に係る遊技機における遊技状態の遷移等を示す図である。
【図５４】同遊技機における遊技性を説明するための図であり、時短状態が終了する場合を説明する図である。
【図５５】同遊技機における遊技性を説明するための図であり、時短状態が続く場合を説明する図である。
【発明を実施するための形態】
【００３０】
１．遊技機の構造
本発明の一実施形態であるパチンコ遊技機について、図面に基づいて説明する。図１に示すように、実施形態のパチンコ遊技機１は、遊技機枠５０と、遊技機枠５０内に取り付けられた遊技盤２とを備えている。遊技機枠５０のうちの前面枠５１には、回転角度に応じた発射強度で遊技球を発射させるためのハンドル６０、遊技球を貯留する打球供給皿（上皿）６１、及び打球供給皿６１に収容しきれない遊技球を貯留する余剰球受皿（下皿）６２が設けられている。また前面枠５１には、遊技の進行に伴って実行される演出時などに遊技者が操作し得る演出ボタン６３が設けられている。また前面枠５１には、装飾用の枠ランプ６６およびスピーカ６７が設けられている。
【００３１】
遊技盤２には、ハンドル６０の操作により発射された遊技球が流下する遊技領域３が、レール部材４で囲まれて形成されている。また遊技盤２には、装飾用の盤ランプ５（図５参照）が設けられている。遊技領域３には、遊技球を誘導する複数の遊技くぎ（図示せず）が突設されている。
【００３２】
また遊技領域３の中央付近には、液晶表示装置である画像表示装置（演出手段）７が設けられている。画像表示装置７の表示画面７ａには、後述の第１特別図柄および第２特別図柄の変動表示（可変表示）に同期した演出図柄（装飾図柄）８Ｌ,８Ｃ,８Ｒの変動表示を行う演出図柄表示領域がある。演出図柄表示領域は、例えば「左」「中」「右」の３つの図柄表示エリアからなる。左の図柄表示エリアには左演出図柄８Ｌが表示され、中の図柄表示エリアには中演出図柄８Ｃが表示され、右の図柄表示エリアには右演出図柄８Ｒが表示される。演出図柄はそれぞれ、例えば「１」〜「９」までの数字をあらわした複数の図柄からなる。画像表示装置７は、左、中、右の演出図柄の組み合わせによって、後述の第１特別図柄表示器４１ａおよび第２特別図柄表示器４１ｂ（図３（Ａ）参照）にて表示される第１特別図柄および第２特別図柄の変動表示の結果（つまりは大当たり抽選の結果）を、わかりやすく表示する。
【００３３】
例えば大当たりに当選した場合には「７７７」などのゾロ目で演出図柄を停止表示する。また小当たりに当選した場合には「１３５」などの予め定めたチャンス目で演出図柄を停止表示する。また、はずれであった場合には「６３７」などのバラケ目で演出図柄を停止表示する。これにより、遊技者にとっては遊技の進行状況の把握が容易となる。つまり遊技者は、一般的には大当たり抽選の結果を第１特別図柄表示器４１ａや第２特別図柄表示器４１ｂにより把握するのではなく、画像表示装置７にて把握する。なお、図柄表示エリアの位置は固定的でなくてもよい。また、演出図柄の変動表示の態様としては、例えば上下方向にスクロールする態様がある。また、各抽選結果に応じてどのような演出図柄の組み合わせを停止表示するかは任意に変更可能であり、小当たり当選時にバラケ目で演出図柄を停止表示するようにしてもよい。
【００３４】
画像表示装置７は、上記のような演出図柄を用いた演出図柄変動演出（「演出図柄可変表示演出」や単に「変動演出」ともいう）のほか、大当たり遊技（第２特別遊技）に並行して行われる大当たり演出や、客待ち用のデモ演出などを表示画面７ａに表示する。なお演出図柄可変表示演出では、数字等の演出図柄のほか、背景画像やキャラクタ画像などの演出図柄以外の演出画像も表示される。
【００３５】
また画像表示装置７の表示画面７ａには、後述の第１特図保留の記憶数に応じて演出保留９Ａを表示する第１演出保留表示エリアと、後述の第２特図保留の記憶数に応じて演出保留９Ｂを表示する第２演出保留表示エリアとがある。演出保留の表示により、後述の第１特図保留表示器４３ａ（図３（Ａ）参照）にて表示される第１特図保留の記憶数および第２特図保留表示器４３ｂにて表示される第２特図保留の記憶数を、遊技者にわかりやすく示すことが可能となっている。
【００３６】
遊技領域３の中央付近であって画像表示装置７の前方には、センター装飾体１０が配されている。センター装飾体１０の下部には、上面を転動する遊技球を、後述の第１始動口２０へと誘導可能なステージ部１１が形成されている。またセンター装飾体１０の左部には、入口から遊技球を流入させ、出口からステージ部１１へ遊技球を流出させるワープ部１２が設けられている。さらにセンター装飾体１０の上部には、文字や図形等を表した装飾部材１３が配されている。
【００３７】
遊技領域３における画像表示装置７の下方には、遊技球の入球し易さが常に変わらない第１始動口（第１始動入賞口、第１入球口、固定入球口）２０を備える固定入賞装置１９が設けられている。第１始動口２０への遊技球の入賞は、第１特別図柄の抽選（大当たり抽選、すなわち大当たり乱数等の取得と判定）の契機となっている。
【００３８】
また第１始動口２０の右上方には、第２始動口（第２始動入賞口、第２入球口、可変入球口）２１を備える普通可変入賞装置（いわゆる電チュー）２２が設けられている。第２始動口２１への遊技球の入賞は、第２特別図柄の抽選（大当たり抽選、すなわち大当たり乱数等の取得と判定）の契機となっている。
【００３９】
電チュー２２は、前後に進退可能な可動部材（入球口開閉部材に相当）２３を備え、可動部材２３の作動によって第２始動口２１を開閉するものである。可動部材２３は、電チューソレノイド２４（図４参照）により駆動される。第２始動口２１は、可動部材２３が開いているとき（つまり可動部材２３が開状態をとっているとき）だけ遊技球が入球可能となる。すなわち、可動部材２３が閉じているとき（つまり可動部材２３が閉状態をとっているとき）には遊技球が入球不可能となっている。なお、第２始動口２１は、可動部材２３が閉じているときには開いているときよりも遊技球が入球困難となるものであれば、可動部材２３が閉じているときに完全に入球不可能となるものでなくてもよい。
【００４０】
また、遊技領域３における第１始動口２０の下方には、第１大入賞口（他の特別入賞口に相当）３０を備えた第１大入賞装置（第１特別可変入賞装置、他の特別入賞手段）３１が設けられている。第１大入賞装置３１は、開状態と閉状態とをとる開閉部材（他の特別入賞口開閉部材に相当）３２を備え、開閉部材３２の作動により第１大入賞口３０を開閉するものである。開閉部材３２は、第１大入賞口ソレノイド３３（図４参照）により駆動される。第１大入賞口３０は、開閉部材３２が開いているとき（つまり開状態のとき）だけ遊技球が入球可能となる。
【００４１】
また、遊技領域３における第１大入賞口３０の右方には、第２大入賞口（特別入賞口に相当）３５を備えた第２大入賞装置（第２特別可変入賞装置、特別入賞手段）３６が設けられている。第２大入賞装置３６は、開状態と閉状態とをとる開閉部材（特別入賞口開閉部材に相当）３７を備え、開閉部材３７の作動により第２大入賞口３５を開閉するものである。開閉部材３７は、前後に進退する進退式のものであり、第２大入賞口ソレノイド３８（図４参照）により駆動される。第２大入賞口３５は、開閉部材３７が開いているとき（つまり開状態のとき）だけ遊技球が入球可能となる。
【００４２】
より詳細には、図２に示すように、第２大入賞装置３６の内部には、第２大入賞口３５を通過した遊技球が通過可能な特定領域（Ｖ領域）３９および非特定領域７０が形成されている。なお、第２大入賞装置３６において、特定領域３９および非特定領域７０の上流には、第２大入賞口３５への遊技球の入賞を検知する第２大入賞口センサ３５ａが配されている。また、特定領域３９には、特定領域３９への遊技球の通過を検知する特定領域センサ３９ａが配されている。また、非特定領域７０には、非特定領域７０への遊技球の通過を検知する非特定領域センサ７０ａが配されている。また、第２大入賞装置３６は、第２大入賞口３５を通過した遊技球を特定領域３９または非特定領域７０のいずれかに振り分ける振分部材７１と、振分部材７１を駆動する振分部材ソレノイド７３とを備えている。なお、振分部材７１は、振分部材ソレノイド７３の通電時には、遊技球を特定領域３９に振り分ける第１の状態（通過許容状態）をとり、振分部材ソレノイド７３の非通電時には、遊技球を非特定領域７０に振り分ける第２の状態（通過阻止状態）をとる。
【００４３】
振分部材７１は、図２に二点鎖線で示すように、振分部材ソレノイド７３の通電時には、特定領域３９への遊技球の通過を許容する通過許容状態にある。振分部材７１が通過許容状態にあるときは、第２大入賞口３５に入賞した遊技球は、第２大入賞口センサ３５ａを通過したあと特定領域３９を通過する。この遊技球のルートを第１のルートという。
【００４４】
また振分部材７１は、図２に破線で示すように、振分部材ソレノイド７３の非通電時には、特定領域３９への遊技球の通過を妨げる通過阻止状態にある。振分部材７１が通過阻止状態にあるときは、第２大入賞口３５に入賞した遊技球は、第２大入賞口センサ３５ａを通過したあと振分部材７１上を転動して非特定領域７０を通過する。この遊技球のルートを第２のルートという。
【００４５】
なお本パチンコ遊技機１では、特定領域３９への遊技球の通過は、後述の大当たり遊技（第２特別遊技）の実行契機となっている。つまり本形態では、特定領域３９への遊技球の通過の有無によっても大当たり抽選を行っている。上述の第１特別図柄の抽選又は第２特別図柄の抽選により当選する大当たりを１種大当たりといい、特定領域３９への遊技球の通過によって当選する大当たりを２種大当たりという。
【００４６】
また図１に示すように、遊技領域３における第２始動口２１の上方には、遊技球が通過可能なゲート２８が設けられている。ゲート２８への遊技球の通過は、電チュー２２を開放するか否かを決める普通図柄抽選（すなわち普通図柄乱数（当たり乱数）の取得と判定）の実行契機となっている。
【００４７】
さらに遊技領域３の左下部には、普通入賞口２７が設けられている。また遊技領域３の最下部には、遊技領域３へ打ち込まれたもののいずれの入賞口にも入賞しなかった遊技球を遊技領域３外へ排出するアウト口９が設けられている。
【００４８】
このように各種の入賞口等が配されている遊技領域３には、左右方向の中央より左側の左遊技領域（第１遊技領域）３Ａと、右側の右遊技領域（第２遊技領域）３Ｂとがある。左遊技領域３Ａを遊技球が流下するように遊技球を発射する打方を、左打ちという。一方、右遊技領域３Ｂを遊技球が流下するように遊技球を発射する打方を、右打ちという。本形態のパチンコ遊技機１では、左打ちにて遊技したときに遊技球が流下する流路を、第１流路Ｒ１といい、右打ちにて遊技したときに遊技球が流下する流路を、第２流路Ｒ２という。
【００４９】
第１流路Ｒ１上には、第１始動口２０と、第１大入賞装置３１と、アウト口９とが設けられている。遊技者は第１流路Ｒ１を流下するように遊技球を打ち込むことで、第１始動口２０への入賞を狙う。
【００５０】
一方、第２流路Ｒ２上には、ゲート２８と、電チュー２２と、第２大入賞装置３６と、第１大入賞装置３１と、アウト口９とが設けられている。遊技者は第２流路Ｒ２を流下するように遊技球を打ち込むことで、ゲート２８への通過、電チュー２２に係る第２始動口２１、第１大入賞口３０、又は第２大入賞口３５への入賞を狙う。第２流路Ｒ２を転動した遊技球が第１始動口２０へ入賞することはない。
【００５１】
なお本形態では、ゲート２８と、電チュー２２と、第２大入賞装置３６とはユニット化されており、１つの構造体として遊技盤２に対して着脱可能となっている。また、固定入賞装置１９と第１大入賞装置３１とはユニット化されており、１つの構造体として遊技盤２に対して着脱可能となっている。
【００５２】
また図１および図３（Ａ）に示すように、遊技盤２の右下部には第１の表示器類４０が配置されている。また図１および図３（Ｂ）に示すように、センター装飾体１０の右上部には第２の表示器類４６が配置されている。第１の表示器類４０は、後述する遊技制御用マイコン８１によって点灯を制御される表示器類である。これに対して、第２の表示器類４６は、後述する演出制御用マイコン９１によって点灯を制御される表示器類である。
【００５３】
第１の表示器類４０には、第１特別図柄（第１図柄）を可変表示する第１特別図柄表示器４１ａ、第２特別図柄（第２図柄）を可変表示する第２特別図柄表示器４１ｂ、及び、普通図柄を可変表示する普通図柄表示器４２が含まれている。また第１の表示器類４０には、第１特別図柄表示器４１ａの作動保留（第１特図保留）の記憶数を表示する第１特図保留表示器４３ａ、第２特別図柄表示器４１ｂの作動保留（第２特図保留）の記憶数を表示する第２特図保留表示器４３ｂ、および普通図柄表示器４２の作動保留（普図保留）の記憶数を表示する普図保留表示器４４が含まれている。
【００５４】
また第１の表示器類４０には、右打ちを行った方が高い出玉率で遊技を進行することが可能であることを示す右打ち表示器４５が含まれている。出玉率とは、遊技領域３に打ち込んだ遊技球の数に対する払出賞球数の割合である。具体的には右打ち表示器４５は、例えば１つのＬＥＤから構成されており、右打ちを行った方が高い出玉率で遊技を進行することが可能であるときにはＬＥＤを点灯させ、そうでないときにはＬＥＤを消灯させる。但し右打ち表示器４５は比較的小さく、遊技者の目に留まりにくい。
【００５５】
第１特別図柄の可変表示は、第１始動口２０への遊技球の入賞を契機として行われる。第２特別図柄の可変表示は、第２始動口２１への遊技球の入賞を契機として行われる。なお以下の説明では、第１特別図柄および第２特別図柄を総称して特別図柄ということがある。また、第１特別図柄表示器４１ａおよび第２特別図柄表示器４１ｂを総称して特別図柄表示器４１ということがある。また、第１特図保留表示器４３ａおよび第２特図保留表示器４３ｂを総称して特図保留表示器４３ということがある。
【００５６】
特別図柄表示器４１では、特別図柄（識別情報）を可変表示（変動表示）したあと停止表示することにより、第１始動口２０又は第２始動口２１への入賞に基づく抽選（特別図柄抽選、大当たり抽選）の結果を報知する。停止表示される特別図柄（停止図柄、可変表示の表示結果として導出表示される特別図柄）は、特別図柄抽選によって複数種類の特別図柄の中から選択された一つの特別図柄である。停止図柄が予め定めた大当たり停止態様の特別図柄（大当たり図柄）である場合には、停止表示された大当たり図柄の種類（つまり当選した大当たりの種類）に応じた開放パターンにて第１大入賞口３０を開放させる大当たり遊技（第２特別遊技）が行われる。また、停止図柄が予め定めた小当たり停止態様の特別図柄（小当たり図柄）である場合には、停止表示された小当たり図柄の種類（つまり当選した小当たりの種類）に応じた開放パターンにて第２大入賞口３５を開放させる小当たり遊技（第１特別遊技）が行われる。なお、第１特別遊技又は第２特別遊技における大入賞口（第１大入賞口３０及び第２大入賞口３５）の開放パターンについては後述する。
【００５７】
具体的には特別図柄表示器４１は、例えば横並びに配された８個のＬＥＤから構成されており、その点灯態様によって大当たり抽選の結果に応じた特別図柄を表示するものである。例えば大当たり（後述の複数種類の大当たりのうちの一つ）に当選した場合には、「○○●●○○●●」（○：点灯、●：消灯）というように左から１，２，５，６番目にあるＬＥＤが点灯した大当たり図柄を表示する。また、小当たり（後述の複数種類の小当たりのうちの一つ）に当選した場合には、「●●●●○○●●」というように左から５，６番目にあるＬＥＤが点灯した小当たり図柄を表示する。また、ハズレである場合には、「●●●●●●●○」というように一番右にあるＬＥＤのみが点灯したハズレ図柄を表示する。ハズレ図柄として全てのＬＥＤを消灯させる態様を採用してもよい。また、特別図柄が停止表示される前には所定の変動時間にわたって特別図柄の変動表示（可変表示）がなされるが、その変動表示の態様は、例えば左から右へ光が繰り返し流れるように各ＬＥＤが点灯するという態様である。なお変動表示の態様は、各ＬＥＤが停止表示（特定の態様での点灯表示）されていなければ、全ＬＥＤが一斉に点滅するなどなんでもよい。
【００５８】
本パチンコ遊技機１では、第１始動口２０または第２始動口２１への遊技球の入賞があると、その入賞に対して取得した大当たり乱数等の各種乱数の値（数値情報）は、特図保留記憶部８５（図４参照）に一旦記憶される。詳細には、第１始動口２０への入賞であれば第１特図保留として第１特図保留記憶部８５ａ（図４参照）に記憶され、第２始動口２１への入賞であれば第２特図保留として第２特図保留記憶部８５ｂ（図４参照）に記憶される。各々の特図保留記憶部８５に記憶可能な特図保留の数には上限があり、本形態における上限値（上限記憶数）は第１特図保留記憶部８５ａが４個、第２特図保留記憶部８５ｂが１個となっている。
【００５９】
特図保留記憶部８５に記憶された特図保留は、その特図保留に基づく特別図柄の可変表示が可能となったときに消化される。特図保留の消化とは、その特図保留に対応する大当たり乱数等を判定して、その判定結果を示すための特別図柄の可変表示を実行することをいう。従って本パチンコ遊技機１では、第１始動口２０または第２始動口２１への遊技球の入賞に基づく特別図柄の可変表示がその入賞後にすぐに行えない場合、すなわち特別図柄の可変表示の実行中や特別遊技（大当たり遊技又は小当たり遊技）の実行中に入賞があった場合であっても、所定個数を上限として、その入賞に対する大当たり抽選の権利を留保することができるようになっている。
【００６０】
そしてこのような特図保留の数は、特図保留表示器４３に表示される。具体的には第１特図保留表示器４３ａは、例えば４個のＬＥＤで構成されており、第２特図保留表示器４３ｂは、例えば１個のＬＥＤで構成されている。各特図保留表示器４３は、特図保留の数だけＬＥＤを点灯させることにより特図保留の数を表示する。
【００６１】
普通図柄の可変表示は、ゲート２８への遊技球の通過を契機として行われる。普通図柄表示器４２では、普通図柄を可変表示（変動表示）したあと停止表示することにより、ゲート２８への遊技球の通過に基づく普通図柄抽選の結果を報知する。停止表示される普通図柄（普図停止図柄、可変表示の表示結果として導出表示される普通図柄）は、普通図柄抽選によって複数種類の普通図柄の中から選択された一つの普通図柄である。停止表示された普通図柄が予め定めた特定普通図柄（所定の停止態様の普通図柄すなわち普通当たり図柄）である場合には、現在の遊技状態に応じた開放パターンにて第２始動口２１を開放させる補助遊技が行われる。なお、第２始動口２１の開放パターンについては後述する。
【００６２】
具体的には普通図柄表示器４２は、例えば２個のＬＥＤから構成されており（図３（Ａ）参照）、その点灯態様によって普通図柄抽選の結果に応じた普通図柄を表示するものである。例えば抽選結果が当たりである場合には、「○○」（○：点灯、●：消灯）というように両ＬＥＤが点灯した普通当たり図柄を表示する。また抽選結果がハズレである場合には、「●○」というように右のＬＥＤのみが点灯した普通ハズレ図柄を表示する。普通ハズレ図柄として全てのＬＥＤを消灯させる態様を採用してもよい。普通図柄が停止表示される前には所定の変動時間にわたって普通図柄の変動表示（可変表示）がなされるが、その変動表示の態様は、例えば両ＬＥＤが交互に点灯するという態様である。なお変動表示の態様は、各ＬＥＤが停止表示（特定の態様での点灯表示）されていなければ、全ＬＥＤが一斉に点滅するなどなんでもよい。
【００６３】
本パチンコ遊技機１では、ゲート２８への遊技球の通過があると、その通過に対して取得した普通図柄乱数（当たり乱数）の値は、普図保留記憶部８６（図４参照）に普図保留として一旦記憶される。普図保留記憶部８６に記憶可能な普図保留の数には上限があり、本形態における上限値は４個となっている。
【００６４】
普図保留記憶部８６に記憶された普図保留は、その普図保留に基づく普通図柄の可変表示が可能となったときに消化される。普図保留の消化とは、その普図保留に対応する普通図柄乱数（当たり乱数）を判定して、その判定結果を示すための普通図柄の可変表示を実行することをいう。従って本パチンコ遊技機１では、ゲート２８への遊技球の通過に基づく普通図柄の可変表示がその通過後にすぐに行えない場合、すなわち普通図柄の可変表示の実行中や補助遊技の実行中に入賞があった場合であっても、所定個数を上限として、その通過に対する普通図柄抽選の権利を留保することができるようになっている。
【００６５】
そしてこのような普図保留の数は、普図保留表示器４４に表示される。具体的には普図保留表示器４４は、例えば４個のＬＥＤで構成されており、普図保留の数だけＬＥＤを点灯させることにより普図保留の数を表示するものである。
【００６６】
次に、図３（Ｂ）に示す第２の表示器類４６について説明する。第２の表示器類４６には、右打ちランプ４７が含まれている。右打ちランプ４７は、第１の表示器類４０の右打ち表示器４５（図３（Ａ）参照）と同様、右打ちを行った方が高い出玉率で遊技を進行することが可能であることを示すためのものである。また第２の表示器類４６には、第１特別図柄の可変表示中か否かを示す特１変動ランプ４８ａ、第２特別図柄の可変表示中か否かを示す特２変動ランプ４８ｂ、第１特図保留の記憶数を示す特１保留ランプ４９ａ、および第２特図保留の記憶数を示す特２保留ランプ４９ｂが含まれている。
【００６７】
右打ちランプ４７は、１つのＬＥＤからなり、右打ちを行った方が高い出玉率で遊技を進行することが可能であるときには点灯し、そうでなければ消灯する。特１変動ランプ４８ａおよび特２変動ランプ４８ｂは、それぞれ１つのＬＥＤからなり、特別図柄の可変表示中であれば点灯し、そうでなければ消灯する。また、特１保留ランプ４９ａおよび特２保留ランプ４９ｂは、それぞれ２つのＬＥＤからなり、特図保留の数が「０」であれば両方を消灯させ、「１」であれば両方を点灯させ、「２」であれば一方を点灯させるとともに他方を点滅させ、「３」であれば一方を点滅させるとともに他方を点灯させ、「４」であれば両方を点滅させる。第２の表示器類４６によれば、表示画面７ａをブラックアウトさせたとき等であっても各種の情報を遊技者に対して示すことが可能である。
【００６８】
２．遊技機の電気的構成
次に図４及び図５に基づいて、本パチンコ遊技機１における電気的な構成を説明する。図４及び図５に示すようにパチンコ遊技機１は、大当たり抽選や遊技状態の移行などの遊技利益に関する制御を行う主制御基板（遊技制御基板）８０、遊技の進行に伴って実行する演出に関する制御を行うサブ制御基板（演出制御基板）９０、遊技球の払い出しに関する制御を行う払出制御基板１１０等を備えている。主制御基板８０は、メイン制御部を構成し、サブ制御基板９０は、後述する画像制御基板１００、ランプ制御基板１０７、および音声制御基板１０６とともにサブ制御部を構成する。なお、サブ制御部は、少なくともサブ制御基板９０を備えていればよい。
【００６９】
主制御基板８０には、プログラムに従ってパチンコ遊技機１の遊技の進行を制御する遊技制御用ワンチップマイコン（以下「遊技制御用マイコン」）８１が実装されている。遊技制御用マイコン８１には、遊技の進行を制御するためのプログラム等を記憶したＲＯＭ８３、ワークメモリとして使用されるＲＡＭ８４、ＲＯＭ８３に記憶されたプログラムを実行するＣＰＵ８２が含まれている。遊技制御用マイコン８１は、入出力回路（Ｉ／Ｏポート部）８７を介して他の基板等とデータの送受信を行う。入出力回路８７は、遊技制御用マイコン８１に内蔵されていてもよい。また、ＲＯＭ８３は外付けであってもよい。ＲＡＭ８４には、上述した特図保留記憶部８５（第１特図保留記憶部８５ａおよび第２特図保留記憶部８５ｂ）と普図保留記憶部８６とが設けられている。第２特図保留記憶部８５ｂは、第２入球口用記憶手段に相当する。
【００７０】
主制御基板８０には、中継基板８８を介して各種センサやソレノイドが接続されている。そのため、主制御基板８０には各センサから信号が入力され、各ソレノイドには主制御基板８０から信号が出力される。具体的にはセンサ類としては、第１始動口センサ２０ａ、第２始動口センサ２１ａ、ゲートセンサ２８ａ、第１大入賞口センサ３０ａ、第２大入賞口センサ３５ａ、特定領域センサ３９ａ、非特定領域センサ７０ａ、および普通入賞口センサ２７ａが接続されている。
【００７１】
第１始動口センサ２０ａは、第１始動口２０内に設けられて第１始動口２０に入賞した遊技球を検出するものである。第２始動口センサ２１ａは、第２始動口２１内に設けられて第２始動口２１に入賞した遊技球を検出するものである。ゲートセンサ２８ａは、ゲート２８内に設けられてゲート２８を通過した遊技球を検出するものである。第１大入賞口センサ３０ａは、第１大入賞口３０内に設けられて第１大入賞口３０に入賞した遊技球を検出するものである。第２大入賞口センサ３５ａは、第２大入賞口３５内に設けられて第２大入賞口３５に入賞した遊技球を検出するものである。特定領域センサ３９ａは、第２大入賞口３５内の特定領域３９に設けられて特定領域３９を通過した遊技球を検出するものである。非特定領域センサ７０ａは、第２大入賞口３５内の非特定領域７０に設けられて非特定領域７０を通過した遊技球を検出するものである。普通入賞口センサ２７ａは、各普通入賞口２７内にそれぞれ設けられて普通入賞口２７に入賞した遊技球を検出するものである。
【００７２】
またソレノイド類としては、電チューソレノイド２４、第１大入賞口ソレノイド３３、第２大入賞口ソレノイド３８、および振分部材ソレノイド７３が接続されている。電チューソレノイド２４は、電チュー２２の可動部材２３を駆動するものである。第１大入賞口ソレノイド３３は、第１大入賞装置３１の開閉部材３２を駆動するものである。第２大入賞口ソレノイド３８は、第２大入賞装置３６の開閉部材３７を駆動するものである。振分部材ソレノイド７３は、第２大入賞装置３６の振分部材７１を駆動するものである。
【００７３】
さらに主制御基板８０には、第１特別図柄表示器４１ａ、第２特別図柄表示器４１ｂ、普通図柄表示器４２、第１特図保留表示器４３ａ、第２特図保留表示器４３ｂ、普図保留表示器４４、および右打ち表示器４５が接続されている。すなわち、これらの第１の表示器類４０の表示制御は、遊技制御用マイコン８１によりなされる。
【００７４】
また主制御基板８０は、払出制御基板１１０に各種コマンドを送信するとともに、払い出し監視のために払出制御基板１１０から信号を受信する。払出制御基板１１０には、賞球払出装置１２０、貸球払出装置１３０およびカードユニット１３５（パチンコ遊技機１に隣接して設置され、挿入されたプリペイドカード等の情報に基づいて球貸しを可能にするもの）が接続されているとともに、発射制御回路１１１を介して発射装置１１２が接続されている。発射装置１１２には、ハンドル６０（図１参照）が含まれる。
【００７５】
払出制御基板１１０は、遊技制御用マイコン８１からの信号や、パチンコ遊技機１に接続されたカードユニット１３５からの信号に基づいて、賞球払出装置１２０の賞球モータ１２１を駆動して賞球の払い出しを行ったり、貸球払出装置１３０の球貸モータ１３１を駆動して貸球の払い出しを行ったりする。払い出される賞球は、その計数のため賞球センサ１２２により検知される。また払い出される貸球は、その計数のため球貸センサ１３２により検知される。なお遊技者による発射装置１１２のハンドル６０（図１参照）の操作があった場合には、タッチスイッチ１１４がハンドル６０への接触を検知し、発射ボリューム１１５がハンドル６０の回転量を検知する。そして、発射ボリューム１１５の検知信号の大きさに応じた強さで遊技球が発射されるよう発射モータ１１３が駆動されることとなる。なお本パチンコ遊技機１においては、０．６秒程度で一発の遊技球が発射されるようになっている。
【００７６】
また主制御基板８０は、サブ制御基板９０に対し各種コマンドを送信する。主制御基板８０とサブ制御基板９０との接続は、主制御基板８０からサブ制御基板９０への信号の送信のみが可能な単方向通信接続となっている。すなわち、主制御基板８０とサブ制御基板９０との間には、通信方向規制手段としての図示しない単方向性回路（例えばダイオードを用いた回路）が介在している。
【００７７】
図５に示すように、サブ制御基板９０には、プログラムに従ってパチンコ遊技機１の演出を制御する演出制御用ワンチップマイコン（以下「演出制御用マイコン」）９１が実装されている。演出制御用マイコン９１には、遊技の進行に伴って演出を制御するためのプログラム等を記憶したＲＯＭ９３、ワークメモリとして使用されるＲＡＭ９４、ＲＯＭ９３に記憶されたプログラムを実行するＣＰＵ９２が含まれている。演出制御用マイコン９１は、入出力回路（Ｉ／Ｏポート部）９７を介して他の基板等とデータの送受信を行う。入出力回路９７は、演出制御用マイコン９１に内蔵されていてもよい。また、ＲＯＭ９３は外付けであってもよい。
【００７８】
サブ制御基板９０には、画像制御基板１００、音声制御基板１０６、ランプ制御基板１０７が接続されている。サブ制御基板９０の演出制御用マイコン９１は、主制御基板８０から受信したコマンドに基づいて、画像制御基板１００のＣＰＵ１０２に画像表示装置７の表示制御を行わせる。画像制御基板１００のＲＡＭ１０４は、画像データを展開するためのメモリである。画像制御基板１００のＲＯＭ１０３には、画像表示装置７に表示される静止画データや動画データ、具体的にはキャラクタ、アイテム、図形、文字、数字および記号等（演出図柄を含む）や背景画像等の画像データが格納されている。画像制御基板１００のＣＰＵ１０２は、演出制御用マイコン９１からの指令に基づいてＲＯＭ１０３から画像データを読み出す。そして、読み出した画像データに基づいて表示制御を実行する。
【００７９】
また演出制御用マイコン９１は、主制御基板８０から受信したコマンドに基づいて、音声制御基板１０６を介してスピーカ６７から音声、楽曲、効果音等を出力する。スピーカ６７から出力する音声等の音響データは、サブ制御基板９０のＲＯＭ９３に格納されている。なお、音声制御基板１０６にＣＰＵを実装してもよく、その場合、そのＣＰＵに音声制御を実行させてもよい。さらにこの場合、音声制御基板１０６にＲＯＭを実装してもよく、そのＲＯＭに音響データを格納してもよい。また、スピーカ６７を画像制御基板１００に接続し、画像制御基板１００のＣＰＵ１０２に音声制御を実行させてもよい。さらにこの場合、画像制御基板１００のＲＯＭ１０３に音響データを格納してもよい。
【００８０】
また演出制御用マイコン９１は、主制御基板８０から受信したコマンドに基づいて、ランプ制御基板１０７を介して枠ランプ６６や盤ランプ５、第２の表示器類４６（右打ちランプ４７、特１変動ランプ４８ａ、特２変動ランプ４８ｂ、特１保留ランプ４９ａ、及び特２保留ランプ４９ｂ）の点灯制御を行う。詳細には演出制御用マイコン９１は、枠ランプ６６や盤ランプ５、第２の表示器類４６といった各種ランプの発光態様を決める発光パターンデータ（点灯/消灯や発光色等を決めるデータ、ランプデータともいう）を作成し、発光パターンデータに従って各種ランプの発光を制御する。なお、発光パターンデータの作成にはサブ制御基板９０のＲＯＭ９３に格納されているデータを用いる。
【００８１】
さらに演出制御用マイコン９１は、主制御基板８０から受信したコマンドに基づいて、ランプ制御基板１０７に中継基板１０８を介して接続された装飾可動体１５を動作させる。なお装飾可動体１５は、図１では図示を省略したが、センター装飾体１０に設けられた可動式のいわゆるギミックのことである。詳細には演出制御用マイコン９１は、装飾可動体１５の動作態様を決める動作パターンデータ（駆動データともいう）を作成し、動作パターンデータに従って装飾可動体１５の動作を制御する。動作パターンデータの作成にはサブ制御基板９０のＲＯＭ９３に格納されているデータを用いる。なお、ランプ制御基板１０７にＣＰＵを実装してもよく、その場合、そのＣＰＵにランプの点灯制御や装飾可動体１５の動作制御を実行させてもよい。さらにこの場合、ランプ制御基板１０７にＲＯＭを実装してもよく、そのＲＯＭに発光パターンや動作パターンに関するデータを格納してもよい。
【００８２】
またサブ制御基板９０には、演出ボタン６３（図１参照）が押下操作されたことを検出する演出ボタン検出ＳＷ（スイッチ）６３ａが接続されている。従って、演出ボタン６３が押下されると、演出ボタン検出ＳＷ６３ａからサブ制御基板９０に対して信号が出力される。
【００８３】
３．大当たり等の説明
本形態のパチンコ遊技機１では、大当たり抽選（特別図柄抽選）の結果として、「大当たり」、「小当たり」、「はずれ」がある。詳細には、第１特別図柄（特図１）の抽選の結果としては、「大当たり」、「小当たり」、「はずれ」があり、第２特別図柄（特図２）の抽選の結果としては、「大当たり」、「小当たり」がある。すなわち、第２特別図柄の抽選で「はずれ」となることはない。「大当たり」のときには、特別図柄表示器４１に「大当たり図柄」が停止表示される。「小当たり」のときには、特別図柄表示器４１に「小当たり図柄」が停止表示される。「はずれ」のときには、特別図柄表示器４１に「ハズレ図柄」が停止表示される。なお、「小当たり」は「特定当たり」に相当する。
【００８４】
特別図柄抽選にて大当たりに当選すると、停止表示された特別図柄の種類（大当たりの種類）に応じた開放パターンにて第１大入賞口３０を開放させる「大当たり遊技（第２特別遊技に相当）」が実行される。小当たりに当選すると、停止表示された特別図柄の種類（小当たりの種類）に応じた開放パターンにて第２大入賞口３５を開放させる「小当たり遊技（第１特別遊技に相当）」が実行される。そして、小当たり遊技の実行中に第２大入賞口３５内の特定領域３９に遊技球が進入すると、当選している小当たりの種類に応じた開放パターンにて第１大入賞口３０を開放させる「大当たり遊技」（第２特別遊技）が実行される。なお、特別図柄抽選の結果が大当たり当選であることに基づいて実行される大当たり遊技を１種大当たり遊技と称する。また、特定領域３９への通過に基づいて実行される大当たり遊技を２種大当たり遊技と称する。
【００８５】
大当たり遊技は、本形態では、複数回のラウンド遊技（単位開放遊技、大当たり開放遊技）と、初回のラウンド遊技が開始される前のオープニング（ＯＰとも表記する）と、最終回のラウンド遊技が終了した後のエンディング（ＥＤとも表記する）とを含んでいる。各ラウンド遊技は、ＯＰの終了又は前のラウンド遊技の終了によって開始し、次のラウンド遊技の開始又はＥＤの開始によって終了する。ラウンド遊技間の大入賞口の閉鎖の時間（インターバル時間）は、その閉鎖前の開放のラウンド遊技に含まれる。
【００８６】
また小当たり遊技は、本形態では、第２大入賞口３５を開放する小当たり開放遊技と、小当たり開放遊技が開始される前のオープニング（開放前インターバル）と、小当たり開放遊技が終了した後のエンディング（閉鎖後インターバル）とを含んでいる。
【００８７】
特別図柄抽選の結果、大当たりに当選すると（つまり１種大当たりに当選すると）、第１大入賞口３０を開放させる大当たり遊技（１種大当たり遊技）が実行される。より詳細には本形態では、図６に示すように、大当たりの種別として「１５Ｒ（ラウンド）通常大当たり」と「４Ｒ時短大当たり」と「１５Ｒ時短大当たり」とがある。「１５Ｒ通常大当たり」は、１５Ｒにわたって第１大入賞口３０を開放させた後、遊技状態を後述の「非時短状態且つ低ベース状態」に制御する大当たりである。「４Ｒ時短大当たり」は、４Ｒにわたって第１大入賞口３０を開放させた後、遊技状態を後述の「時短状態且つ高ベース状態」に制御する大当たりである。「１５Ｒ時短大当たり」は、１５Ｒにわたって第１大入賞口３０を開放させた後、遊技状態を後述の「時短状態且つ高ベース状態」に制御する大当たりである。なお、いずれの大当たりも、１Ｒあたりの第１大入賞口３０の開放回数は１回であり、その最大開放時間は２９．５秒である。
【００８８】
また、「１５Ｒ通常大当たり」及び「４Ｒ時短大当たり」は第１特別図柄の抽選でのみ当選する可能性がある。これに対して「１５Ｒ時短大当たり」は第２特別図柄の抽選でのみ当選する可能性がある。なお、第１特別図柄の抽選によって「１５Ｒ通常大当たり」に当選した場合には、第１特別図柄表示器４１ａに「特図１＿通常図柄」が停止表示される。また、第１特別図柄の抽選によって「４Ｒ時短大当たり」に当選した場合には、第１特別図柄表示器４１ａに「特図１＿時短図柄１」が停止表示される。また、第２特別図柄の抽選によって「１５Ｒ時短大当たり」に当選した場合には、第２特別図柄表示器４１ｂに「特図２＿時短図柄２」が停止表示される。
【００８９】
一方特別図柄抽選の結果、小当たりに当選すると、第２大入賞口３５を１回開放させる小当たり遊技が実行される。小当たり遊技によって開放された第２大入賞口３５へ遊技球が入賞し、その遊技球が第２大入賞装置３６内の特定領域３９を通過した場合には、大当たり当選となり、続けて１５Ｒにわたって第１大入賞口３０を開放させる大当たり遊技（２種大当たり）が実行される。この大当たり遊技（特定領域３９への通過を契機とする大当たり遊技）が実行された場合には、小当たり遊技としての第２大入賞口３５の開放が１Ｒ目に相当することになる。従ってこのときの総ラウンド数は１６Ｒとなる。なお、大当たり遊技や小当たり遊技を特別遊技と称することもある。また、特別遊技においては１ラウンド中に複数回大入賞口を開放させるラウンドがあってもよい。
【００９０】
より詳細には本形態では、図６に示すように、小当たりの種別として「１６Ｒ時短小当たりＡ」、「１６Ｒ時短小当たりＢ」、「１６Ｒ時短小当たりＣ」、及び「１６Ｒ通常小当たり」とがある。各種別の小当たりは、小当たり遊技を行って、その小当たり遊技において特定領域３９への遊技球の通過があれば大当たり遊技（２種大当たり遊技）を行うものである。小当たり遊技において特定領域３９への遊技球の通過がなければ、大当たり遊技は実行されない。「１６Ｒ時短小当たりＡ」は、特定領域３９への通過（Ｖ通過やＶ入賞ともいう）が実質的に不可能な小当たりである。これに対して、「１６Ｒ時短小当たりＢ」、「１６Ｒ時短小当たりＣ」、及び「１６Ｒ通常小当たり」は、Ｖ通過が必ず可能な小当たりである。小当たり遊技の実行中にＶ通過可能か否かは、振分部材７１の作動パターンおよび開閉部材３７の開放パターンによって決まる。この点については後に詳述する。
【００９１】
各種別の小当たり遊技では、第２大入賞口３５の１．６秒開放が１回行われる。但し、各小当たり遊技におけるオープニングの時間は、小当たりの種別に応じて異なっている。具体的には図６に示すように、時短小当たりＡではおよそ４．６秒、時短小当たりＢでは２１秒、時短小当たりＣおよび通常小当たりでは０．００８秒である。このように小当たりの種別に応じて小当たり遊技のオープニングの時間が異なっているのは、このオープニングの開始から一定の動作で動いている振分部材７１に対する第２大入賞口３５の開放タイミングを変えるためである。これにより、小当たり遊技の実行中にＶ通過が可能な通過開放パターンと、小当たり遊技の実行中にＶ通過が不可能（実質的を含む）な非通過開放パターンとをつくり出している。通過開放パターンおよび非通過開放パターンの詳細については後述する。
【００９２】
また特定領域３９への遊技球の通過に基づいて実行される大当たり遊技（２種大当たり遊技）では、小当たりの種別に応じて定められている開放パターンで第１大入賞口３０を開放する。具体的には、「１６Ｒ時短小当たりＡ」は、１Ｒ当たりの最大開放時間を２９．５秒として１５Ｒにわたって第１大入賞口３０を開放させる２種大当たり遊技の実行後、遊技状態を後述の「時短状態且つ高ベース状態」に制御する当たりである。但し、「１６Ｒ時短小当たりＡ」は、Ｖ通過が実質的に不可能な小当たりであるため、このような２種大当たり遊技が実行されることはほとんどない。
【００９３】
また、「１６Ｒ時短小当たりＢ」及び「１６Ｒ時短小当たりＣ」は、１Ｒ当たりの最大開放時間を２９．５秒として１５Ｒにわたって第１大入賞口３０を開放させる２種大当たり遊技の実行後、遊技状態を後述の「時短状態且つ高ベース状態」に制御する当たりである。また、「１６Ｒ通常小当たり」は、２Ｒ目から５Ｒ目では１Ｒ当たりの最大開放時間を２９．５秒として第１大入賞口３０を開放させ、６Ｒ目から１６Ｒ目では１Ｒ当たりの最大開放時間を０．１秒として第１大入賞口３０を開放させる２種大当たり遊技の実行後、遊技状態を後述の「非時短状態且つ低ベース状態」に制御する当たりである。つまり、この「１６Ｒ通常小当たり」は、６Ｒ目から１６Ｒ目までは第１大入賞口３０の開放時間が極めて短く、第１大入賞口３０への入賞が見込めない。すなわち、２Ｒ目から５Ｒ目までの計４Ｒだけ第１大入賞口３０への入賞が見込める実質４Ｒの当たりである。なお、２種大当たり遊技における１Ｒあたりの第１大入賞口３０の開放回数は１回である。
【００９４】
また、「１６Ｒ時短小当たりＡ」及び「１６Ｒ時短小当たりＢ」は第１特別図柄の抽選でのみ当選する可能性がある。これに対して「１６Ｒ時短小当たりＣ」及び「１６Ｒ通常小当たり」は第２特別図柄の抽選でのみ当選する可能性がある。なお、第１特別図柄の抽選によって「１６Ｒ時短小当たりＡ」に当選した場合には、第１特別図柄表示器４１ａに「特図１＿時短有り小当たり図柄１」が停止表示される。また、第１特別図柄の抽選によって「１６Ｒ時短小当たりＢ」に当選した場合には、第１特別図柄表示器４１ａに「特図１＿時短有り小当たり図柄２」が停止表示される。また、第２特別図柄の抽選によって「１６Ｒ時短小当たりＣ」に当選した場合には、第２特別図柄表示器４１ｂに「特図２＿時短有り小当たり図柄３」が停止表示される。また、第２特別図柄の抽選によって「１６Ｒ通常小当たり」に当選した場合には、第２特別図柄表示器４１ｂに「特図２＿時短無し小当たり図柄」が停止表示される。なお、「１６Ｒ時短小当たりＡ」、「１６Ｒ時短小当たりＢ」、及び「１６Ｒ時短小当たりＣ」は「特典付き小当たり」に相当し、「１６Ｒ通常小当たり」は「特典なし小当たり」に相当する。また、「１６Ｒ時短小当たりＢ」は「第１当たり」に相当し、「１６Ｒ時短小当たりＡ」は「第２当たり」に相当する。
【００９５】
なお、第１特別図柄（特図１）の抽選における各大当たりへの振分確率は、１５Ｒ通常大当たりが５０％、４Ｒ時短大当たりが５０％となっている。これに対して、第２特別図柄（特図２）の抽選において当選した大当たりは、全て１５Ｒ時短大当たりとなっている。また、第１特別図柄の抽選における各小当たりへの振分確率は、１６Ｒ時短小当たりＡ（Ｖ通過実質不可の小当たり）が９９％、１６Ｒ時短小当たりＢ（Ｖ通過可能な小当たり）が１％となっている。また、第２特別図柄の抽選における各小当たりへの振分確率は、１６Ｒ時短小当たりＣ（Ｖ通過可能な時短小当たり）が５０％、１６Ｒ通常小当たり（Ｖ通過可能な通常小当たり）が５０％となっている。
【００９６】
ここで本パチンコ遊技機１では、大当たり又は小当たりか否かの抽選は「大当たり乱数」に基づいて行われ、当選した当たりの種別の抽選は「当たり種別乱数」に基づいて行われる。図７（Ａ）に示すように、大当たり乱数は０〜６５５３５までの範囲で値をとる。当たり種別乱数は、０〜９９までの範囲で値をとる。なお、第１始動口２０又は第２始動口２１への入賞に基づいて取得される乱数には、大当たり乱数および当たり種別乱数の他に、「リーチ乱数」および「変動パターン乱数」がある。
【００９７】
リーチ乱数は、大当たり判定の結果がはずれである場合に、その結果を示す演出図柄変動演出においてリーチを発生させるか否かを決める乱数である。リーチとは、複数の演出図柄のうち変動表示されている演出図柄が残り一つとなっている状態であって、変動表示されている演出図柄がどの図柄で停止表示されるか次第で大当たり当選を示す演出図柄の組み合わせとなる状態（例えば「７↓７」の状態）のことである。なお、リーチ状態において停止表示されている演出図柄は、表示画面７ａ内で多少揺れているように表示されていたり、拡大と縮小を繰り返すように表示されていたりしてもよい。このリーチ乱数は、０〜１２７までの範囲で値をとる。
【００９８】
また、変動パターン乱数は、変動時間を含む変動パターンを決めるための乱数である。変動パターン乱数は、０〜１２７までの範囲で値をとる。また、ゲート２８への通過に基づいて取得される乱数には、図７（Ｂ）に示す普通図柄乱数（当たり乱数）がある。普通図柄乱数は、電チュー２２を開放させる補助遊技を行うか否かの抽選（普通図柄抽選）のための乱数である。普通図柄乱数は、０〜６５５３５までの範囲で値をとる。
【００９９】
４．遊技状態の説明
次に、本形態のパチンコ遊技機１の遊技状態に関して説明する。パチンコ遊技機１の特別図柄表示器４１および普通図柄表示器４２には、変動時間短縮機能がある。
【０１００】
特別図柄表示器４１の変動時間短縮機能が作動している状態を「時短状態」といい、作動していない状態を「非時短状態」という。時短状態では、特別図柄の変動時間（変動表示開始時から表示結果の導出表示時までの時間）が、非時短状態よりも短くなっている。すなわち、変動時間の短い変動パターンが選択されることが非時短状態よりも多くなるように定められた変動パターン判定テーブルを用いて、変動パターンの判定を行う（図９参照）。つまり、特別図柄表示器４１の変動時間短縮機能が作動すると、作動していないときに比して、特別図柄の可変表示の変動時間として短い変動時間が選択されやすくなる。その結果、時短状態では、特図保留の消化のペースが速くなり、始動口への有効な入賞（特図保留として記憶され得る入賞）が発生しやすくなる。そのため、スムーズな遊技の進行のもとで大当たりを狙うことができる。
【０１０１】
普通図柄表示器４２の変動時間短縮機能は、特別図柄表示器４１の変動時間短縮機能に同期して作動するようになっている。すなわち、普通図柄表示器４２の変動時間短縮機能は、時短状態において作動し、非時短状態において作動しない。よって、時短状態では、普通図柄の変動時間が非時短状態よりも短くなっている。本形態では、普通図柄の変動時間は非時短状態では３０秒であるが、時短状態では１秒である（図８（Ｅ）参照）。さらに時短状態では、補助遊技における電チュー２２の開放時間が、非時短状態よりも長くなっている（図１０参照）。すなわち、電チュー２２の開放時間延長機能が作動している。
【０１０２】
普通図柄表示器４２の変動時間短縮機能、および電チュー２２の開放時間延長機能が作動している状況下では、これらの機能が作動していない場合に比して、電チュー２２が頻繁に開放され、第２始動口２１へ遊技球が頻繁に入賞することとなる。その結果、発射球数に対する賞球数の割合であるベースが高くなる。従って、これらの機能が作動している状態を「高ベース状態」といい、作動していない状態を「低ベース状態」という。高ベース状態では、手持ちの遊技球を大きく減らすことなく大当たりを狙うことができる。なお、高ベース状態とは、いわゆる電サポ制御（電チュー２２により第２始動口２１への入賞をサポートする制御）が実行されている状態である。そのため、高ベース状態を電サポ制御状態ともいう。また低ベース状態を非電サポ制御状態ともいう。高ベース状態は、「特典遊技状態」に相当する。
【０１０３】
なお、高ベース状態（電サポ制御状態）において、電チュー２２の開放回数増加機能が作動するようにしてもよい。すなわち、高ベース状態で実行される補助遊技では、電チュー２２の開放回数が非時短状態で実行される補助遊技よりも多くなるようにしてもよい。また、高ベース状態において、普通図柄表示器４２の確率変動機能が作動するようにしてもよい。すなわち、低ベース状態における普通図柄抽選の当選確率を相対的に低く設定し、高ベース状態における普通図柄抽選の当選確率を相対的に高く設定してもよい。この場合、低ベース状態における普通図柄抽選の当選確率を「零」に設定するとよい。なぜなら、低ベース状態において第２特別図柄の抽選が実行されないようにすることが可能となるからである。つまり、このように構成すれば、低ベース状態にも関わらず第２特別図柄の抽選に基づく小当たり遊技の実行を狙った攻略的な遊技を防止することが可能となる。
【０１０４】
さらには、高ベース状態は、上記の全ての機能が作動するものでなくてもよい。すなわち、普通図柄表示器４２の変動時間短縮機能、電チュー２２の開放時間延長機能、電チュー２２の開放回数増加機能、および普通図柄表示器４２の確率変動機能のうち一つ以上の機能の作動によって、その機能が作動していないときよりも電チュー２２が開放され易くなっていればよい。また、高ベース状態は、時短状態に付随せずに独立して制御されるようにしてもよい。
【０１０５】
本形態のパチンコ遊技機１では、図６に示すように、「４Ｒ時短大当たり」、「１５Ｒ時短大当たり」、「１６Ｒ時短小当たりＡ」、「１６Ｒ時短小当たりＢ」、又は「１６Ｒ時短小当たりＣ」に当選して実行された大当たり遊技後の遊技状態は、時短状態かつ高ベース状態である。時短状態かつ高ベース状態は、所定回数（本形態では９９回）の特別図柄の可変表示が実行されるか、又は、大当たりに当選してその大当たり遊技が実行されることにより終了する。
【０１０６】
また、「１５Ｒ通常大当たり」、又は「１６Ｒ通常小当たり」に当選して実行された大当たり遊技後の遊技状態は、非時短状態かつ低ベース状態である（図６参照）。この遊技状態を特に、「通常遊技状態」という。パチンコ遊技機１を初めて遊技する場合において電源投入後の遊技状態は、通常遊技状態である。なお、特別遊技の実行中の状態を、「特別遊技状態」と称することとする。
【０１０７】
高ベース状態では、右打ちにより右遊技領域３Ｂ（図１参照）へ遊技球を進入させた方が有利に遊技を進行できる。電サポ制御により低ベース状態と比べて電チュー２２が開放されやすくなっており、第１始動口２０への入賞よりも第２始動口２１への入賞の方が容易となっているからである。そのため、普通図柄抽選の契機となるゲート２８へ遊技球を通過させつつ、第２始動口２１へ遊技球を入賞させるべく右打ちを行う。なお本パチンコ遊技機１では、大当たり遊技中も右打ちにて遊技を行う。
【０１０８】
これに対して、低ベース状態では、左打ちにより左遊技領域３Ａ（図１参照）へ遊技球を進入させた方が有利に遊技を進行できる。電サポ制御が実行されていないため、高ベース状態と比べて電チュー２２が開放されにくくなっており、第２始動口２１への入賞よりも第１始動口２０への入賞の方が容易となっているからである。そのため、第１始動口２０へ遊技球を入賞させるべく左打ちを行う。
【０１０９】
５．遊技制御用マイコン８１の動作
［主制御メイン処理］次に図１１〜図２８に基づいて遊技制御用マイコン８１の動作について説明する。なお、遊技制御用マイコン８１の動作説明にて登場するカウンタ、タイマ、フラグ、ステータス、バッファ等は、ＲＡＭ８４に設けられている。主制御基板８０に備えられた遊技制御用マイコン８１は、パチンコ遊技機１の電源がオンされると、ＲＯＭ８３から図１１に示した主制御メイン処理のプログラムを読み出して実行する。同図に示すように、主制御メイン処理では、まず初期設定を行う（ステップS001）。初期設定では例えば、スタックの設定、定数設定、割り込み時間の設定、ＣＰＵ８２の設定、ＳＩＯ、ＰＩＯ、ＣＴＣ（割り込み時間の管理のための回路）の設定や、各種のフラグ、ステータス及びカウンタ等のリセット等を行う。フラグの初期値は「０」つまり「ＯＦＦ」であり、ステータスの初期値は「１」であり、カウンタの初期値は「０」である。なお初期設定(S001)は、電源投入後に一度だけ実行され、それ以降は実行されない。
【０１１０】
初期設定(S001)に次いで、割り込みを禁止し(S002)、普通図柄・特別図柄主要乱数更新処理(S003)を実行する。この普通図柄・特別図柄主要乱数更新処理(S003)では、図７に示した種々の乱数カウンタ値を１加算して更新する。各乱数カウンタ値は上限値に至ると「０」に戻って再び加算される。なお各乱数カウンタの周期初期値は「０」以外の値であってもよく、ランダムに変更されるものであってもよい。また各乱数は、カウンタＩＣ等からなる公知の乱数生成回路を利用して生成される所謂ハードウェア乱数であってもよい。
【０１１１】
普通図柄・特別図柄主要乱数更新処理(S003)が終了すると、割り込みを許可する(S004)。割り込み許可中は、メイン側タイマ割り込み処理(S005)の実行が可能となる。メイン側タイマ割り込み処理(S005)は、例えば４ｍｓｅｃ周期でＣＰＵ８２に繰り返し入力される割り込みパルスに基づいて実行される。すなわち、例えば４ｍｓｅｃ周期で実行される。そして、メイン側タイマ割り込み処理(S005)が終了してから、次にメイン側タイマ割り込み処理(S005)が開始されるまでの間に、普通図柄・特別図柄主要乱数更新処理(S003)による各種カウンタ値の更新処理が繰り返し実行される。なお、割り込み禁止状態のときにＣＰＵ８２に割り込みパルスが入力された場合は、メイン側タイマ割り込み処理(S005)はすぐには開始されず、割り込み許可(S004)がされてから開始される。
【０１１２】
［メイン側タイマ割り込み処理］次に、メイン側タイマ割り込み処理(S005)について説明する。図１２に示すように、メイン側タイマ割り込み処理(S005)では、まず出力処理(S101)を実行する。出力処理(S101)では、以下に説明する各処理において主制御基板８０のＲＡＭ８４に設けられた出力バッファにセットされたコマンド等を、サブ制御基板９０や払出制御基板１１０等に出力する。
【０１１３】
出力処理(S101)に次いで行われる入力処理(S102)では、主にパチンコ遊技機１に取り付けられている各種センサ（第１始動口センサ２０ａ、第２始動口センサ２１ａ、第１大入賞口センサ３０ａ、第２大入賞口センサ３５ａ、普通入賞口センサ２７ａ等（図４参照））の検知による検出信号を読み込み、賞球情報としてＲＡＭ８４の出力バッファに記憶する。また、下皿６２の満杯を検出する下皿満杯スイッチからの検出信号も取り込み、下皿満杯データとしてＲＡＭ８４の出力バッファに記憶する。
【０１１４】
次に行われる普通図柄・特別図柄主要乱数更新処理(S103)は、図１１の主制御メイン処理で行う普通図柄・特別図柄主要乱数更新処理(S003)と同じである。即ち、図７に示した各種乱数カウンタ値（普通図柄乱数カウンタ値も含む）の更新処理は、メイン側タイマ割り込み処理(S005)の実行期間と、それ以外の期間（メイン側タイマ割り込み処理(S005)の終了後、次のメイン側タイマ割り込み処理(S005)が開始されるまでの期間）との両方で行われている。
【０１１５】
普通図柄・特別図柄主要乱数更新処理(S103)に次いで、後述するセンサ検出処理(S104)、普通動作処理(S105)、特別動作処理(S106)、振分部材制御処理(S107)、および特定領域センサ処理(S108)を実行する。その後、その他の処理(S110)を実行して、メイン側タイマ割り込み処理(S005)を終了する。その他の処理(S110)としては、後述の特図２保留球数に基づいて第２特図保留表示器４３ｂをその数を示す表示態様に制御したり、後述の特図１保留球数に基づいて第１特図保留表示器４３ａをその数を示す表示態様に制御したりする。そして、次にＣＰＵ８２に割り込みパルスが入力されるまでは主制御メイン処理のステップS002〜S004の処理が繰り返し実行され（図１１参照）、割り込みパルスが入力されると（約４ｍｓｅｃ後）、再びメイン側タイマ割り込み処理(S005)が実行される。再び実行されたメイン側タイマ割り込み処理(S005)の出力処理(S101)においては、前回のメイン側タイマ割り込み処理(S005)にてＲＡＭ８４の出力バッファにセットされたコマンド等が出力される。
【０１１６】
［センサ検出処理］図１３に示すように、センサ検出処理(S104)ではまず、ゲート２８に遊技球が通過したか否か、即ち、ゲートセンサ２８ａによって遊技球が検出されたか否か判定する(S201)。ゲート２８を遊技球が通過していなければ(S201でNO)、ステップS205に進む。遊技球が通過していれば(S201でYES)、普通図柄保留球数（普図保留の数、具体的にはＲＡＭ８４に設けた普図保留の数をカウントするカウンタの値）が「４」以上であるか否か判定する(S202)。そして、普通図柄保留球数が「４」以上であれば(S202でYES）、ステップS205に進む。一方、普通図柄保留球数が「４」以上でなければ(S202でNO)、普通図柄保留球数に「１」を加算し(S203)、普通図柄乱数取得処理(S204)を行う。普通図柄乱数取得処理(S204)では、普通図柄乱数カウンタの値（ラベル−ＴＲＮＤ−Ｈの値、図７（Ｂ））を取得し、その取得乱数値をＲＡＭ８４の普図保留記憶部８６のうち現在の普通図柄保留球数に応じた記憶領域に格納する。
【０１１７】
ステップS205では、第１始動口２０に遊技球が入賞したか否か、即ち、第１始動口センサ２０ａによって遊技球が検出されたか否か判定する(S205)。第１始動口２０に遊技球が入賞していない場合(S205でNO)にはステップS211に進むが、第１始動口２０に遊技球が入賞した場合には(S205でYES)、特図１保留球数（第１特図保留の数、具体的にはＲＡＭ８４に設けた第１特図保留の数をカウントするカウンタの値）が「４」（上限記憶数）に達しているか否か判定する(S206)。そして、特図１保留球数が「４」に達している場合(S206でYES)には、ステップS211に進むが、特図１保留球数が「４」未満である場合には(S206でNO)、特図１保留球数に「１」を加算する(S207)。
【０１１８】
続いて特図１関係乱数取得処理(S208)を行う。特図１関係乱数取得処理(S208)では、大当たり乱数カウンタの値（ラベル−ＴＲＮＤ−Ａの値）、当たり種別乱数カウンタの値（ラベル−ＴＲＮＤ−ＡＳの値）、リーチ乱数カウンタの値（ラベル−ＴＲＮＤ−ＲＣの値）及び変動パターン乱数カウンタの値（ラベル−ＴＲＮＤ−Ｔ１の値）を取得し（つまり図７（Ａ）に示す乱数値群を取得し）、それら取得乱数値を第１特図保留記憶部８５ａのうち現在の特図１保留球数に応じた記憶領域に格納する。そして、特図１保留球数が増加したことを示す特図１保留増加コマンドを所定の出力バッファにセットする(S209)。
【０１１９】
続いてセンサ検出処理(S104)では、第２始動口２１に遊技球が入賞したか否か、即ち、第２始動口センサ２１ａによって遊技球が検出されたか否かを判定する(S211)。第２始動口２１に遊技球が入賞していない場合(S211でNO)には本処理を終えるが、第２始動口２１に遊技球が入賞した場合には(S211でYES)、特図２保留球数（第２特図保留の数、具体的にはＲＡＭ８４に設けた第２特図保留の数をカウントするカウンタの値）が「１」（上限記憶数）に達しているか否か判定する(S212)。そして、特図２保留球数が「１」に達している場合(S212でYES)には本処理を終えるが、特図２保留球数が「１」未満である場合（つまりない場合）には(S212でNO)、特図２保留球数に「１」を加算する(S213)。
【０１２０】
続いて特図２関係乱数取得処理(S214)を行う。特図２関係乱数取得処理(S214)では、特図１関係乱数取得処理(S208)と同様に、大当たり乱数カウンタの値（ラベル−ＴＲＮＤ−Ａの値）、当たり種別乱数カウンタの値（ラベル−ＴＲＮＤ−ＡＳの値）、リーチ乱数カウンタの値（ラベル−ＴＲＮＤ−ＲＣの値）及び変動パターン乱数カウンタの値（ラベル−ＴＲＮＤ−Ｔ１の値）を取得し（つまり図７（Ａ）に示す乱数値群を取得し）、それら取得乱数値を第２特図保留記憶部８５ｂのうち現在の特図２保留球数に応じた記憶領域に格納する。そして、特図２保留球数が増加したことを示す特図２保留増加コマンドを所定の出力バッファにセットする(S215)。
【０１２１】
[普通動作処理]遊技制御用マイコン８１は、センサ検出処理(S104)に次いで、図１４に示す普通動作処理(S105)を行う。普通動作処理(S105)ではまず、電チュー２２の作動中か否かを判定する(S301)。電チューの作動中でなければ(S301でNO)、続いて、普通図柄の停止表示中か否かを判定する(S302)。普通図柄の停止表示中でなければ(S302でNO)、続いて、普通図柄の変動表示中か否かを判定する(S303)。普通図柄の変動表示中でなければ(S303でNO)、続いて、普通図柄の保留球数が「０」か否かを判定する(S304)。普通図柄の保留球数が「０」であれば(S304でYES)、本処理を終える。
【０１２２】
ステップS304において普通図柄の保留球数が「０」でなければ(S304でNO)、当たり判定処理(S305)を行う。当たり判定処理(S305)では、普図保留記憶部８６に格納されている普通図柄乱数カウンタ値（ラベル−ＴＲＮＤ−Ｈの値）を読み出し、図８（Ｄ）に示す普通図柄当たり判定テーブル（当たり判定値が「１」〜「６５５３５」）に基づいて当たりか否か判定する。そして、当たり判定の結果に応じた普図停止図柄データをＲＡＭ８４の所定の記憶領域にセットする図柄決定処理を行う(S306)。つまり図柄決定処理(S306)では、「ハズレ」であれば「普図ハズレ図柄」に応じたデータをセットし、「当たり」であれば「普通当たり図柄」に応じたデータをセットする。
【０１２３】
続いて遊技制御用マイコン８１は、普通図柄変動時間決定処理(S307)を行う。普通図柄変動時間決定処理(S307)では、図８（Ｅ）に示す普通図柄変動パターン選択テーブルを参照して、遊技状態が時短状態であれば、普通図柄の変動時間が１秒の普通図柄変動パターンを選択する。一方、遊技状態が非時短状態であれば、普通図柄の変動時間が３０秒の普通図柄変動パターンを選択する。
【０１２４】
次いで遊技制御用マイコン８１は、普通図柄保留球数を１ディクリメントする(S308)。そして、普図保留記憶部８６における各普図保留の格納場所（記憶領域）を現在の位置から読み出される側に一つシフトするとともに、普図保留記憶部８６における保留４個目に対応する記憶領域（読み出される側から最も遠い記憶領域）をクリアする(S309)。このようにして、普図保留が保留された順に消化されるようにしている。その後、遊技制御用マイコン８１は、ステップS307で選択した普通図柄変動パターンにて普通図柄の変動表示を開始する(S310)。なおこれに伴い、サブ制御基板９０に普通図柄の変動開始を知らせるため、普図変動開始コマンドをセットする。
【０１２５】
上述のステップS303にて普通図柄の変動表示中であれば(S303でYES)、続いて、普通図柄の変動時間が経過したか否か判定し(S311)、経過していなければ処理を終える。一方、経過していれば(S311でYES)、普通図柄の変動表示を、普通図柄乱数の判定結果に応じた表示結果（普通当たり図柄又は普通ハズレ図柄）で停止させる(S312)。そして、サブ制御基板９０に普通図柄の変動停止を知らせるための普図変動停止コマンドをセットするとともに(S313)、普通図柄の停止時間をセットして(S314)本処理を終える。
【０１２６】
また、上述のステップS302にて普通図柄の停止表示中であれば(S302でYES)、続いて、ステップS314でセットした普通図柄の停止時間が経過したか否か判定し(S315)、経過していなければ処理を終える。一方、経過していれば(S315でYES)、普通当たり図柄の普図停止図柄データがセットされているか否かを判定し(S316)、普通当たり図柄のデータでなければ（つまり当たりでなければ(S316でNO)）、本処理を終える。一方、普通当たり図柄のデータであれば（つまり当たりであれば(S316でYES)）、電チュー２２の開放パターンをセットする(S317)。詳細には、時短状態中であれば、電チュー２２の開放パターンとして時短状態中の開放パターン（図１０の電チュー開放ＴＢＬ２参照）をセットする。これに対して、非時短状態中であれば、電チュー２２の開放パターンとして非時短状態中の開放パターン（図１０の電チュー開放ＴＢＬ１参照）をセットする。そして、ステップS317でセットした開放パターンに従って、電チュー２２を作動させる(S318)。
【０１２７】
また、上述のステップS301にて電チュー２２の作動中であれば(S301でYES)、続いて、電チュー２２の作動時間が経過したか否かを判定し(S319)、経過していなければ処理を終える。一方、経過していれば(S319でYES)、電チュー２２の作動を終了させる(S320)。
【０１２８】
［特別動作処理］遊技制御用マイコン８１は、普通動作処理(S105)に次いで、図１５に示す特別動作処理(S106)を行う。特別動作処理(S106)では、特別図柄表示器４１および大入賞口装置（第１大入賞装置３１および第２大入賞装置３６）に関する処理を５つの段階に分け、それらの各段階に「特別動作ステータス１，２，３，４，５」を割り当てている。そして、「特別動作ステータス」が「１」である場合には(S901でYES)、特別図柄待機処理(S902)を行い、「特別動作ステータス」が「２」である場合には(S901でNO、S903でYES)、特別図柄変動中処理(S904)を行い、「特別動作ステータス」が「３」である場合には(S901,S903で共にNO、S905でYES)、特別図柄確定処理(S906)を行い、「特別動作ステータス」が「４」である場合には(S901,S903,S905で共にNO、S907でYES)、大当たり遊技としての特別電動役物処理１(S908)を行い、「特別動作ステータス」が「５」である場合には(S901,S903,S905,S907の全てがNO)、小当たり遊技としての特別電動役物処理２(S909)を行う。なお特別動作ステータスは、初期設定では「１」である。
【０１２９】
［特別図柄待機処理］図１６に示すように、特別図柄待機処理(S902)ではまず、第２始動口２１の保留球数（即ち特図２保留球数）が「０」であるか否かを判定する(S1001)。特図２保留球数が「０」である場合(S1001でYES)、即ち、第２始動口２１への入賞に起因して取得した乱数カウンタ値群の記憶がない場合には、第１始動口２０の保留球数（即ち特図１保留球数）が「０」であるか否かを判定する(S1007)。そして、特図１保留球数も「０」である場合(S1007でYES)、即ち、第１始動口２０への入賞に起因して取得した乱数カウンタ値群の記憶もない場合には、既に画像表示装置７の表示画面７ａを待機画面（客待ち用のデモ画面）としたか否かを判定し(S1013)、そうであれば(S1013でYES)処理を終え、そうでなければ(S1013でNO)、待機画面設定処理(S1014)を行う。待機画面設定処理(S1014)では、所定の待機時間の経過を待って、待機画面を表示させるための客待ち待機コマンドをセットする。
【０１３０】
ステップS1001において特図２保留球数が「０」でない場合(S1001でNO)、即ち、第２始動口２１への入賞に起因して取得した乱数カウンタ値群の記憶（特図２の保留情報）が１つ以上ある場合には、後述の特図２大当たり判定処理(S1002)及び特図２変動パターン選択処理(S1003)を行う。その後、遊技制御用マイコン８１は、特図２保留球数を１ディクリメントする(S1004)。そして、第２特図保留記憶部８５ｂにおける特図２の保留情報をクリアする(S1005)。続いて遊技制御用マイコン８１は、特図２変動開始処理(S1006)を実行する。特図２変動開始処理(S1006)では、特別動作ステータスを「２」にセットするとともに変動開始コマンドをＲＡＭ８４の出力バッファにセットして、第２特別図柄の変動表示を開始する。なお、特図２変動開始処理(S1006)でセットされる変動開始コマンド（特図２変動開始コマンドともいう）には、特図２大当たり判定処理(S1002)でセットされた特図停止図柄データの情報や特図２変動パターン選択処理(S1003)でセットされた変動パターンの情報（変動時間の情報を含む情報）が含まれている。
【０１３１】
また、特図２保留球数が「０」であるが特図１保留球数が「０」でない場合(S1001でYES且つS1007でNO)、即ち、特図２の保留情報はないが、第１始動口２０への入賞に起因して取得した乱数カウンタ値群の記憶（特図１の保留情報）が１つ以上ある場合には、後述の特図１大当たり判定処理(S1008)及び特図１変動パターン選択処理(S1009)を行う。その後、遊技制御用マイコン８１は、特図１保留球数を１ディクリメントする(S1010)。そして、第１特図保留記憶部８５ａにおける各種カウンタ値の格納場所（記憶領域）を、現在の位置から読み出される側に一つシフトするとともに、第１特図保留記憶部８５ａにおける保留４個目に対応する記憶領域（読み出される側から最も遠い記憶領域）をクリアする(S1011)。このようにして、第１特図保留が保留された順に消化されるようにしている。続いて遊技制御用マイコン８１は、特図１変動開始処理(S1012)を実行する。特図１変動開始処理(S1012)では、特別動作ステータスを「２」にセットするとともに変動開始コマンドをＲＡＭ８４の出力バッファにセットして、第１特別図柄の変動表示を開始する。なお、特図１変動開始処理(S1012)でセットされる変動開始コマンド（特図１変動開始コマンドともいう）には、特図１大当たり判定処理(S1008)でセットされた特図停止図柄データの情報や特図１変動パターン選択処理(S1009)でセットされた変動パターンの情報（変動時間の情報を含む情報）が含まれている。
【０１３２】
上記のように本形態では、第１特図保留に基づく特別図柄の変動表示は、第２特図保留が「０」の場合(S1001でYESの場合)に限って行われる。すなわち第２特図保留の消化は、第１特図保留の消化に優先して実行される。そして本形態では、第２特図保留に基づく抽選にはハズレがなく、大当たり当選となる場合を除けば必ず小当たり当選となる上、小当たり遊技では必ず特定領域３９を通過することができるようになっている。つまり、第２特図保留に基づく抽選がなされれば必ず大当たり遊技が実行される（大当たりに当選する）ようになっている。この点については後に詳述する。
【０１３３】
［特図２大当たり判定処理（特図１大当たり判定処理）］特図２大当たり判定処理(S1002)と特図１大当たり判定処理(S1008)とは、処理の流れが同じであるため図１７に基づいてまとめて説明する。図１７に示すように、特図２大当たり判定処理(S1002)又は特図１大当たり判定処理(S1008)ではまず、判定値として、大当たり乱数カウンタ値（ラベル−ＴＲＮＤ−Ａの値）を読み出す(S1101)。詳細には、特図２大当たり判定処理(S1002)では、ＲＡＭ８４の第２特図保留記憶部８５ｂに記憶されている大当たり乱数カウンタ値を読み出す。また特図１大当たり判定処理(S1008)では、ＲＡＭ８４の第１特図保留記憶部８５ａ（詳しくは第１特図保留の１個目に対応する記憶領域）に記憶されている大当たり乱数カウンタ値を読み出す。
【０１３４】
次に、大当たり判定テーブル（図８（Ａ））をセットする(S1102)。次いで、セットした大当たり判定テーブルに基づいて大当たりか否かを判定する(S1103)。すなわち、大当たり乱数カウンタ値（ラベル−ＴＲＮＤ−Ａ）が、大当たり判定値である「６５３００」〜「６５５３５」の何れかと一致するか否か判定する（図８（Ａ）参照）。大当たり判定(S1103)の結果が「大当たり」であれば、大当たりフラグをＯＮするとともに(S1104)、当たり種別乱数カウンタ値（ラベル−ＴＲＮＤ−ＡＳの値）を読み出して、図８（Ｂ）に示す当たり種別判定テーブルに基づいて大当たり種別を判定する(S1105)。大当たり種別を判定(S1105)した後は、大当たり種別（大当たり図柄の種類）に応じた特図停止図柄データ（図６参照）をＲＡＭ８４に設けた当たり種別バッファにセットして(S1106)処理を終える。
【０１３５】
一方、大当たり判定(S1103)の結果が「大当たり」でなければ、小当たりか否かを判定する(S1107)。詳細には、特図２大当たり判定処理(S1002)では、大当たり乱数カウンタ値が、小当たり判定値である「０」〜「６５２９９」の何れかと一致するか否か判定する（図８（Ａ）の特図２の欄参照）。また特図１大当たり判定処理(S1008)では、大当たり乱数カウンタ値が、小当たり判定値である「０」〜「３５００」の何れかと一致するか否か判定する（図８（Ａ）の特図１の欄参照）。なお小当たり当選確率は、特図１の抽選よりも特図２の抽選の方が高くなっている。
【０１３６】
小当たり判定(S1107)の結果が「小当たり」であれば、小当たりフラグをＯＮするとともに(S1108)、当たり種別乱数カウンタ値（ラベル−ＴＲＮＤ−ＡＳの値）を読み出して、図８（Ｂ）に示す当たり種別判定テーブルに基づいて小当たり種別を判定する(S1109)。小当たり種別を判定(S1109)した後は、小当たり種別（小当たり図柄の種類）に応じた特図停止図柄データ（図６参照）をＲＡＭ８４に設けた当たり種別バッファにセットして(S1110)処理を終える。なお、小当たりか否かを決める乱数を、大当たり乱数とは別に設けてもよい。
【０１３７】
また、大当たりでなく(S1103でNO)、小当たりでもなければ(S1107でNO)、「ハズレ」であるので、ハズレ図柄に応じた特図停止図柄データ（０１Ｈ）をセットして(S1111)、本処理を終える。本形態では、特図１の抽選ではその結果が「ハズレ」となることがある一方、特図２の抽選ではその結果が「ハズレ」となることがないように、各抽選における小当たり当選確率が設定されている（図８（Ａ）参照）。
【０１３８】
［特図２変動パターン選択処理（特図１変動パターン選択処理）］特図２変動パターン選択処理(S1003)と特図１変動パターン選択処理(S1009)とは、処理の流れが同じであるため図１８及び図１９に基づいてまとめて説明する。図１８に示すように、特図２変動パターン選択処理(S1003)又は特図１変動パターン選択処理(S1009)ではまず、遊技状態が時短状態か否か（時短フラグがＯＮか否か）を判定する(S1301)。
【０１３９】
時短状態でなければ(S1301でNO)、すなわち非時短状態であれば、続いて大当たりフラグがＯＮか否かを判定する(S1302)。ＯＮであれば(S1302でYES)、非時短状態中大当たりテーブル（図９に示す変動パターン判定テーブルのうち非時短状態且つ大当たりに該当する部分）を参照して、変動パターン乱数カウンタ値（ラベル−ＴＲＮＤ−Ｔ１の値）に基づいて変動パターンを選択する(S1303)。なお、変動パターンが決まれば変動時間も決まる。
【０１４０】
またステップS1302において、大当たりフラグがＯＮでなければ(S1302でNO)、小当たりフラグがＯＮか否かを判定する(S1304)。ＯＮであれば(S1304でYES)、非時短状態中小当たりテーブル（図９に示す変動パターン判定テーブルのうち非時短状態且つ小当たりに該当する部分）を参照して、変動パターン乱数カウンタ値に基づいて変動パターンを選択する(S1305)。
【０１４１】
またステップS1304において、小当たりフラグがＯＮでなければ(S1304でNO)、リーチ乱数カウンタ値（ラベル−ＴＲＮＤ−ＲＣの値）がリーチ成立乱数値か否かを判定する(S1306)。図８（Ｃ）に示すように、リーチ成立乱数値は時短状態であれば「０」〜「５」であり、非時短状態であれば「０」〜「１３」である。すなわち、時短状態の方が非時短状態よりもハズレ時のリーチがかかりにくくなっている。これは、時短状態において変動時間の短いリーチ無しハズレがより多く選択されようにすることで、特図保留の消化スピードを早めるためである。リーチ乱数カウンタ値がリーチ成立乱数値である場合(S1306でYES)、即ち、リーチ有りハズレの場合には、非時短状態中リーチ有りハズレテーブル（図９に示す変動パターン判定テーブルのうち非時短状態且つリーチ有りハズレに該当する部分）を参照して、変動パターン乱数カウンタ値に基づいて変動パターンを選択する(S1307)。
【０１４２】
一方、リーチ乱数カウンタ値がリーチ成立乱数値でない場合(S1306でNO)、即ち、リーチ無しハズレの場合には、非時短状態中リーチ無しハズレテーブル（図９に示す変動パターン判定テーブルのうち非時短状態且つリーチ無しハズレに該当する部分）を参照して、変動パターン乱数カウンタ値に基づいて変動パターンを選択する(S1308)。このリーチ無しハズレ時には、保留球数に応じた短縮変動の機能が働くようになっている。すなわち、特別図柄の保留球数が「３」又は「４」であるときは、特別図柄の保留球数が「０」〜「２」であるときに比して変動時間の短い変動パターンが選択されるようになっている。
【０１４３】
またステップS1301において、遊技状態が時短状態であると判定した場合(S1301でYES)には、図１９に示すように、参照する変動パターン判定テーブルを時短状態中のテーブル（図９に示す変動パターン判定テーブルのうち時短状態に該当する部分）にする事以外は上記ステップS1302〜S1308と同様の流れで処理(S1309〜S1315)を行う。すなわち、大当たりフラグがＯＮであれば(S1309でYES)、時短状態中大当たりテーブル（図９に示す変動パターン判定テーブルのうち時短状態且つ大当たりに該当する部分）を参照して、変動パターン乱数カウンタ値に基づいて変動パターンを選択する(S1310)。
【０１４４】
また小当たりフラグがＯＮであれば(S1311でYES)、時短状態中小当たりテーブル（図９に示す変動パターン判定テーブルのうち時短状態且つ小当たりに該当する部分）を参照して、変動パターン乱数カウンタ値に基づいて変動パターンを選択する(S1312)。またリーチ乱数カウンタ値がリーチ成立乱数値であれば(S1313でYES)、時短状態中リーチ有りハズレテーブル（図９に示す変動パターン判定テーブルのうち時短状態且つリーチ有りハズレに該当する部分）を参照して、変動パターン乱数カウンタ値に基づいて変動パターンを選択する(S1314)。またリーチ乱数カウンタ値がリーチ成立乱数値でなければ(S1313でNO)、時短状態中リーチ無しハズレテーブル（図９に示す変動パターン判定テーブルのうち時短状態且つリーチ無しハズレに該当する部分）を参照して、変動パターン乱数カウンタ値に基づいて変動パターンを選択する(S1315)。
【０１４５】
なお、時短状態中の変動パターン判定テーブル（図９に示す変動パターン判定テーブルのうち時短状態に該当する部分）では、リーチ無しハズレ時の保留球数に応じた短縮変動の機能が保留球数「２」〜「４」のときに働く。すなわち、非時短状態中よりも短縮変動が選択され易くなっている。また、大当たり当選時に変動時間の長い変動パターンが選択される確率が非時短状態中よりも低くなっている。すなわち、非時短状態中よりも変動時間の短い変動パターンが選択され易くなっている。つまり、時短状態中の変動パターン判定テーブルは、非時短状態中の変動パターン判定テーブルよりも変動時間が短くなるようなテーブルとなっている。
【０１４６】
上記のようにして変動パターンの選択を行った後は、図１８に示すように、選択した変動パターンをセットして(S1316)、本処理を終える。ステップS1316でセットした変動パターンの情報は、特別図柄待機処理(S902)におけるステップS1006又はS1012でセットされる変動開始コマンドに含められる。
【０１４７】
［特別図柄変動中処理］図２０に示すように、特別図柄変動中処理(S904)ではまず、特別図柄の変動時間（ステップS1003又はS1009で選択された変動パターンに応じて決まる変動時間、図９参照)が経過したか否かを判定する(S1501)。経過していなければ(S1501でNO)、直ちにこの処理を終える。これにより特別図柄の変動表示が継続される。
【０１４８】
一方、変動時間が経過していれば(S1501でYES)、変動停止コマンドをセットするとともに(S1502)、特別動作ステータスを「３」にセットする(S1503)。そして、特別図柄の変動表示を、セットされている特図停止図柄データに応じた図柄（大当たり図柄、小当たり図柄又はハズレ図柄）で停止させる等のその他の処理を行ってから(S1504)、この処理を終える。
【０１４９】
［特別図柄確定処理］図２１に示すように、特別図柄確定処理(S906)ではまず、特別図柄の停止時間が経過したか否かを判定する(S1601)。経過していなければ(S1601でNO)、直ちにこの処理を終える。一方、停止時間が経過していれば(S1601でYES)、後述の遊技状態管理処理を行う(S1602)。
【０１５０】
次に、大当たりフラグがＯＮであるか否かを判定する(S1603)。大当たりフラグがＯＮであれば(S1603でYES)、特別動作ステータスを「４」にセットする(S1604)。そして、遊技制御用マイコン８１は、時短フラグがＯＮか否かを判定し(S1605)、ＯＮでなければステップS1607に進むが、ＯＮであれば時短フラグをＯＦＦして(S1606)ステップS1607に進む。これにより、大当たり遊技の実行中は非時短状態に制御される。本形態では非時短状態時は常に低ベース状態であるので、大当たり遊技の実行中は低ベース状態に制御されることにもなる。
【０１５１】
次いで遊技制御用マイコン８１は、右打ちの報知をサブ制御基板９０に行わせるための右打ち指定コマンド（第１打方指定コマンドに相当）を所定の出力バッファにセットするとともに、右打ち表示器４５を点灯させる(S1607)。このようにするのは、大当たり遊技の実行により第２流路Ｒ２上に設けられた第１大入賞口３０が開放されるからである。その後、遊技制御用マイコン８１は、大当たり遊技を開始するべく、大当たりのオープニングコマンドをセットして(S1608)、大当たり遊技のオープニングを開始する(S1609)。ステップS1609に続いて、遊技制御用マイコン８１は、当選した大当たりの種類に応じた開放パターン（詳しくは図６を参照）をセットする(S1610)。このときに、特別遊技中の大入賞口の開放回数をカウントする大入賞口開放カウンタの値を、当選した大当たりの種類に応じた値にセットする。なお、開放パターンのセット（開放パターンに応じたデータのセット）は、ラウンド毎に行うようにしてもよい。
【０１５２】
一方、ステップS1603において大当たりフラグがＯＮでなければ(S1603でNO)、続いて小当たりフラグがＯＮであるか否かを判定する(S1611)。小当たりフラグがＯＮであれば(S1611でYES)、特別動作ステータスを「５」にセットする(S1612)。なお小当たりフラグがＯＮである場合には、時短フラグがＯＮであってもＯＦＦにはしない。
【０１５３】
次いで遊技制御用マイコン８１は、右打ちの報知をサブ制御基板９０に行わせるための右打ち指定コマンドを所定の出力バッファにセットするとともに、右打ち表示器４５を点灯させる(S1613)。このようにするのは、小当たり遊技の実行により第２流路Ｒ２上に設けられた第２大入賞口３５が開放されるからである。その後、遊技制御用マイコン８１は、小当たり遊技を開始するべく、小当たりのオープニングコマンドをセットして(S1614)、小当たり遊技のオープニングを開始する(S1615)。
【０１５４】
ステップS1613に続いて、遊技制御用マイコン８１は、当選した小当たりの種類に応じた開放パターン（詳しくは図６を参照）をセットする(S1616)。なおこのときに、大入賞口開放カウンタの値を、当選した小当たりの種類に応じた値にセットする。その後遊技制御用マイコン８１は、振分部材作動フラグをＯＮにして(S1617)、本処理を終える。振分部材作動フラグは、振分部材７１を作動させる期間であることを示すフラグである。つまり本形態では、振分部材７１の作動は小当たり遊技のオープニングとともに開始される。なお、振分部材の作動パターンについては後に詳述する。
【０１５５】
ステップS1611において小当たりフラグがＯＮでなければ(S1611でNO)、大当たり遊技も小当たり遊技も開始しないため、特別動作ステータスを「１」にセットして(S1618)、本処理を終える。
【０１５６】
［遊技状態管理処理］図２２に示すように、遊技状態管理処理(S1602)ではまず、時短フラグがＯＮか否か判定し(S1701)、ＯＮでなければ、ステップS1708に進む。一方、ＯＮであれば、時短状態中に実行した特別図柄変動（特図変動）の回数をカウントする時短カウンタの値を１ディクリメントするとともに(S1702)、時短カウンタの値が「０」か否か判定する(S1703)。なお、本パチンコ遊技機１では、時短状態への移行時には時短カウンタの値が「９９」にセットされるようになっている。この点については後述する。
【０１５７】
ステップS1703において「０」でなければ、ステップS1708に進む。これに対して、「０」であれば、時短フラグをＯＦＦするとともに(S1704)、第２特図保留（特２保留ともいう）があるか否か、つまり特図２保留球数が「０」であるか否かを判定する(S1705)。特図２保留球数が「０」でなければ(S1705でYES)、特２保留ありフラグをＯＮして(S1706)、ステップS1708に進む。特２保留ありフラグは、通常遊技状態への制御が開始されたが特図２保留球数が「０」ではないことを示すフラグである。
【０１５８】
一方、特図２保留球数が「０」であれば(S1705でNO)、左打ちの報知をサブ制御基板９０に行わせるための左打ち指定コマンド（第２打方指定コマンドに相当）を所定の出力バッファにセットするとともに、右打ち表示器４５を消灯させ(S1707)、ステップS1708に進む。このようにするのは、時短状態の終了とともに遊技者に対して左打ちでの遊技を促すためである。なお左打ち指定コマンドのセット後にステップS1613の処理を行って右打ち指定コマンドをセットした場合には、左打ち指定コマンドを送信せず、右打ち指定コマンドを送信するよう構成されている。
【０１５９】
ステップS1708では、特２保留ありフラグがＯＮか否かを判定する。ＯＮでなければ本処理を終えるが、ＯＮであれば、続いて第２特図保留があるか否か、つまり特図２保留球数が「０」であるか否かを判定する(S1709)。そして特図２保留球数が「０」でなければ(S1709でNO)、本処理を終える。これに対して、特図２保留球数が「０」であれば(S1709でYES)、時短状態の終了時（通常遊技状態への制御開始時）に残っていた第２特図保留に基づく特別図柄の変動が終了しているため、ステップS1707と同様、左打ち指定コマンドを所定の出力バッファにセットするとともに、右打ち表示器４５を消灯させる(S1710)。このようにするのは、時短状態の終了時や大当たり遊技の終了時に残っていた全ての第２特図保留に基づく処理の終了とともに、遊技者に対して左打ちでの遊技を促すためである。その後遊技制御用マイコン８１は、特２保留ありフラグをＯＦＦして(S1711)、本処理を終える。
【０１６０】
［特別電動役物処理１（大当たり遊技）］特別電動役物処理１は、１種大当たり遊技や２種大当たり遊技といった大当たり遊技（第２特別遊技）の実行のための処理である。図２３に示すように、特別電動役物処理１(S908)ではまず、大当たり終了フラグがＯＮであるか否かを判定する(S2001)。大当たり終了フラグは、当選した大当たり遊技において第１大入賞装置３１の開放が全て終了したことを示すフラグである。
【０１６１】
大当たり終了フラグがＯＮでなければ(S2001でNO)、第１大入賞口３０の開放中か否か（すなわち第１大入賞装置３１の開放中か否か）を判定する(S2002)。開放中でなければ(S2002でNO)、第１大入賞口３０を開放させる時間に至ったか否か、すなわち大当たりのオープニングの時間が経過して第１大入賞口３０の開放を開始する時間に至ったか、又は、開放間のインターバルの時間が経過して次の開放を開始する時間に至ったか否かを判定する(S2003)。
【０１６２】
ステップS2003の判定結果がNOであれば、そのまま処理を終える。一方、ステップS2003の判定結果がYESであれば、セットされている開放パターンに従って第１大入賞口３０を開放させる（S2004）。
【０１６３】
続くステップS2205では、ラウンド指定コマンド送信判定処理を行う。ラウンド指定コマンド送信判定処理(S2205)では、ステップS2204での大入賞口の開放がラウンド遊技１回の中での初めての開放か否かを判定し、そうであれば、実行中の大当たり遊技のラウンド数の情報を含むラウンド指定コマンド（図６参照）を、ＲＡＭ８４の出力バッファにセットする。なお本形態では、１回のラウンド遊技中に複数回の大入賞口の開放がなされることはない。そのため、このステップS2205では、必ずラウンド指定コマンドがセットされることとなる。
【０１６４】
ステップS2002において第１大入賞口３０の開放中であれば(S2002でYES)、そのラウンド遊技における第１大入賞口３０への入賞個数が規定の最大入賞個数（本形態では８個）に達しているか否かを判定する(S2006)。規定入賞個数に達していなければ(S2006でNO)、第１大入賞口３０を閉鎖させる時間に至ったか否か（すなわち第１大入賞口３０を開放してから所定の開放時間（図６参照）が経過したか否か）を判定する(S2007)。そして、第１大入賞口３０の開放時間が経過していなければ(S2007でNO)、本処理を終える。
【０１６５】
これに対して、規定入賞個数に達している場合(S2006でYES)又は第１大入賞口３０の開放時間が経過した場合(S2007でYES)、すなわち２つの開放終了条件のうちのいずれかが満たされている場合には、第１大入賞口３０を閉鎖（閉塞）する(S2008)。そして、大入賞口開放カウンタの値を１ディクリメントし(S2009)、大入賞口開放カウンタの値が「０」であるか否か判定する(S2010)。「０」でなければ(S2010でNO)、次の開放を開始するためにそのまま処理を終える。
【０１６６】
一方「０」であれば(S2010でYES)、大当たり遊技を終了させるべく、大当たりのエンディングコマンドをセットするとともに(S2011)、大当たりのエンディングを開始する(S2012)。そして、大当たり終了フラグをセットして処理を終える(S2013)。
【０１６７】
またステップS2001において大当たり終了フラグがＯＮであれば(S2001でYES)、大当たり遊技における第１大入賞口３０の開放が全て終了しているので、大当たりのエンディングの時間が経過したか否かを判定し(S2014)、エンディング時間が経過していなければ(S2014でNO)処理を終える。一方、エンディング時間が経過していれば(S2014でYES)、大当たり終了フラグをＯＦＦするとともに(S2015)、大当たりフラグをＯＦＦする(S2016)。そして、特別動作ステータスを「１」にセットした後(S2017)、後述の遊技状態設定処理(S2018)を行って、本処理を終える。
【０１６８】
［遊技状態設定処理］図２４に示すように、遊技状態設定処理(S2018)ではまず、今回実行した大当たり遊技が時短当たり（すなわち「４Ｒ時短大当たり」、「１６Ｒ時短小当たりＡ」、「１６Ｒ時短小当たりＢ」、「１５Ｒ時短大当たり」、又は「１６Ｒ時短小当たりＣ」）への当選を契機として実行された大当たり遊技であるか否か判定する(S2101)。ステップS2101の判定結果がYESであれば、時短フラグをＯＮするとともに(S2102)、時短カウンタに「９９」をセットして(S2103)、本処理を終える。これにより、今回の大当たり遊技後の遊技状態が時短状態且つ高ベース状態（特典遊技状態）になる。この特典遊技状態は、特別図柄の変動表示が９９回行われること、又は次の大当たりに当選することのいずれかの条件の成立により終了する。
【０１６９】
これに対して、ステップS2101の判定結果がNOであれば、ステップS2102及びS2103を行わず、ステップS2104に進む。これにより、今回の大当たり遊技後の遊技状態が非時短状態且つ低ベース状態（通常遊技状態）になる。ステップS2104では、第２特図保留があるか否か、すなわち特図２保留球数が「０」であるか否かを判定する。そして特図２保留球数が「０」でなければ(S2104でYES)、特２保留ありフラグをＯＮして(S2105)、本処理を終える。一方、特図２保留球数が「０」であれば(S2104でNO)、左打ちの報知をサブ制御基板９０に行わせるための左打ち指定コマンドを所定の出力バッファにセットするとともに、右打ち表示器４５を消灯させて(S2106)、本処理を終える。このようにするのは、大当たり遊技の終了とともに遊技者に対して左打ちでの遊技を促すためである。
【０１７０】
［特別電動役物処理２（小当たり遊技）］特別電動役物処理２は、特定領域３９を備えた第２大入賞装置３６を開放させる小当たり遊技（第１特別遊技）の実行のための処理である。図２５及び図２６に示すように、特別電動役物処理２(S909)ではまず、小当たり終了フラグがＯＮであるか否かを判定する(S2301)。小当たり終了フラグは、小当たり遊技において第２大入賞装置３６の開放が終了したことを示すフラグである。
【０１７１】
小当たり終了フラグがＯＮでなければ(S2301でNO)、第２大入賞口３５の開放中か否か（すなわち第２大入賞装置３６の開放中か否か）を判定する(S2302)。開放中でなければ(S2302でNO)、第２大入賞口３５を開放させる時間に至ったか否か、すなわち所定の開放前インターバル（小当たりのオープニング）の時間が経過して第２大入賞口３５の開放を開始する時間に至ったか否かを判定する(S2303)。
【０１７２】
ステップS2303の判定結果がNOであれば、そのまま処理を終える。一方、ステップS2303の判定結果がYESであれば、当選している小当たりの種類に応じた開放パターン（図６参照）に従って第２大入賞口３５を開放させる（S2304）。
【０１７３】
ステップS2302において第２大入賞口３５の開放中であれば(S2302でYES)、第２大入賞口３５への入賞個数が規定の最大入賞個数（本形態では８個）に達しているか否かを判定する(S2305)。規定入賞個数に達していなければ(S2305でNO)、第２大入賞口３５を閉鎖させる時間に至ったか否か（すなわち第２大入賞口３５を開放してから所定の開放時間（図６に示すように本形態では１．６秒）が経過したか否か）を判定する(S2306)。そして、第２大入賞口３５の開放時間が経過していなければ(S2306でNO)、本処理を終える。
【０１７４】
これに対して、規定入賞個数に達している場合(S2305でYES)又は第２大入賞口３５の開放時間が経過した場合(S2306でYES)、すなわち２つの開放終了条件のうちのいずれかが満たされている場合には、第２大入賞口３５を閉鎖（閉塞）する(S2307)。そして、大入賞口開放カウンタの値を１ディクリメントするとともに(S2308)、小当たり終了フラグをセットして(S2309)、本処理を終える。
【０１７５】
またステップS2301において小当たり終了フラグがＯＮであれば(S2301でYES)、図２６に示すように、小当たり遊技における第２大入賞口３５の閉鎖後の所定時間（閉鎖後インターバルの時間）が経過したか否かを判定し(S2310)、閉鎖後インターバルの時間が経過していなければ(S2310でNO)処理を終える。なお、小当たり遊技の閉鎖後インターバルの時間については後述する。一方、閉鎖後インターバルの時間が経過していれば(S2310でYES)、小当たり終了フラグをＯＦＦするとともに(S2311)、小当たりフラグをＯＦＦして(S2312)、ステップS2313に進む。
【０１７６】
ステップS2313では、ＶフラグがＯＮか否かを判定する。Ｖフラグは、小当たり遊技の実行中に特定領域３９への遊技球の通過があったことを示すフラグであり、後述するステップS2603（図２８参照）でＯＮされるフラグである。このＶフラグがＯＮでなければ(S2313でNO)、２種大当たり遊技を実行しないため、大入賞口開放カウンタの当たりを「０」にクリアするとともに(S2314)、特別動作ステータスを「１」にセットして(S2315)、ステップS2316に進む。
【０１７７】
そしてステップS2316では、時短フラグがＯＮであるか否かを判定する。ＯＮであれば、本処理を終えるが、ＯＮでなければ、続いて第２特図保留があるか否か、すなわち特図２保留球数が「０」であるか否かを判定する(S2317)。そして特図２保留球数が「０」でなければ(S2317でYES)、本処理を終えるが、「０」であれば(S2317でNO)、左打ちの報知をサブ制御基板９０に行わせるための左打ち指定コマンドを所定の出力バッファにセットするとともに、右打ち表示器４５を消灯させて(S2318)、本処理を終える。このようにするのは、小当たり遊技が終了して、特図２保留球数が「０」の状態で通常遊技状態での遊技が開始されるのに伴って、遊技者に対して左打ちでの遊技を促すためである。
【０１７８】
一方ステップS2313においてＶフラグがＯＮであれば(S2313でYES)、２種大当たり遊技を実行するため、遊技制御用マイコン８１は、ＶフラグをＯＦＦするとともに(S2319)、大当たりフラグをＯＮして(S2320)、特別動作ステータスを「４」にセットする(S2321)。続いて、時短フラグがＯＮであれば(S2322でYES)時短フラグをＯＦＦする(S2323)。そして、大当たりのオープニングコマンドをセットするとともに(S2324)、大当たりのオープニングを開始する(S2325)。これにより、第２大入賞口３５を短時間にわたって開放する小当たり遊技から２種大当たり遊技に移行する。
【０１７９】
［振分部材制御処理］遊技制御用マイコン８１は、特別動作処理(S106)に次いで振分部材制御処理(S107)を行う（図１２参照）。振分部材制御処理(S107)では図２７に示すように、まず、振分部材作動フラグがＯＮか否かを判定する(S2501)。振分部材作動フラグがＯＮでなければ本処理を終える。一方、振分部材作動フラグがＯＮであれば、小当たり遊技のオープニングが開始しているため（図２１参照）、振分部材７１を所定の作動パターンにて作動させるべく振分部材作動処理(S2502)を行うとともに、Ｖ有効期間設定処理(S2503)を行う。
【０１８０】
振分部材作動処理(S2502)では、振分部材７１の作動時間を計測するためのタイマをセットし、そのタイマを用いた計時に基づいて、振分部材７１の開放タイミングになったら振分部材ソレノイド７３をＯＮし、振分部材７１の閉鎖タイミングになったら振分部材ソレノイド７３をＯＦＦする。これにより、振分部材７１は、小当たり遊技のオープニングの開始から一定の動作で動くこととなる。
【０１８１】
具体的には図４２（ｃ）に示すように、振分部材７１をまず、小当たり遊技のオープニングの開始から８ｍｓにわたって通過阻止状態（図２に破線で示す状態）に制御する。これを開放前インターバルという。続いて、４６００ｍｓにわたって通過許容状態（図２に二点鎖線で示す状態）に制御する。これを、第１Ｖ開放という。次いで、１６３９２ｍｓにわたって通過阻止状態に制御する。これを、開放間インターバルという。その後、再び４６００ｍｓにわたって通過許容状態に制御する。これを第２Ｖ開放という。そして、３０００ｍｓにわたって通過阻止状態に制御する。これを閉鎖後インターバルという。このような「開放前インターバル⇒第１Ｖ開放⇒開放間インターバル⇒第２Ｖ開放⇒閉鎖後インターバル」からなる一連の動作が、振分部材７１の一定動作である。
【０１８２】
また、Ｖ有効期間設定処理(S2503)では、上記のような振分部材７１の一定動作に対してＶ有効期間を設定する。Ｖ有効期間とは、特定領域センサ３９ａによる検知があった場合にその検知を有効なものとみてＶフラグをＯＮにする期間である。図４２（ｄ）に示すように、Ｖ有効期間は、特定領域３９の開放開始（振分部材７１を通過許容状態に制御した時点）から所定の時間が経過するまでである。所定の時間は、特定領域３９の開放時間（振分部材７１を通過許容状態に制御している時間）よりも長い時間に設定されている。これは、振分部材７１の配置位置を通過した遊技球が特定領域３９に至るまでのタイムラグを考慮してのことである。
【０１８３】
具体的にはＶ有効期間設定処理(S2503)では、Ｖ有効期間を計測するためのタイマをセットし、そのタイマを用いた計時に基づいて、特定領域３９を有効にするタイミングになったらＶ有効フラグをＯＮし、特定領域３９を無効にするタイミングになったらＶ有効フラグをＯＦＦする。なお、後述する特定領域センサ検出処理(S108)のステップS2602では、このＶ有効フラグがＯＮか否かを判断することにより、Ｖ有効期間中か否かを判定する。
【０１８４】
Ｖ有効期間設定処理(S2503)に続いて遊技制御用マイコン８１は、振分部材７１の動作が終了したか否かを判定する(S2504)。具体的には、ステップS2502でセットした振分部材７１の作動時間を計測するためのタイマに基づいて、振分部材７１が一定動作を開始してから終了するまでの総作動時間（２８６００ｍｓ（図４２（ｃ）参照））が経過したか否かを判定する。そして、振分部材７１の動作が終了していなければそのまま本処理を終える。これに対して、振分部材７１の動作が終了していれば、振分部材作動フラグをＯＦＦしてから(S2505)本処理を終える。
【０１８５】
ここで図４２に基づいて、上記のような振分部材７１の一定動作と、小当たり遊技における第２大入賞口３５（開閉部材３７）の開放パターンとの関係について説明する。本形態では、小当たり遊技における第２大入賞口３５の開放パターンとして、図４２（ｂ），（ｅ），及び（ｆ）に示す３つの開放パターンがある。なお、図４２（ａ）は、小当たり遊技の開始のタイミングをわかりやすくするために、特別図柄の変動表示および停止表示のタイミングを示したものである。
【０１８６】
図４２（ｂ）に示す開放パターンは、特図２の抽選にて小当たりに当選した場合に選択される開放パターンである。つまり、「１６Ｒ時短小当たりＣ」又は「１６Ｒ通常小当たり」（図６参照）に当選した場合に選択される開放パターンである。この開放パターンは、特定領域３９への通過が可能な通過開放パターン（第１通過開放パターン）である。
【０１８７】
より詳細には、この第１通過開放パターンは、８ｍｓにわたって第２大入賞口３５を閉塞した後に１６００ｍｓにわたって第２大入賞口３５を開放し、その後、６０００ｍｓにわたって第２大入賞口３５を閉塞する開放パターンである。言い換えれば、この開放パターンにて実行される小当たり遊技は、８ｍｓにわたって第２大入賞口３５が閉塞されるオープニングと、１６００ｍｓにわたって第２大入賞口３５が開放される小当たり開放遊技と、６０００ｍｓにわたって第２大入賞口３５が閉塞される閉鎖後インターバルとを含んでいる。
【０１８８】
このような開放パターンで第２大入賞口３５が開放された場合、１６００ｍｓにわたる第２大入賞口３５の開放期間中および第２大入賞口３５の閉鎖後の３０００ｍｓの期間中は、振分部材７１の第１Ｖ開放にあたり、振分部材７１が通過許容状態をとっている（図４２（ｂ）及び（ｃ）参照）。従って、どのような入賞タイミングで第２大入賞口３５へ遊技球が入賞したとしても、その遊技球は特定領域３９を通過することが可能である。なお本形態では、右打ちにて遊技球を連続的に発射し続けていれば、１．６秒にわたる開放期間中に必ず第２大入賞口３５へ遊技球が入賞するように、第２大入賞装置３６等の各装置が配されている。また、第２大入賞口３５を通過した遊技球が振分部材７１の配置位置に至るまでの所要時間は３０００ｍｓよりも短い。
【０１８９】
図４２（ｅ）に示す開放パターンは、特図１の抽選にて「１６Ｒ時短小当たりＢ」（図６参照）に当選した場合に選択される開放パターンである。この開放パターンも、特定領域３９への通過が可能な通過開放パターン（第２通過開放パターン）である。この第２通過開放パターンと、上述の第１通過開放パターンとはオープニングの時間が異なっている。
【０１９０】
より詳細には、この第２通過開放パターンは、２１０００ｍｓにわたって第２大入賞口３５を閉塞した後に１６００ｍｓにわたって第２大入賞口３５を開放し、その後、６０００ｍｓにわたって第２大入賞口３５を閉塞する開放パターンである。言い換えれば、この開放パターンにて実行される小当たり遊技は、２１０００ｍｓにわたって第２大入賞口３５が閉塞されるオープニングと、１６００ｍｓにわたって第２大入賞口３５が開放される小当たり開放遊技と、６０００ｍｓにわたって第２大入賞口３５が閉塞される閉鎖後インターバルとを含んでいる。
【０１９１】
このような開放パターンで第２大入賞口３５が開放された場合、１６００ｍｓにわたる第２大入賞口３５の開放期間中および第２大入賞口３５の閉鎖後の３０００ｍｓの期間中は、振分部材７１の第２Ｖ開放にあたり、振分部材７１が通過許容状態をとっている（図４２（ｅ）及び（ｃ）参照）。従って、どのような入賞タイミングで第２大入賞口３５へ遊技球が入賞したとしても、その遊技球は特定領域３９を通過することが可能である。
【０１９２】
図４２（ｆ）に示す開放パターンは、特図１の抽選にて「１６Ｒ時短小当たりＡ」（図６参照）に当選した場合に選択される開放パターンである。この開放パターンは、特定領域３９への通過が実質的に不可能な非通過開放パターンである。
【０１９３】
より詳細には、この非通過開放パターンは、４５６８ｍｓにわたって第２大入賞口３５を閉塞した後に１６００ｍｓにわたって第２大入賞口３５を開放し、その後、２００８ｍｓにわたって第２大入賞口３５を閉塞する開放パターンである。言い換えれば、この開放パターンにて実行される小当たり遊技は、４５６８ｍｓにわたって第２大入賞口３５が閉塞されるオープニングと、１６００ｍｓにわたって第２大入賞口３５が開放される小当たり開放遊技と、２００８ｍｓにわたって第２大入賞口３５が閉塞される閉鎖後インターバルとを含んでいる。
【０１９４】
このような開放パターンで第２大入賞口３５が開放された場合、オープニング中に振分部材７１の第１Ｖ開放がほぼ終了する（図４２（ｆ）及び（ｃ）参照）。振分部材７１の第１Ｖ開放と、第２大入賞口３５の開放とが一致している期間は、第２大入賞口３５の開放開始直後のわずか４０ｍｓだけである。従って、仮に第２大入賞口３５の開放開始とともに遊技球が入球しても、その遊技球が振分部材７１の位置に到達する頃には振分部材７１は通過阻止状態に制御されている。よって、この開放パターンが選択された場合には、遊技球が特定領域３９を通過することはほぼない。つまり、遊技球が特定領域３９を通過することは実質的に不可能となっている。
【０１９５】
以上、図４２に基づいて説明したように、本形態では小当たり遊技のオープニングの開始に伴って振分部材７１の動作を開始するようにしている。そして、小当たりの種類に応じた３つの開放パターンのいずれかにて小当たり遊技が実行される。各開放パターンは、オープニングの時間が異なっている。従って、それぞれの開放パターンでは、振分部材７１の変位タイミングに対する第２大入賞口３５の開放タイミングが異なることとなる。かくして、第２大入賞口３５への入賞タイミングにかかわらず特定領域３９を通過可能な小当たり遊技（図４２（ｂ）の特２Ｖ通過小当たり及び図４２（ｅ）の特１Ｖ通過小当たり）と、どのようなタイミングで第２大入賞口３５に入賞しても特定領域３９を通過することができない小当たり遊技（図４２（ｆ）の特１Ｖ非通過小当たり）とを実行することが可能となっている。
【０１９６】
なお、仮に第２大入賞口３５の開放開始から振分部材７１の一定動作を開始することとした場合には、通過開放パターンと非通過開放パターンとを設けようとすると、第２大入賞口３５の開放時間が４秒程度以上は必要となる。例えば、図４３（ｃ）に示すように振分部材を動作させ、これに対して、図４３（ａ）に示すように第２大入賞口を開放させることで通過開放パターンとし、図４３（ｂ）に示すように第２大入賞口を開放させることで非通過開放パターンとするといった具合である。これでは、図４３（ａ）に示すように通過開放パターンにおける第２大入賞口の開放時間を長く設定する必要が生じ、本形態のような１．６秒という短時間の開放とした場合に両方の開放パターンを設けることができない。そこで本形態では、小当たり遊技のオープニングの開始から振分部材７１の一定動作を開始することとしている（図４２参照）。このようにすれば、１．６秒という短時間の開放であっても、通過開放パターンと非通過開放パターンとの両方を設けることが可能となる。
【０１９７】
また本形態では、小当たり遊技中は、第２大入賞装置３６内に入球した遊技球の数を第２大入賞口センサ３５ａによる検知に基づいてカウントしているとともに、第２大入賞装置３６外へ排出された遊技球の数を特定領域センサ３９ａ又は非特定領域センサ７０ａによる検知に基づいてカウントしている。つまり本形態では、特定領域センサ３９ａ及び非特定領域センサ７０ａは、第２大入賞装置３６外へ排出された遊技球の数をカウントする排出口センサとしても機能している。そして、振分部材７１の一定動作の終了時点で、両カウント値が一致していないときにはエラー報知を行うようにしている。なお第２大入賞口３５の閉鎖後、両カウント値が一致したときに振分部材７１の作動を停止するようにしてもよい。このようにすれば、第２大入賞口３５の閉鎖後に特別図柄の変動表示をスムーズに開始することが可能となる。
【０１９８】
［特定領域センサ検出処理］遊技制御用マイコン８１の動作の説明に戻る。遊技制御用マイコン８１は、振分部材制御処理(S107)に次いで特定領域センサ検出処理(S108)を行う（図１２参照）。特定領域センサ検出処理(S108)では図２８に示すように、まず、特定領域センサ３９ａによる遊技球の検知があったか否かを判定する(S2601)。検知がなければ(S2601でNO)処理を終了するが、検知があれば(S2601でYES)Ｖ有効期間中か否かを判定する(S2602)。Ｖ有効期間は、前述の振分部材制御処理（図２７）におけるＶ有効期間設定処理(S2503)にて設定される期間である。具体的にはＶ有効期間は、図４２（ｄ）に示す期間である。
【０１９９】
ステップS2602でＶ有効期間中であると判定した場合には(S2602でYES)、ＶフラグをＯＮするとともに(S2603)、Ｖ通過コマンドをセットして(S2604)処理を終える。一方、ステップS2602でＶ有効期間中でないと判定した場合には(S2602でNO)、ステップS2603及びS2604の処理を行うことなく、特定領域センサ検出処理を終える。なお、Ｖ通過コマンドは、サブ制御基板９０にＶ通過（特定領域３９の通過）の報知を行わせるためのコマンドである。
【０２００】
６．演出制御用マイコン９１の動作
［サブ制御メイン処理］次に図２９〜図４１に基づいて演出制御用マイコン９１の動作について説明する。なお、演出制御用マイコン９１の動作説明にて登場するカウンタ、タイマ、フラグ、ステータス、バッファ等は、ＲＡＭ９４に設けられている。サブ制御基板９０に備えられた演出制御用マイコン９１は、パチンコ遊技機１の電源がオンされると、ＲＯＭ９３から図２９に示したサブ制御メイン処理のプログラムを読み出して実行する。同図に示すように、サブ制御メイン処理では、まずＣＰＵ初期化処理を行う（S4001）。ＣＰＵ初期化処理（S4001）では、スタックの設定、定数設定、ＣＰＵ９２の設定、ＳＩＯ、ＰＩＯ、ＣＴＣ（割り込み時間の管理のための回路）等の設定等を行う。
【０２０１】
続いて、電源断信号がＯＮで且つＲＡＭ９４の内容が正常であるか否かを判定する(S4002)。そしてこの判定結果がNOであれば、ＲＡＭ９４の初期化をして(S4003)、ステップS4004に進む。一方、判定結果がYESであれば(S4002でYES)、ＲＡＭ９４の初期化をせずにステップS4004に進む。すなわち、電源断信号がＯＮでない場合、又は電源断信号がＯＮであってもＲＡＭ９４内容が正常でない場合には(S4002でNO)、ＲＡＭ９４を初期化するが、停電などで電源断信号がＯＮとなったがＲＡＭ９４内容が正常に保たれている場合には(S4002でYES)、ＲＡＭ９４を初期化しない。なお、ＲＡＭ９４を初期化すれば、各種のフラグ、ステータス及びカウンタ等の値はリセットされる。また、このステップS4001〜S4003は、電源投入後に一度だけ実行され、それ以降は実行されない。
【０２０２】
ステップS4004では、割り込みを禁止する。次いで、乱数シード更新処理を実行する(S4005)。乱数シード更新処理(S4005)では、種々の演出決定用乱数カウンタの値を更新する。なお、演出決定用乱数には、演出図柄を決定するための演出図柄決定用乱数、変動演出パターンを決定するための変動演出パターン決定用乱数、種々の予告演出を決定するための予告演出決定用乱数等がある。乱数の更新方法は、前述の主制御基板８０が行う乱数更新処理と同様の方法をとることができる。更新に際して乱数値を１ずつ加算するのではなく、２ずつ加算するなどしてもよい。これは、前述の主制御基板８０が行う乱数更新処理においても同様である。
【０２０３】
乱数シード更新処理(S4005)が終了すると、コマンド送信処理を実行する(S4006)。コマンド送信処理では、サブ制御基板９０のＲＡＭ９４内の出力バッファに格納されている各種のコマンドを、画像制御基板１００に送信する。コマンドを受信した画像制御基板１００は、コマンドに従い画像表示装置７を用いて各種の演出（演出図柄変動演出や、大当たり遊技に伴うオープニング演出、ラウンド演出（開放遊技演出）、エンディング演出や、小当たり演出等）を実行する。なお、画像制御基板１００による各種の演出の実行に伴ってサブ制御基板９０は、音声制御基板１０６を介してスピーカ６７から音声を出力したり、ランプ制御基板１０７を介して盤ランプ５や枠ランプ６６、第２の表示器類４６を発光させたり、装飾可動体１５を駆動させたりする。演出制御用マイコン９１は続いて、割り込みを許可する(S4007)。以降、ステップS4004〜S4007をループさせる。割り込み許可中においては、受信割り込み処理(S4008)、１ｍｓタイマ割り込み処理(S4009)、および１０ｍｓタイマ割り込み処理(S4010)の実行が可能となる。
【０２０４】
[受信割り込み処理]受信割り込み処理(S4008)では、図３０に示すように、ストローブ信号（ＳＴＢ信号）がＯＮか否か、すなわち主制御基板８０から送られたストローブ信号が演出制御用マイコン９１の外部ＩＮＴ入力部に入力されたか否かを判定する(S4101)。そして、ストローブ信号がＯＮでなければ処理を終え、ＯＮであれば主制御基板８０から送信されてきた各種のコマンドをＲＡＭ９４の受信バッファに格納する(S4102)。この受信割り込み処理は、他の割り込み処理(S4009、S4010)に優先して実行される処理である。
【０２０５】
［１ｍｓタイマ割り込み処理］１ｍｓタイマ割り込み処理(S4009)は、サブ制御基板９０に１ｍｓｅｃ周期の割り込みパルスが入力される度に実行される。図３１に示すように、１ｍｓタイマ割り込み処理(S4009)ではまず、入力処理(S4201)を行う。入力処理(S4201)では、演出ボタン検出スイッチ６３ａ（図５参照）からの検知信号に基づいてスイッチデータ（エッジデータ及びレベルデータ）を作成する。
【０２０６】
続いて、ランプデータ出力処理(S4202)を行う。ランプデータ出力処理(S4202)では、演出に合うタイミングで盤ランプ５や枠ランプ６６、第２の表示器類４６を発光させるべく、後述の１０ｍｓタイマ割り込み処理にて作成したランプデータをランプ制御基板１０７に出力する。つまり、ランプデータに従って盤ランプ５や枠ランプ６６、第２の表示器類４６を所定の発光態様で発光させる。
【０２０７】
次いで、駆動制御処理(S4203)を行う。駆動制御処理(S4203)では、演出に合うタイミングで装飾可動体１５を駆動させるべく、駆動データ（装飾可動体１５の駆動ためのデータ）を作成したり、出力したりする。つまり、駆動データに従って、装飾可動体１５を所定の動作態様で駆動させる。
【０２０８】
そして、ウォッチドッグタイマのリセット設定を行うウォッチドッグタイマ処理(S4204)を行って、本処理を終える。
【０２０９】
［１０ｍｓタイマ割り込み処理］１０ｍｓタイマ割り込み処理(S4010)は、サブ制御基板９０に１０ｍｓｅｃ周期の割り込みパルスが入力される度に実行される。図３２に示すように、１０ｍｓタイマ割り込み処理(S4010)ではまず、後述する受信コマンド解析処理を行う(S4301)。次いで、１ｍｓタイマ割り込み処理で作成したスイッチデータを１０ｍｓタイマ割り込み処理用のスイッチデータとしてＲＡＭ９４に格納するスイッチ状態取得処理を行う(S4302)。続いて、スイッチ状態取得処理にて格納したスイッチデータに基づいて表示画面７ａの表示内容等を設定するスイッチ処理を行う(S4303)。
【０２１０】
その後、演出制御用マイコン９１は、ランプデータ（盤ランプ５や枠ランプ６６の点灯を制御するデータ）を作成したり(S4304)、音声データ（スピーカ６７からの音声の出力を制御するデータ）の作成及び音声制御基板１０６への出力をしたりする(S4305)。そして、後述する右打ち画像表示処理(S4306)を行い、各種の演出決定用乱数を更新するなどのその他の処理を実行して(S4307)、本処理を終える。
【０２１１】
［受信コマンド解析処理］図３３に示すように、受信コマンド解析処理(S4301)ではまず、演出制御用マイコン９１は、主制御基板８０から保留増加コマンド（特図１保留増加コマンド又は特図２保留増加コマンド）を受信したか否か判定し(S4401)、受信していれば保留球数増加処理を行う(S4402)。保留球数増加処理(S4402)では、受信したコマンドが特図１保留増加コマンドであれば、ＲＡＭ９４に設けられた第１特図保留演出カウンタの値を１インクリメントする。また、受信したコマンドが特図２保留増加コマンドであれば、ＲＡＭ９４に設けられた第２特図保留演出カウンタの値を１インクリメントする。この処理と後述する保留球数減算処理(S4410)とにより、主制御基板８０側だけでなく、サブ制御基板９０側でも特図１保留球数及び特図２保留球数の情報を保持するようにしている。
【０２１２】
なお、第１特図保留演出カウンタは、ＲＡＭ８４の第１特図保留記憶部８５ａに記憶されている乱数値群（数値情報）の個数である第１特図保留の数を計数するカウンタである。また、第２特図保留演出カウンタは、ＲＡＭ８４の第２特図保留記憶部８５ｂに記憶されている乱数値群（数値情報）の個数である第２特図保留の数を計数するカウンタである。
【０２１３】
続いて、演出制御用マイコン９１は、主制御基板８０から変動開始コマンド（特図１変動開始コマンド又は特図２変動開始コマンド）を受信したか否か判定し(S4408)、受信していれば後述する変動演出開始処理を行うとともに(S4409)、保留球数減算処理を行う(S4410)。保留球数減算処理(S4410)では、受信したコマンドが特図１変動開始コマンドであれば、ＲＡＭ９４に設けられた第１特図保留演出カウンタの値を１ディクリメントする。また、受信したコマンドが特図２変動開始コマンドであれば、ＲＡＭ９４に設けられた第２特図保留演出カウンタの値を１ディクリメントする。
【０２１４】
続いて、演出制御用マイコン９１は、主制御基板８０から変動停止コマンドを受信したか否か判定し(S4411)、受信していれば後述する変動演出終了処理を行う(S4412)。
【０２１５】
続いて、演出制御用マイコン９１は、主制御基板８０からオープニングコマンドを受信したか否か判定し(S4413)、受信していれば後述するオープニング演出選択処理を行う(S4414)。
【０２１６】
続いて、演出制御用マイコン９１は、主制御基板８０からラウンド指定コマンドを受信したか否か判定し(S4415)、受信していれば後述するラウンド演出選択処理を行う(S4416)。
【０２１７】
続いて、演出制御用マイコン９１は、主制御基板８０からエンディングコマンドを受信したか否か判定し(S4417)、受信していれば後述するエンディング演出選択処理を行う(S4418)。
【０２１８】
続いて、演出制御用マイコン９１は、主制御基板８０からＶ通過コマンドを受信したか否か判定し(S4419)、受信していればＶ通過報知演出開始処理(S4420)を行う。Ｖ通過報知演出開始処理(S4420)では、Ｖ通過報知演出を開始するためのＶ通過報知演出開始コマンドをＲＡＭ９４の出力バッファにセットする。Ｖ通過報知演出とは、Ｖ通過（特定領域３９への通過）があったことを遊技者に報知するための演出である。本形態では、所定のＶ通過報知画像（例えば「Ｖ」の文字を示す文字画像）を表示画面７ａに表示する演出である。このＶ通過報知演出としての「Ｖ」の文字画像の表示は、特定領域３９への通過に基づいて大当たり遊技を実行する本パチンコ遊技機１では、大当たり当選報知としての意味をもつ。なお、Ｖ通過報知演出は、特別の効果音をスピーカ６７から出力するなど、他の態様であってもよい。
【０２１９】
続いて、演出制御用マイコン９１は、主制御基板８０から左打ち指定コマンドを受信したか否か判定し(S4421)、受信していなければステップS4424に進む。これに対して受信していれば、右打ちランプ４７（図３（Ｂ）参照）を消灯させるための右打ちランプ消灯データをセットする(S4422)。右打ちランプ４７の点灯中に、ステップS4422でセットされた右打ちランプ消灯データに基づいて上述のランプデータ出力処理(図３１のステップS4202)が実行されると、右打ちランプ４７は消灯する。
【０２２０】
続いて演出制御用マイコン９１は、左打ち画像表示処理（S4423）を行う。左打ち画像表示処理（S4423）では、所定の左打ち画像を表示画面７ａに表示するための左打ち画像表示コマンドを、ＲＡＭ９４の出力バッファにセットする。但し、特１Ｖ非通過小当たりの小当たり遊技の終了時であれば、左打ち画像表示コマンドをセットしない。特１Ｖ非通過小当たりの小当たり遊技中は、後述の右矢印画像ＲＩ（例えば図４７（ａ）参照）の表示がなされないからである。
【０２２１】
ステップS4423でセットされた左打ち画像表示コマンドがコマンド送信処理(S4006)により画像制御基板１００に送信されると、画像制御基板１００のＣＰＵ１０２は、所定の左打ち画像をＲＯＭ１０３から読み出して、画像表示装置７の表示画面７ａに表示する。このとき、後述の右矢印画像ＲＩの表示は終了する。本形態では左打ち画像は、図５０に示すように、左向きの矢印と「左打ち」の文字からなる左矢印画像ＬＩ１と、「左打ちに戻してください」の文字画像ＬＩ２とからなる。なお、左打ち画像の表示と共に、又は左打ち画像の表示に代えて、「左打ちに戻してください」の音声をスピーカ６７から出力するようにしてもよい。左打ち画像の表示等による左打ち報知は、「打方変更演出」や「打込変更報知」に相当する。
【０２２２】
続いて、演出制御用マイコン９１は、主制御基板８０から右打ち指定コマンドを受信したか否か判定し(S4424)、受信していなければステップS4427に進む。これに対して受信していれば、右打ちランプ４７（図３（Ｂ）参照）を点灯させるための右打ちランプ点灯データをセットする(S4425)。ステップS4425でセットされた右打ちランプ点灯データに基づいて上述のランプデータ出力処理(図３１のステップS4202)が実行されると、右打ちランプ４７は点灯する。
【０２２３】
続いて演出制御用マイコン９１は、右矢印画像表示処理（S4426）を行う。右矢印画像表示処理（S4426）では、所定の右矢印画像ＲＩ（例えば図４７（ａ）参照）を表示画面７ａに表示するための右矢印画像表示コマンドを、ＲＡＭ９４の出力バッファにセットする。但し、特１小当たり（特１Ｖ非通過小当たり及び特１Ｖ通過小当たり）の小当たり遊技の開始時であれば、右矢印画像表示コマンドをセットしない。特１Ｖ非通過小当たりの当選時には右矢印画像ＲＩの表示を行わず、特１Ｖ通過小当たりの当選時には、後述する右打ち画像表示処理(S4306，図４１)にて、右矢印画像ＲＩを含む所定の右打ち画像（図５１（ｂ）のＲＩ及びＮＩ）を表示するからである。
【０２２４】
ステップS4426でセットされた右矢印画像表示コマンドがコマンド送信処理(S4006)により画像制御基板１００に送信されると、画像制御基板１００のＣＰＵ１０２は、右向きの矢印と「右打ち」の文字からなる右矢印画像ＲＩを、画像表示装置７の表示画面７ａに表示する。右矢印画像ＲＩの表示による右打ち報知は、「打込報知」に相当する。本形態では、原則として、右矢印画像ＲＩの表示は、右打ち指定コマンドの受信時に開始され、左打ち指定コマンドの受信時に終了する。つまり、大当たり遊技中や特図２の抽選に基づく小当たり遊技中、時短状態且つ高ベース状態（特典遊技状態）中、第２特図保留がある状態で通常遊技状態に制御されたときには、右矢印画像ＲＩが表示されることとなる。なお、大当たり遊技中であってもエンディング中は表示しないようにしている。
【０２２５】
続いて、その他の処理(S4427)として上記のコマンド以外の受信コマンド（例えば普図変動開始コマンドや普図変動停止コマンド）に基づく処理を行って、受信コマンド解析処理を終える。
【０２２６】
［変動演出開始処理］図３４に示すように、変動演出開始処理(S4409)では、演出制御用マイコン９１は、後述する背景処理(S4801)および変動演出パターン選択処理(S4802)を行う。
【０２２７】
［背景処理］図３５に示すように、背景処理(S4801)ではまず、演出制御用マイコン９１は、背景データを参照する(S4901)。背景データとは、表示画面７ａに表示する背景画像を示すデータである。本形態では、背景画像として、図４４に示す４つの背景画像（「通常背景」、「特別背景」、「ラストチャンス背景」、及び「チャンス終了直後背景」）を表示することが可能となっている。
【０２２８】
「通常背景」は、図４５（ａ）に示す昼の背景である。また、「特別背景」は、図４５（ｂ）に示す夜の背景（月の演出画像あり、ラストチャンスの文字画像なし）である。また、「ラストチャンス背景」は、図４５（ｃ）に示す夜の背景（月の演出画像なし、ラストチャンスの文字画像あり）である。また、「チャンス終了直後背景」は、図４５（ｄ）に示す夜明けの背景である。図４５（ｂ）に示す夜の背景を第１夜背景とも称し、図４５（ｃ）に示す夜の背景を第２夜背景とも称する。
【０２２９】
なお、「通常背景」を表示する演出モードを「昼背景モード」という。また、「第１夜背景」を表示する演出モードを「第１夜背景モード」という。また、「第２夜背景」を表示する演出モードを「第２夜背景モード」という。また、「チャンス終了直後背景」を表示する演出モードを「夜明け背景モード」という。「第１夜背景モード」及び「第２夜背景モード」は、大当たり遊技を獲得し易い有利状態（言い換えれば大当たり遊技の実行され易さの点で遊技者に有利な有利状態）であることを示唆する「有利演出態様」に相当する。これに対して、「昼背景モード」及び「夜明け背景モード」は、有利状態よりも大当たり遊技を獲得し難い非有利状態であることを示唆する「非有利演出態様」に相当する。有利演出態様において表示画面７ａに表示される背景画像を「有利背景画像」とも称し、非有利演出態様において表示画面７ａに表示される背景画像を「非有利背景画像」とも称する。なお演出モードとは、本形態では画像表示装置７における演出の態様であり、演出モードが異なると、上述の通り背景画像が異なる等、画像表示装置７に表示される画像が異なり、変動演出も演出モードに応じた態様で実行される。
【０２３０】
各背景画像が表示されるシチュエーションは、図４４の備考欄に示す通りである。つまり本形態では、遊技開始時には「通常背景」に制御されており、大当たり遊技を経て特典遊技状態に制御されると「特別背景」に制御される。そして、大当たり遊技の終了後に通常遊技状態に制御される際に第２特図保留（特２保留）があれば「ラストチャンス背景」に制御され、特２保留がなければ「チャンス終了直後背景」に制御される。「チャンス終了直後背景」にて特別図柄の変動表示が２０回実行されると、再び「通常背景」に制御される。なお、各背景画像に対応する背景データの値、及び、各背景画像の表示時の遊技状態は、図４４に示す通りである。また、本形態では、大当たり当選時の滞在背景を参照することにより、後述する初当たりか否かの判定を行うこととしている（図４４の「初当たりｏｒ継続当たりの別」の欄参照）。
【０２３１】
図３５の背景処理では、ステップS4901で参照した背景データが通常背景の背景データであるか否か、すなわち現在の滞在背景が通常背景であるか否かを判定する(S4902)。通常背景であれば、本処理を終える。これに対して、通常背景でなければ、続いてＲＡＭ９４に設けた背景カウンタの値が「０」か否かを判定する(S4903)。背景カウンタとは、特定の背景（通常背景以外の背景）における特別図柄の変動表示の実行回数をカウントするためのカウンタである。本形態では、背景カウンタを用いたカウントにより、特定の背景への滞在期間を管理している。なお、背景カウンタの値は、「特別背景」への制御開始時に「９９」にセットされ、「ラストチャンス背景」への制御開始時に「１」にセットされ、「チャンス終了直後背景」への制御開始時に「２０」にセットされる。この点については後述する。
【０２３２】
ステップS4903において背景カウンタの値が「０」でなければ本処理を終える。これに対して、背景カウンタの値が「０」であれば(S4903でYES)、続いて特２保留（第２特図保留）があるか否かを判定する(S4904)。特２保留の有無の判定は、ＲＡＭ９４の第２特図保留演出カウンタの値に基づいて行う。なお以降の処理においても、演出制御用マイコン９１が特２保留の有無を確認する際には、第２特図保留演出カウンタの値が参照される。特２保留がなければ(S4904でYES)、滞在背景を通常背景にセットする、すなわち、背景データの値を通常背景の背景データの値（０１Ｈ、図４４参照）にセットする(S4905)。これは、遊技者に対して有利状態が終了したことを示すためである。これに対して、特２保留があれば(S4904でNO)、滞在背景をラストチャンス背景にセットする、すなわち、背景データの値をラストチャンス背景の背景データの値（０３Ｈ、図４４参照）にセットするとともに(S4906)、背景カウンタの値に「１」をセットする(S4907)。これは、遊技者に対して特典遊技状態の終了を示すためである。
【０２３３】
［変動演出パターン選択処理］図３６に示すように、変動演出パターン選択処理(S4802)ではまず、演出制御用マイコン９１は、変動開始コマンドを解析する（S5001）。変動開始コマンドには、特図２変動パターン選択処理（S1003）又は特図１変動パターン選択処理（S1009）でセットされた変動パターンの情報が含まれている。次に演出制御用マイコン９１は、背景データを参照する(S5002)。
【０２３４】
続いて演出制御用マイコン９１は、背景データ及び変動パターンに応じて設けられている複数の変動演出パターンテーブルの中から、ステップS5002で参照した背景データ及びステップS5001で解析した変動開始コマンドが示す変動パターンに対応する変動演出パターンテーブルを選択してセットする(S5003)。そして、このテーブルに基づいて変動演出パターンを選択する（S5004）。
【０２３５】
このとき演出決定用乱数の取得および判定も行う。これにより、いわゆるステップアップ予告演出やチャンスアップ予告演出などの予告演出の内容や、停止表示する演出図柄８Ｌ,８Ｃ,８Ｒの組み合わせなどを含めて、変動演出としてどのような演出を行うかが決定される。そして、選択した変動演出パターンにて変動演出を開始するための変動演出開始コマンドをＲＡＭ９４の出力バッファにセットする(S5005)。
【０２３６】
ステップS5005でセットされた変動演出開始コマンドがコマンド送信処理(S4006)により画像制御基板１００に送信されると、画像制御基板１００のＣＰＵ１０２は、所定の演出画像をＲＯＭ１０３から読み出して、画像表示装置７の表示画面７ａにて変動演出を行う。
【０２３７】
本形態では、背景データに応じた背景画像で変動演出が実行される。具体的には、背景データが「０１Ｈ」であれば、図４５（ａ）に示すように、背景画像として昼背景の画像を表示画面７ａに表示した上で変動演出を実行する。また、背景データが「０２Ｈ」であれば、図４５（ｂ）に示すように、背景画像として第１夜背景の画像を表示画面７ａに表示した上で変動演出を実行する。また、背景データが「０３Ｈ」であれば、図４５（ｃ）に示すように、背景画像として第２夜背景の画像を表示画面７ａに表示した上で変動演出を実行する。また、背景データが「０４Ｈ」であれば、図４５（ｄ）に示すように、背景画像として夜明け背景の画像を表示画面７ａに表示した上で変動演出を実行する。
【０２３８】
第１夜背景や第２夜背景の画像は、大当たりを獲得し易い状態であることを遊技者に対して報知する画像である。詳しく述べれば、第１夜背景の画像は、現在の遊技状態が時短状態且つ高ベース状態（特典遊技状態）であるときに表示される。また、第２夜背景の画像は、通常遊技状態（非時短状態且つ低ベース状態）であるがその通常遊技状態への移行時点で第２特図保留があったときに表示される。これらの場合は、第２特図保留に基づく小当たり当選から、Ｖ通過（Ｖ入賞）を経て大当たり遊技を実行させることが可能である。つまり、大当たりを獲得し易い状態といえる。
【０２３９】
これに対して昼背景や夜明け背景の画像は、大当たりを獲得し易い状態ではないことを遊技者に対して報知する画像である。詳しく述べれば、これらの画像は、現在の遊技状態が通常遊技状態（非時短状態且つ低ベース状態）であり第２特図保留もないときに表示される。大当たり遊技の終了時点で第２特図保留がなく通常遊技状態に制御された場合や、通常遊技状態において第２特図保留がなくなった場合には、特図１の抽選にて大当たりを獲得しなければならない。そのため、特図２の抽選のように容易に大当たりを獲得することはできない。つまり、第２特図保留のない通常遊技状態は、大当たりを獲得し易い状態ではない。
【０２４０】
図３６に戻り、ステップS5005に続いて演出制御用マイコン９１は、受信した変動開始コマンドに基づいて、特図２の小当たり変動（小当たり当選の判定結果に基づく変動）の開始時か否かを判定する(S5006)。ステップS5006の判定結果がＮＯであれば本処理を終える。一方、ステップS5006の判定結果がＹＥＳであればＶ打込指示演出を行うための演出コマンドを、ＲＡＭ９４の出力バッファにセットする(S5007)。
【０２４１】
ステップS5007でセットした演出コマンドがコマンド送信処理(S4006)により画像制御基板１００に送信されると、画像制御基板１００のＣＰＵ１０２は、Ｖ入賞（特定領域３９への通過）を促す演出画像をＲＯＭ１０３から読み出して、画像表示装置７の表示画面７ａに表示する。具体的には本形態では、Ｖ打込指示演出として、まず図４６（ａ）に示す「Ｖチャンススタート」の文字画像ＭＩを表示する。これにより、まもなく小当たり遊技が実行されることが遊技者に示唆される。この文字画像ＭＩの表示は第２示唆演出に相当する。なお第１示唆演出に相当する演出は、図４９に示すカウントダウン演出ＣＥである。この演出については後述する。
【０２４２】
Ｖ打込指示演出では、次いで図４６（ｂ）に示すＶ打込指示画像ＮＩを表示する。これにより、遊技者に対して第２大入賞装置３６（Ｖアタッカー）を狙って遊技球を打ち込むべき旨を報知する。このＶ打込指示画像ＮＩの表示は打込報知演出に相当する。なお、これらの画像（文字画像ＭＩやＶ打込指示画像ＮＩ）は、背景画像に重ねて表示する。このようなＶ打込指示演出を特図２の変動表示中の演出として行うことで、小当たり遊技の開始後に遊技者が慌てることなく確実にＶ入賞させることができるようにしている。このＶ打込指示演出は、通常遊技状態であっても特典遊技状態であっても実行される。
【０２４３】
ここで本形態では、打込報知演出として、Ｖ打込指示画像ＮＩの表示（打込指示表示）を行うだけでなく、スピーカ６７から所定の効果音（打込指示音）を出力するようにしている。つまり、本形態では、打込報知演出は、打込指示表示を行う表示演出と、打込指示音を出力する音出力演出とからなっている。これにより、表示画面７ａから目をそらしている遊技者に対しても確実にＶ入賞を促すことが可能となっている。なお打込指示音の出力は、具体的にはステップS5007の処理後に音声制御処理（図３２のステップS4305）を迎えたときに行う。
【０２４４】
［変動演出終了処理］図３７に示すように、変動演出終了処理(S4412)ではまず、演出制御用マイコン９１は、変動停止コマンドを解析するとともに(S5201)、背景データを参照する(S5202)。次に、背景データの値が「０１Ｈ」か否か、即ち滞在背景が通常背景（昼背景）か否かを判定する(S5203)。そして、滞在背景が通常背景であれば、ステップS5205に進む。
【０２４５】
一方、滞在背景が通常背景でなければ(S5203でNO)、背景カウンタの値を１ディクリメントしてから、ステップS5205に進む。ステップS5205では、演出制御用マイコン９１は、変動演出を終了させるための変動演出終了コマンドをセットする。
【０２４６】
［オープニング演出選択処理］図３８に示すオープニング演出選択処理(S4414)は、大当たり遊技のオープニング中に実行するオープニング演出、又は小当たり遊技中に実行する小当たり演出のパターン（内容）を選択する処理である。図３８に示すように、オープニング演出選択処理(S4414)ではまず、オープニングコマンドを解析する(S5501)。なお本形態では、オープニングコマンドには、大当たり又は小当たりへの当選判定時にセットされた特図停止図柄データ（図６参照）に関する情報が含まれている。
【０２４７】
続いて演出制御用マイコン９１は、解析したオープニングコマンドが小当たり遊技の開始を示すコマンドであるか否かを判定する(S5502)。小当たり遊技の開始を示すコマンドでなければ(S5502でNO)、大当たり遊技の開始時であるため、当選した大当たりの種別に応じた大当たりのオープニング演出（ＯＰ演出）を選択して(S5503)、ステップS5510に進む。
【０２４８】
これに対して、小当たり遊技の開始を示すコマンドであれば(S5502でYES)、続いて、特図１の抽選に基づいて当選した小当たりであるか否かを判定する(S5504)。特図１の抽選に基づく小当たり当選でなければ(S5504でNO)、特図２の抽選に基づく小当たり（図６に示す１６Ｒ時短小当たりＣ又は１６Ｒ通常小当たり）の演出（特２小当たり用演出）を選択して(S5505)、ステップS5510に進む。
【０２４９】
ステップS5504において特図１の抽選に基づく小当たり当選であれば(S5504でYES)、続いて、Ｖ通過可能な小当たりであるか否かを判定する(S5506)。すなわち、図６に示す「１６Ｒ時短小当たりＢ」であるか否かを判定する。Ｖ通過可能な小当たりでなければ(S5506でNO)、特図１の抽選に基づくＶ通過不可能な小当たり（１６Ｒ時短小当たりＡ）の演出（特１Ｖ非通過小当たり用演出）を選択して(S5507)、ステップS5510に進む。
【０２５０】
ステップS5506においてＶ通過可能な小当たりであれば(S5506でYES)、特図１の抽選に基づくＶ通過可能な小当たり（１６Ｒ時短小当たりＢ）の演出（特１Ｖ通過小当たり用演出）を選択するとともに(S5508)、右打ち表示タイマに４０００ｍｓをセットして(S5509)、ステップS5510に進む。右打ち表示タイマとは、１６Ｒ時短小当たりＢ（特１Ｖ通過小当たり）の小当たり遊技において、右打ち画像（図５１（ｂ）参照）の表示を開始するタイミングを計るためのタイマである。本形態では、小当たり遊技のオープニングから４０００ｍｓ経過したときに、右打ち画像の表示を行うようにしている。この点については後述する。
【０２５１】
ステップS5510では、上述した各処理にて選択した演出を開始するためのオープニング演出開始コマンドを、ＲＡＭ９４の出力バッファにセットする。
【０２５２】
ステップS5510でセットされたオープニング演出開始コマンドが、コマンド送信処理(S4006)により画像制御基板１００に送信されると、画像制御基板１００のＣＰＵ１０２は、オープニング演出開始コマンドに応じた演出画像をＲＯＭ１０３から読み出して、画像表示装置７の表示画面７ａに表示する。
【０２５３】
［ラウンド演出選択処理］図３９に示すラウンド演出選択処理(S4416)は、大当たり遊技のラウンド遊技中に実行するラウンド演出のパターン（内容）を選択する処理である。本形態では、大当たり遊技におけるラウンド遊技中にバトル演出を行う。バトル演出とは例えば、味方キャラクタが敵キャラクタとバトルを行い、勝敗を決する演出である。各大当たり遊技は、導入ラウンド（バトル前ラウンド）と、バトルラウンドと、バトル後ラウンドからなる。何ラウンド目のラウンド遊技が導入ラウンド、バトルラウンド、又はバトル後ラウンドに相当するかは、当たりの種別に応じて定められている。
【０２５４】
図３９に示すように、ラウンド演出選択処理(S4416)ではまず、ラウンド指定コマンドを解析する(S5601)。なお本形態では、ラウンド指定コマンドには、大当たり又は小当たりへの当選判定時にセットされた特図停止図柄データ（図６参照）に関する情報が含まれている。
【０２５５】
続いて演出制御用マイコン９１は、解析したラウンド指定コマンドが導入ラウンドを示すコマンドであるか否かを判定する(S5602)。導入ラウンドを示すコマンドであれば、ラウンド演出として導入演出を選択して(S5603)、ステップS5612に進む。
【０２５６】
導入ラウンドを示すコマンドでなければ(S5602でNO)、続いてバトルラウンドを示すコマンドであるか否かを判定する(S5604)。バトルラウンドを示すコマンドであれば、続いて、実行中の大当たり遊技が時短当たりへの当選に基づく大当たり遊技であるか否かを判定する(S5605)。時短当たりとは、「４Ｒ時短大当たり」、「１６Ｒ時短小当たりＡ」、「１６Ｒ時短小当たりＢ」、「１６Ｒ時短小当たりＣ」、又は「１５Ｒ時短大当たり」である。ステップS5605において時短当たりであれば、味方キャラクタがバトルに勝利するバトル演出を選択して(S5606)、ステップS5612に進む。この勝利のバトル演出により遊技者に対して、時短当たりへの当選（つまり大当たり遊技の終了後に特典遊技状態に移行する旨）が報知される。一方、ステップS5605において時短当たりでなければ、味方キャラクタがバトルに敗北するバトル演出を選択して(S5607)、ステップS5612に進む。この敗北のバトル演出により遊技者に対して非時短当たりへの当選が報知される。非時短当たりとは、「１５Ｒ通常大当たり」又は「１６Ｒ通常小当たり」である。
【０２５７】
ステップS5604においてバトルラウンドを示すコマンドでなければ、バトル後ラウンドであるため、続いて、実行中の大当たり遊技が時短当たりへの当選に基づく大当たり遊技であるか否かを判定する(S5608)。時短当たりへの当選に基づく大当たり遊技であれば、ラウンド演出として、チャンス突入示唆演出を選択して(S5609)、ステップS5612に進む。
【０２５８】
これに対して、時短当たりへの当選に基づく大当たり遊技でなければ(S5608でNO)、続いて、第２特図保留（特２保留）の有無を判定する(S5610)。第２特図保留があれば、当選した当たりの種別は時短当たりではないが、実行中の大当たり遊技の終了後も第２特図保留に基づいてＶ通過小当たりへの当選が可能である。よって、時短当たりであった場合と同様、チャンス突入示唆演出を選択して(S5609)、ステップS5612に進む。つまり、本形態では、チャンス突入示唆演出は、実行中の大当たり遊技の終了後に大当たり遊技を獲得し易い有利な状態となることを示唆する演出である。具体的には例えば、図４７（ａ）に示す流れている星の演出画像を表示する。なお、チャンス突入示唆演出は、第１開放遊技演出に相当する。
【０２５９】
一方、ステップS5610において第２特図保留がなければ、チャンス非突入示唆演出を選択して(S5611)、ステップS5612に進む。チャンス非突入示唆演出は、実行中の大当たり遊技の終了後に大当たり遊技を獲得し易い有利な状態とならないこと（非有利状態となること）を示唆する演出である。具体的には例えば、図４７（ｂ）に示す流れていない星の演出画像を表示する。なお、チャンス非突入示唆演出は、第２開放遊技演出に相当する。
【０２６０】
ステップS5612では、上述した各処理にて選択したラウンド演出を開始するためのラウンド演出開始コマンドを、ＲＡＭ９４の出力バッファにセットする。
【０２６１】
ステップS5612でセットされたラウンド演出開始コマンドが、コマンド送信処理(S4006)により画像制御基板１００に送信されると、画像制御基板１００のＣＰＵ１０２は、ラウンド演出開始コマンドに応じた演出画像をＲＯＭ１０３から読み出して、画像表示装置７の表示画面７ａに表示する。なお画像制御基板１００は、ラウンド遊技中は右矢印画像ＲＩを表示画面７ａに表示している（図４７参照）。
【０２６２】
［エンディング演出選択処理］図４０に示すエンディング演出選択処理(S4418)は、大当たり遊技のエンディング中に実行するエンディング演出のパターン（内容）を選択する処理である。図４０に示すように、エンディング演出選択処理(S4418)ではまず、エンディングコマンドを解析する(S5701)。なお本形態では、エンディングコマンドには、大当たり又は小当たりへの当選判定時にセットされた特図停止図柄データ（図６参照）に関する情報が含まれている。
【０２６３】
続いて演出制御用マイコン９１は、ステップS5701で解析したエンディングコマンドが示す当たり種別が時短当たりか否かを判定する(S5702)。ステップS5702で時短当たりであると判定した場合には(S5702でYES)、続いて、その時短当たりへの当選時の滞在背景が通常背景であるか否かを判定する(S5703)。つまり、所謂「初当たり」であるか否かを判定する（図４４参照）。当選時の滞在背景が通常背景であれば、「初当たり」であるため、第１エンディング演出の演出パターンを選択する(S5704)。第１エンディング演出は、図４８（ａ）に示す演出画像を表示画面７ａに表示する演出である。すなわち、「夜背景モード突入！」の文字画像を含む演出画像を表示画面７ａに表示する演出である。この演出によって、遊技者に対して時短状態且つ高ベース状態（特典遊技状態）に移行する旨を報知することができる。
【０２６４】
一方、ステップS5703において当選時の滞在背景が通常背景でなければ(S5703でNO)、「初当たり」ではなく「継続当たり」であるため、第２エンディング演出の演出パターンを選択する(S5705)。第２エンディング演出は、図４８（ｂ）に示す演出画像を表示画面７ａに表示する演出である。すなわち、「夜背景モード継続！」の文字画像を含む演出画像を表示画面７ａに表示する演出である。この演出によって、遊技者に対して再び時短状態且つ高ベース状態（特典遊技状態）に制御される旨を報知することができる。
【０２６５】
ステップS5704又はステップS5705に続いて演出制御用マイコン９１は、滞在背景を特別背景（図４４参照）にセットするとともに(S5706)、背景カウンタの値を「９９」にセットして(S5707)、ステップS5717に進む。
【０２６６】
またステップS5702において時短当たりでないと判定した場合には(S5702でNO)、続いて、第２特図保留（特２保留）があるか否かを判定する(S5708)。第２特図保留があれば、大当たり遊技の終了後の遊技状態は通常遊技状態であるが、まだ第２特図保留に基づく小当たり当選からＶ通過を経て２種大当たり遊技を獲得する機会が残っている。従って、演出制御用マイコン９１は、第３エンディング演出の演出パターンを選択する(S5709)。第３エンディング演出は、図４８（ｃ）に示す演出画像を表示画面７ａに表示する演出である。すなわち、「夜背景モード残り１回！」の文字画像を含む演出画像を表示画面７ａに表示する演出である。この演出によって、遊技者に対してまだ２種大当たり遊技を容易に獲得可能であることを示唆することができる。この第３エンディング演出については、後に詳述する。なお、第１エンディング演出（図４８（ａ））、第２エンディング演出（図４８（ｂ））、及び第３エンディング演出図４８（ｃ）は、エンディング後に有利演出態様にて演出が実行される旨を示唆する有利演出態様実行示唆演出に相当する。
【０２６７】
ステップS5709に続いて演出制御用マイコン９１は、滞在背景をラストチャンス背景（図４４参照）にセットするとともに(S5710)、背景カウンタの値を「１」にセットして(S5711)、ステップS5717に進む。
【０２６８】
一方、ステップS5708において第２特図保留がないと判定した場合には(S5708でNO)、大当たり遊技の終了後の遊技状態は通常遊技状態であり第２特図保留に基づく２種大当たり遊技の獲得の機会も残っていない。そのため演出制御用マイコン９１は、このエンディング演出選択処理に係る大当たりへの当選時の滞在背景が通常背景であるか否かを判定する(S5712)。すなわち、「初当たり」であるか否かを判定する（図４４参照）。
【０２６９】
そして、当選時の滞在背景が通常背景でなければ(S5712でNO)、「初当たり」ではなく「継続当たり」であるため、第４エンディング演出の演出パターンを選択する(S5713)。第４エンディング演出は、図４８（ｄ）に示す演出画像を表示画面７ａに表示する演出である。すなわち、「またね！」の文字画像と獲得ポイント数とを含む演出画像を表示画面７ａに表示する演出である。この演出によって、遊技者に対して２種大当たり遊技を容易に獲得可能な状態ではないことを示唆することができる。なお獲得ポイント数とは、初当たりの開始から今回の大当たりの終了までの間に遊技者が獲得した賞球の総数を示す数である。
【０２７０】
一方、ステップS5712において当選時の滞在背景が通常背景であれば(S5712でYES)、「初当たり」であるため、第５エンディング演出の演出パターンを選択する(S5714)。第５エンディング演出は、図４８（ｅ）に示す演出画像を表示画面７ａに表示する演出である。すなわち、「またね！」の文字画像を含む演出画像を表示画面７ａに表示する演出である。この第５エンディング演出では、獲得ポイント数は表示画面７ａに表示されない。この第５エンディング演出によっても、遊技者に対して２種大当たり遊技を容易に獲得可能な状態ではないことを示唆することができる。なお、第４エンディング演出（図４８（ｄ））及び第５エンディング演出（図４８（ｅ））は、エンディング後に非有利演出態様にて演出が実行される旨を示唆する非有利演出態様実行示唆演出に相当する。
【０２７１】
ステップS5713又はステップS5714に続いて演出制御用マイコン９１は、滞在背景をチャンス終了直後背景（図４４参照）にセットするとともに(S5715)、背景カウンタの値を「２０」にセットして(S5716)、ステップS5717に進む。なお本形態では、チャンス終了直後背景に設定されている際に当選した大当たりは、所謂「引き戻し」として扱う。つまり、「初当たり」ではなく「継続当たり」として扱う。すなわち本形態における「初当たり」とは、通常遊技状態における特図１の抽選にて当選した当たりであって、大当たり遊技の終了直後の２０回の変動にて当選したものでない当たりである。
【０２７２】
上記のようにしてエンディング演出の演出パターンを選択した後は、演出制御用マイコン９１は、選択した演出パターンにてエンディング演出を開始するためのエンディング演出開始コマンドを、ＲＡＭ９４の出力バッファにセットする(S5717)。ステップS5717でセットされたエンディング演出開始コマンドが、コマンド送信処理(S4006)により画像制御基板１００に送信されると、画像制御基板１００のＣＰＵ１０２は、エンディング演出開始コマンドに応じたエンディング演出画像をＲＯＭ１０３から読み出して、画像表示装置７の表示画面７ａに表示する。つまり、図４８に示す各演出画像のいずれかが表示画面７ａに表示されることとなる。
【０２７３】
なお本形態では、エンディング演出開始コマンドには、上記の処理により設定した滞在背景に関する情報が含まれており、エンディング演出開始コマンドを受信した画像制御基板１００は、エンディング演出の終了とともに、そのコマンドが示す滞在背景を表示画面７ａに表示する。また画像制御基板１００は、エンディング演出の実行中は右矢印画像ＲＩの表示を行わない。右矢印画像ＲＩの表示は、エンディング演出後の特別背景（図４５（ｂ））やラストチャンス背景（図４５（ｃ））の表示とともに再開される。なお、夜明け背景（図４５（ｄ））の表示時には、左打ち画像（図５０）の表示が行われる。
【０２７４】
ここで、図４８（ｃ）に示した第３エンディング演出について詳細に説明する。第３エンディング演出は、「夜背景モード残り１回！」の文字画像を表示した後、図４９（ａ）及び（ｂ）に示すように、表示画面７ａの右下部において、エンディング演出の終了（つまりは第２特図保留に基づく変動演出の開始）までの時間をカウントダウンにて表示するカウントダウン演出ＣＥを行う演出である。具体的には、「ＦｉｎａｌＶチャンスまで○○秒」という表示を行っている。これにより、遊技者に対して、Ｖ通過の機会が付与されるまで（すなわち第２特図保留に基づく小当たり遊技の実行まで）の残時間が少ないことが示される。このようにしているのは、遊技者がＶ通過の機会を逃してしまうのを防ぐためである。このカウントダウン演出ＣＥは、第１示唆演出に相当する。なお、このカウントダウン演出ＣＥが終了するとラストチャンス背景（図４５（ｃ））の下で、図４６（ａ）に示した「Ｖチャンススタート」の文字画像ＭＩが表示されることとなる。つまり本形態では、特２Ｖ通過小当たり当選時の変動開始から小当たり遊技の終了までの遊技をＶ通過を狙える「Ｖチャンス」という演出名としており、その「Ｖチャンス」の開始までの時間を、第３エンディング演出ではカウントダウン表示することとしている。
【０２７５】
［右打ち画像表示処理］次に、１０ｍｓタイマ割り込み処理（図３２）中の右打ち画像表示処理(S4306)について説明する。図４１に示すように、右打ち画像表示処理(S4306)ではまず、右打ち表示タイマの値が「０」より大きいか否かを判定する(S6001)。大きくなければ本処理を終える。一方、「０」より大きければ、右打ち表示タイマを減算する(S6002)。続いて、右打ち表示タイマの値が「０」であるか否かを判定する(S6003)。「０」でなければ本処理を終える。一方、「０」であれば、特１Ｖ通過小当たり用演出の開始から４０００ｍｓ経過しているので（図３８のステップS5508及びS5509参照）、右打ち画像表示コマンドをＲＡＭ９４の出力バッファにセットして(S6004)、本処理を終える。
【０２７６】
ステップS6004でセットされた右打ち画像表示コマンドが、コマンド送信処理(S4006)により画像制御基板１００に送信されると、画像制御基板１００のＣＰＵ１０２は、所定の右打ち画像をＲＯＭ１０３から読み出して、画像表示装置７の表示画面７ａに表示する。本形態における右打ち画像は、図５１（ｂ）に示すように、右矢印画像ＲＩと、Ｖ打込指示画像ＮＩとからなる。右打ち画像（図５１（ｂ）のＲＩ及びＮＩ）におけるＶ打込指示画像ＮＩは、特図２の小当たり変動時に表示されるＶ打込指示画像ＮＩ（図４６（ｂ））と同じ画像である。なお、右打ち画像の表示と共に、又は右打ち画像の表示に代えて、「Ｖアタッカーを狙え」の音声をスピーカ６７から出力するようにしてもよい。右打ち画像の表示等による右打ち報知を「第２打込報知」という。これに対して、右打ちランプ４７の点灯による右打ち報知を「第１打込報知」という。
【０２７７】
このような右打ち画像（図５１（ｂ）のＲＩ及びＮＩ）の表示により、遊技者に対して第２大入賞装置３６（Ｖアタッカー）を狙って右打ちにて遊技球を発射すべき旨を報知している。つまり、第２大入賞口３５への入賞（特定領域３９への通過）を狙って右打ちにて遊技球を発射すべき旨を報知している。このような右打ち画像の表示は、「１６Ｒ時短小当たりＢ」のオープニング中に行われる。つまり、「１６Ｒ時短小当たりＢ」（特１Ｖ通過小当たり）に当選すると、２１０００ｍｓにわたるオープニングの期間中に（図４２（ｅ）参照）、遊技者に対して遊技方法が示されることとなる。このため、遊技者はＶ通過の機会を逃すことなく、確実に２種大当たりを獲得することが可能となっている。
【０２７８】
ここで、特１Ｖ通過小当たり（１６Ｒ時短小当たりＢ）への当選時における右打ち報知と、特１Ｖ非通過小当たり（１６Ｒ時短小当たりＡ）への当選時における右打ち報知とを、図５２に基づいて説明する。図５２では、（ａ）から（ｄ）が特１Ｖ非通過小当たりへの当選時のタイミングチャートとなっており、（ｅ）から（ｈ）が特１Ｖ通過小当たりへの当選時のタイミングチャートとなっている。図５２中の（ａ）及び（ｅ）は、第２大入賞口３５の開放タイミングを示しており、（ｂ）及び（ｆ）は、小当たり演出を示しており、（ｃ）及び（ｇ）は、右打ちランプ４７（図３（Ｂ）参照）の点灯タイミングを示しており、（ｄ）及び（ｈ）は、右打ち画像（図５１（ｂ）のＲＩ及びＮＩ）の表示タイミングを示している。
【０２７９】
特１Ｖ非通過小当たり又は特１Ｖ通過小当たりへの当選時における右打ち報知について説明する前に、各小当たりへの当選時における小当たり演出（特１Ｖ非通過小当たり用演出及び特１Ｖ通過小当たり用演出）についてまず説明する。本形態では図５２（ｂ）に示すように、特１Ｖ非通過小当たり用演出は、特１Ｖ通過小当たり用演出と共通する共通演出を経て、非Ｖチャンス報知演出を行う演出となっている。一方特１Ｖ通過小当たり用演出は、図５２（ｆ）に示すように共通演出を経て、Ｖチャンス報知演出を行う演出となっている。非Ｖチャンス報知演出とは、Ｖ通過のチャンスである旨の報知を行わない演出であり、Ｖチャンス報知演出とは、Ｖ通過のチャンスである旨の報知を行う演出である。
【０２８０】
具体的には例えば、特１Ｖ非通過小当たり用演出として、カードを持ったキャラクタＫＩの画像を表示する共通演出（図５１（ａ）参照）と、そのキャラクタＫＩがカードを裏返してそのカードに「・・・。」等のＶ通過のチャンスではないことを示す内容が記載されているといった非Ｖチャンス報知演出（図５１（ｃ）参照）とを行う。また、特１Ｖ通過小当たり用演出として、同様の共通演出（図５１（ａ）参照）と、キャラクタＫＩが裏返したカードに「Ｖ獲得チャンス」等のＶ通過のチャンスであることを示す内容が記載されているといったＶチャンス報知演出（図５１（ｂ）参照）を行う。なお、Ｖチャンス報知演出は、所定の報知音をスピーカ６７から出力したり、所定の装飾可動体を駆動させたり、これらの演出を複合的に行ったりするなど、適宜変更可能である。
【０２８１】
共通演出の演出尺は、４０００ｍｓである。すなわち本形態では、特図１の抽選によって小当たりに当選した場合には、小当たり遊技のオープニングの開始から４０００ｍｓ経過後に、Ｖ通過小当たりであるか否かが遊技者に対して報知されるようになっている。
【０２８２】
次に、特１Ｖ非通過小当たり又は特１Ｖ通過小当たりへの当選時における右打ち報知について説明する。図５２の（ｃ）及び（ｇ）に示すように、どちらの小当たり当選時においても、右打ちランプ４７は小当たり遊技のオープニングの開始時から点灯される。なお、右打ちランプ４７の点灯は、小当たり遊技のオープニングの開始時に主制御基板８０から送信される右打ち指定コマンドに基づいて行われる（図３３のステップS4425参照）。但し、右打ちランプ４７は、表示画面７ａに比して著しく小さい。そのため、この右打ちランプ４７の点灯による右打ち報知（第１打込報知）は、遊技者が気付き難い右打ち報知である。
【０２８３】
これに対して、右打ち画像（図５１（ｂ）のＲＩ及びＮＩ）の表示は、図５２の（ｄ）及び（ｈ）に示すように、特１Ｖ非通過小当たり当選時には行われることがなく、特１Ｖ通過小当たり当選時には小当たり遊技のオープニングの開始から４０００ｍｓ経過後に行われる。この４０００ｍｓという時間は、両小当たり演出（特１Ｖ非通過小当たり用演出と特１Ｖ通過小当たり用演出）における共通演出の演出尺と同じである（図５２（ｂ）及び（ｆ）参照）。つまり本形態では、特１Ｖ通過小当たり当選時には図５１（ｂ）に示すように、Ｖチャンス報知演出の実行開始とともに、右打ち画像（右矢印画像ＲＩ及びＶ打込指示画像ＮＩ）が表示されるようになっている（図５２（ｆ）及び（ｈ）参照）。この右打ち画像の表示は、表示画面７ａ上で比較的大きく行われる。そのため、この右打ち画像の表示による右打ち報知（第２打込報知）は、遊技者が容易に認識できる右打ち報知である。このように本形態によれば、特１Ｖ通過小当たり当選時には右打ち画像の表示により遊技者に対してＶ入賞を促す一方で、特１Ｖ非通過小当たり時には右打ち画像を表示しないことにより、遊技者が無駄に（Ｖ入賞が不可能なのに）右打ちをしないようにしている。
【０２８４】
なお本形態では、特図１の抽選に基づく小当たり遊技の実行期間のうち、共通演出が実行される期間（小当たり遊技のオープニング開始から４０００ｍｓ経過するまで）を第１期間とし、それ以降の期間を第２期間としている。また、共通演出は、第１演出態様の演出に相当し、Ｖチャンス報知演出は、第２演出態様の演出に相当する。さらに、非Ｖチャンス報知演出は、第３演出態様の演出に相当する。
【０２８５】
７．本形態における遊技の流れ
次に、本形態のパチンコ遊技機１における遊技の進行の流れについて、図５３に基づいて説明する。図５３に示すように、まず、通常遊技状態においては左打ちにて遊技を進行する。これにより、特図１の抽選に基づく大当たりの当選を狙う。なお、当選確率は低いが、特図１の抽選によって、「１６Ｒ小当たりＢ」（図６参照）に当選すれば、Ｖ通過に基づく２種大当たり遊技を獲得することができる。この遊技開始時点の通常遊技状態では通常背景（昼背景）に設定されている。従って、表示画面７ａには、図４５（ａ）に示す昼背景の画像が表示される。なお、この昼背景の画像は、変動演出を実行していないときにも表示される。
【０２８６】
特図１の抽選にて大当たりに当選した場合、その大当たりが通常大当たりであれば、大当たり遊技の終了後の遊技状態は通常遊技状態に制御される。一方、時短当たりであれば、大当たり遊技の終了後の遊技状態は時短状態に制御される。この振分率は各５０％である。なお本明細書においては、Ｖ通過を経ないで当選する大当たりを、直撃大当たりと記載することがある。当選した大当たりが通常大当たりであった場合には、再び通常遊技状態において特図１の抽選に基づく大当たりの当選を狙って遊技を進行する。なおこのときには、大当たり遊技の終了直後の２０回の特図変動にわたってチャンス終了直後背景（夜明け背景、図４５（ｄ）参照）が表示される。
【０２８７】
これに対して、時短当たりであった場合には、時短状態且つ高ベース状態に制御される。この時短状態且つ高ベース状態では、遊技者は右打ちにて遊技を進行する。これにより、特図２の抽選に基づく大当たりの当選を狙う。特図２の抽選にハズレはなく（図８（Ａ）参照）、大当たり当選となる場合を除けば全て小当たり当選となる。しかも、特図２の抽選にて当選する小当たりは、その小当たり遊技における開放パターンを通過開放パターン（本形態では、第２大入賞口３５への入賞タイミングにかかわらず特定領域３９を通過可能な開放パターン）とする小当たりである（図４２（ｂ），（ｃ）参照）。従って、遊技者が正しく遊技を実行している限り（つまり右打ちを継続している限り）、特図２の抽選が実行されれば必ず大当たり遊技が実行されることとなる。なお、特図２の抽選における直撃大当たりは時短大当たりである（図６参照）。
【０２８８】
また、この時短状態では、特別図柄の変動表示中に第２特図保留を上限記憶数まで貯めることができる。本形態の第２特図保留の上限記憶数は「１」である。つまり、特図２の変動表示中に第２特図保留を１つ貯めることができる。この１つの第２特図保留は、大当たり遊技を経たその後の遊技において消化されることとなる。
【０２８９】
また、この時短状態では特別背景（第１夜背景）に設定されている。従って、表示画面７ａには、図４５（ｂ）に示す第１夜背景の画像が表示される。なお、この第１夜背景の画像は、変動演出を実行していないときにも表示される。
【０２９０】
特図２の抽選にて小当たりに当選した場合、その小当たりが「１６Ｒ通常小当たり」（図６参照）であれば、Ｖ通過に基づく２種大当たり遊技の終了後の遊技状態は通常遊技状態に制御される。一方、「１６Ｒ時短小当たりＣ」（図６参照）であれば、Ｖ通過に基づく２種大当たり遊技の終了後の遊技状態は時短状態に制御される。この振分率は各５０％である。当選した小当たりが時短小当たりであった場合には、再び時短状態に制御されるため、さらに追加的に第２特図保留を１つ貯めることができる。従って、前回の時短状態で貯めた第２特図保留に基づいて再び大当たり遊技を実行させることができる上、さらに今回の時短状態で発生させた第２特図保留に基づいても大当たり遊技を実行させることができる。つまり本形態のパチンコ遊技機１は、一度、時短図柄（時短状態に制御されることとなる図柄）に基づいて大当たり遊技が実行されると、それ以降で２回の大当たり遊技の実行が見込める遊技機となっている。言い換えれば、所謂２回ループの遊技機となっている。
【０２９１】
これに対して、特図２の抽選にて当選した小当たりが通常小当たりであった場合には、通常遊技状態に制御される。この場合には、追加的に第２特図保留を貯めることはできない。しかし、前回の時短状態において貯めた第２特図保留が１つ残っている。よって、この第２特図保留に基づいて再び大当たり遊技を実行させることができる。つまり、この状態は、通常遊技状態ではあるもののまだ大当たり遊技を実行させ易い状態（遊技者に有利な状態）である。よって、この状態では、ラストチャンス背景（第２夜背景）に設定される。従って、第２特図保留に基づく変動演出中は、表示画面７ａには図４５（ｃ）に示す第２夜背景の画像が表示される。この第２夜背景の画像の表示によれば、遊技者に対してまだ有利な状態であることを示唆することが可能である。
【０２９２】
そして、この通常遊技状態での第２特図保留に基づく抽選の結果、時短小当たりに当選すれば、大当たり遊技の終了後には時短状態に制御される。よって、再び特図２の抽選の機会を得ることが可能となり、以降２回の大当たりが確定する。
【０２９３】
これに対して、通常遊技状態での第２特図保留に基づく抽選の結果、通常小当たりに当選した場合には、もう第２特図保留も残っておらず、新たに第２特図保留を発生させることもできない。よって、大当たり遊技の実行され易さの点で遊技者にとって有利な状態は終了したこととなる。従って、この状態では、チャンス終了直後背景（夜明け背景）に設定される。よって、表示画面７ａには図４５（ｄ）に示す夜明け背景の画像が表示される。この夜明け背景の画像の表示によれば、遊技者に対して有利な状態が終了したことを示唆することが可能である。その後、チャンス終了直後背景（夜明け背景）において２０回の特図変動が実行されると、再び通常背景（昼背景）に設定される。
【０２９４】
なお図５３に示すように、時短状態において第２特図保留を貯めていない状態で通常小当たりに基づく大当たり遊技を実行させてしまうと、その後は、第２特図保留のない通常遊技状態となる。よってこの場合には、チャンス終了直後背景（夜明け背景）に設定され、遊技者に対して有利な状態が終了したことが示唆される。
【０２９５】
また、ラストチャンス背景（第２夜背景）に設定された通常遊技状態において第２特図保留に基づく処理が終了したものの大当たり遊技を実行させられなかった場合（つまり特定領域３９へ遊技球を通過させなかった場合）にも、その後は、第２特図保留のない通常遊技状態となる。よってこの場合には、通常背景（昼背景）に設定され、遊技者に対して有利な状態が終了したことが示唆される。
【０２９６】
ここで、本パチンコ遊技機１における時短状態への制御後の連チャン終了の仕組みについてまとめて説明する。なお、連チャンの終了は、大当たり遊技が実行され易い状態でなくなることである。まず、連チャンが終了する場合について説明する。連チャンが終了する場合は、図５４に示すように、時短状態における当該変動（実行中の変動）としての特図２の変動と、その時の第２特図保留との両方がともに通常小当たりである場合である。このような状況となれば、もはや時短状態に制御されることはなく、追加的に第２特図保留を貯める機会は得られない。よって、２回の大当たり遊技が実行されて連チャンが終了することとなる。
【０２９７】
これに対して、連チャンが続く場合は、図５５（ａ），（ｂ）に示すように、時短状態における当該変動としての特図２の変動と、その時の第２特図保留との少なくともいずれか一方が、時短当たりである場合である。図５５（ａ）に示すように、当該変動としての特図２の変動が時短当たりであれば、時短状態で当選した１回目の大当たり遊技の終了後に再び時短状態に制御されて、追加的に第２特図保留を貯めることができる。従って、３回以上の大当たり遊技を獲得することができる。
【０２９８】
また、図５５（ｂ）に示すように、当該変動としての特図２の変動が通常小当たりであり、特図２の変動中に貯められた第２特図保留が時短小当たり（時短大当たりでもよい）であれば、通常小当たりへの当選に基づく大当たり遊技の終了後には通常遊技状態に制御されて第２特図保留を貯めることはできないものの、残っている第２特図保留に基づく大当たり遊技の終了後には時短状態に制御される。そしてその時短状態において、再び特図２の変動を実行させつつ、第２特図保留を１つ貯めることができる。従って、４回以上の大当たり遊技を獲得することができる。
【０２９９】
８．本形態の効果
〈８−１．本形態の効果１〉
以上詳細に説明したように本形態のパチンコ遊技機１によれば、時短状態且つ高ベース状態（特典遊技状態）では第２始動口２１への入球が容易となる。そして、第２始動口２１への入球に基づく当否判定(S1002)において小当たりに当選した場合には、第２大入賞口３５へ入賞した遊技球はその入賞タイミングに関わらず特定領域３９を通過する（図４２（ｂ），（ｃ）参照）。つまり、特図２の抽選において小当たりに当選すれば、必ず遊技者に有利な大当たり遊技が実行される。従って、第２始動口２１への入球に基づく小当たり当選は、大当たり当選と同等の遊技上の意味を持つこととなる。つまり、第２始動口２１への入球に基づく小当たり当選は、実質的には大当たり当選確定である。よって、大当たりの当選確率に依らず、特図２の抽選における小当たりの当選確率の設定次第で、高ベース状態における大当たり当選確定（実質的を含む）の第２特図保留の発生確率を自在に高めることが可能である。つまり、高ベース状態において従来よりも早いスピードで次の大当たりを引き当てられる従来にない斬新な遊技性を創出することが可能である。言い換えれば、高ベース状態において小当たりには当選するものの、なかなか特定領域３９に遊技球を通過させることができずに大当たり遊技が実行されず、大当たり遊技の実行という利益を獲得するまでの遊技期間が長くなるのを防ぐことが可能である。つまり、利益獲得に対するスピード感の低下により遊技興趣が低下するのを防ぐことが可能である。
【０３００】
特に本形態のパチンコ遊技機１によれば、特図２の抽選にはハズレがない（図８（Ａ）参照）。つまり小当たり当選確率を最大限に高めている。そのため、特図２の抽選がなされれば実質的には必ず大当たり遊技が実行されることとなる。従って、一旦高ベース状態に制御されれば原則的には、特図２の当該変動分と第２特図保留の全てが通常小当たりに振り分けられない限り、大当たり遊技の実行という利益を獲得し続けられる（大当たりに当選し続けられる）という新たな遊技性を提供することが可能である。つまり、第２特図保留の上限記憶数＋１回（特図２の当該変動分）のループ機を提供することが可能である。なお本形態では、第２特図保留の上限記憶数は「１」である。よって、一旦高ベース状態に制御されればその後２回の大当たり遊技の実行が確定する所謂２回ループの遊技機を、所謂１種２種混合機として好適に実現することが可能である。ちなみに本形態では、大当たり遊技後の特図２の抽選による連チャンは、所謂１Ｇ連（大当たり遊技の終了後の一変動目で再び大当たりに当選する連チャン）となる。このことも、本形態のパチンコ遊技機１における斬新な遊技性の１つである。
【０３０１】
なお、所定の遊技状態に制御された後の大当たり当選までのスピードを早めるためには、その遊技状態における大当たり当選確率自体を高める構成が考えられる。しかしながら、このような構成を採用した場合に本形態のようなスピード感を実現しようとすると、高確率状態ではない通常確率状態での大当たり当選確率まである程度高く設定しておく必要が生じる。高確率状態と通常確率状態との大当たり当選確率の確率差が大きくなり過ぎないようにする必要があるからである。また、このように両遊技状態において高い大当たり当選確率に設定すると、一回の大当たり遊技において払い出される賞球数を少なく設定する必要が生じる。あまりにも多数の賞球を遊技者が獲得可能となると適正な遊技性が害されてしまうからである。但しこれでは、遊技者にとって所謂出玉感（十分な賞球を得ているという感覚）の感じられない面白みの少ない遊技機になる虞もある。
【０３０２】
これに対して本形態では、大当たり当選確率を高めることなく、特図２の抽選の小当たり当選確率を高め、且つ、特図２の抽選で当選する小当たりを必ず大当たり遊技を獲得できる当たりとすることで、特図２の抽選が頻繁に生じる高ベース状態における実質的な大当たり発生確率を高めている。よって、大当たり当選確率（１種大当たりの当選確率）自体を高める場合とは異なり、小当たりに当選してもＶ通過できない場合を設けておくことで（本形態のように特１Ｖ非通過小当たりを設けておくことで）、大当たり発生確率と賞球数との適正なバランスを保つことが可能である。従って、大当たり遊技において払い出される賞球数を上記のようにあえて少なく設定する必要はない。そのため本形態では、特図２の抽選が頻繁に生じる特定の遊技期間（高ベース状態に制御されている期間）においては、実質的な大当たり発生確率の向上と高い出玉感との両立が可能となっている。
【０３０３】
また本形態のパチンコ遊技機１によれば、第２特別図柄の変動表示が第１特別図柄の変動表示よりも優先して実行される（図１６参照）。そのため、高ベース状態において第２特別図柄の変動表示が実行されずに第１特別図柄の変動表示ばかりが実行されることにより、高ベース状態にて実行される変動表示の残回数がいたずらに減少してしまう不利益の発生を防止することが可能である。また特図１の抽選によって、遊技者にとって望ましくない「１５Ｒ通常大当たり」に当選するのを防ぐことが可能である。つまり、特図２の抽選に基づく小当たり当選という利益（実質的には大当たり当選と同等の利益）の獲得機会が適正に遊技者に与えられることなく高ベース状態が終了してしまうのを防ぐことが可能である。
【０３０４】
また本形態のパチンコ遊技機１によれば、特図２の抽選にて小当たりに当選した場合には、第２大入賞口３５への入賞タイミングに関わらず特定領域３９を通過可能な第１通過開放パターン（図４２（ｂ）参照）に設定される。一方、特図１の抽選にて小当たりに当選した場合には、第２大入賞口３５へ入賞しても特定領域３９を通過することが実質的に不可能な非通過開放パターン（図４２（ｆ）参照）に設定され得る。従って、遊技機全体として第２大入賞口３５へ入賞した遊技球の特定領域３９への通過率（Ｖ通過率）が不当に高くなるのを抑制することが可能である。
【０３０５】
より詳細には、本形態では、特図１の抽選における小当たり当選確率がおよそ１／２０であり、特図２の抽選における小当たり当選確率がほぼ１００％である（図８（Ａ）参照）。また、特図１の抽選におけるＶ通過可能な小当たりとＶ通過不可能な小当たりとの振分率は１：９９であり、特図２の抽選におけるＶ通過可能な小当たりの振分率は１００％である（図８（Ｂ）参照）。このような設定によって、本パチンコ遊技機１におけるＶ通過率が１／１０を超えないようにしている。
【０３０６】
また本形態のパチンコ遊技機１によれば、特図１の抽選にて小当たりに当選した場合でも、特定領域３９を通過可能な第２通過開放パターン（図４２（ｅ）参照）にて第２大入賞口３５が開放されることがある。よって、特図１の抽選にて小当たりに当選した場合にも、２種大当たり遊技が実行される可能性に期待させることが可能である。従って、第１始動口２０への入球に基づいて遊技を進行している通常遊技状態における遊技興趣を向上することが可能である。
【０３０７】
また本形態のパチンコ遊技機１によれば、小当たり遊技では第２大入賞口３５が開放されるが、大当たり遊技では第１大入賞口３０が開放される。そのため、どちらの特別遊技が実行されているかを遊技者に明確に認識させることが可能である。
【０３０８】
また本形態のパチンコ遊技機１によれば、小当たり遊技の開放前インターバル（オープニング）の開始から振分部材７１は一定の動作で動いている（図４２（ｃ）参照）。この振分部材７１の一定の動作中には、第１Ｖ開放（第１通過許容制御）と、この第１Ｖ開放の後で開放間インターバル（通過阻止制御）を経て行われる第２Ｖ開放（第２通過許容制御）とが含まれている。そして、特図１の抽選にてＶ通過小当たりに当選した場合には、第２Ｖ開放に合わせて小当たり開放遊技が実行されてＶ通過が可能となる（図４２（ｅ）参照）。これに対して、特図２の抽選にてＶ通過小当たりに当選した場合には、第１Ｖ開放に合わせて小当たり開放遊技が実行されてＶ通過が可能となる（図４２（ｂ）参照）。従って、特図１の抽選による小当たり当選時には、開放前インターバル（小当たりのオープニング）の時間が２１秒と比較的長く確保されることとなる。そのため、この開放前インターバルの時間を利用して、余裕をもって遊技者に対して遊技方法を示すことが可能となっている。
【０３０９】
具体的には本形態では、この開放前インターバルの間に、特１Ｖ通過小当たり用演出（図５２（ｆ）に示す共通演出及びＶチャンス報知演出）と、第２大入賞装置口３５を狙って遊技球を打ち込む旨を報知する右打ち画像の表示（図５２（ｈ））とを行っている。従って、この右打ち画像の表示により、遊技方法について遊技者に対して十分に報知することが可能である。特に、特図１の抽選によって遊技を進行させている通常遊技状態では、小当たり当選となる特図１の変動停止から第２大入賞口３５の開放までの間に十分な時間がなかったり、上記のような右打ち画像の表示を行わなかったりすると、特定領域３９へ遊技球を通過させる機会を遊技者が逃してしまうおそれがある。しかし本形態によれば、右打ち画像の表示がなされる上、左打ちから右打ちに変更するための十分な時間（特１Ｖ通過小当たりのオープニング時間２１０００ｍｓと共通演出の演出時間４０００ｍｓとの差の１７０００ｍｓ）が確保されているため、このような事態の発生を確実に防ぐことが可能である。
【０３１０】
また本形態のパチンコ遊技機１によれば、特図２の抽選による小当たり当選時には、開放前インターバルの時間が０．００８秒と比較的短い。そのため、遊技のスムーズな進行を維持することが可能である。特に本形態では、特図２の抽選は高ベース状態においてなされる。よって本形態によれば、高ベース状態における遊技のスムーズな進行を確保することが可能である。
【０３１１】
また本形態のパチンコ遊技機１によれば、第２大入賞口３５の開放タイミングと特定領域３９への通過タイミングとが異なる複数種類の小当たりを設けているにもかかわらず、振分部材７１の作動パターンは一つだけである。そのため、振分部材７１の作動を制御するための制御データの量を、複数の作動パターンを設けた場合に比して少なく抑えることが可能である。
【０３１２】
また本形態のパチンコ遊技機１によれば、小当たり遊技における開放前インターバル（オープニング）の開始から振分部材７１の一定動作が開始される（図４２参照）。したがって、第２大入賞口３５の開放パターンとして特定領域３９への通過のし易さが異なる複数の開放パターン（具体的には図４２（ｂ）の通過開放パターンと図４２（ｅ）の非通過開放パターン）を設ける際に、その設計の自由度を高めることが可能である。
【０３１３】
特に第２大入賞口３５の開放時間を１．６秒程度と比較的短くした場合には、第２大入賞口３５の開放開始から振分部材７１の一定動作を開始することとすると、通過開放パターンと非通過開放パターンとの両方を設けることが難しい（図４３参照）。しかしながら本形態によれば、開放前インターバルの開始から始まる振分部材７１の一定の動作を基準として、小当たり開放遊技中に振分部材７１が通過許容状態をとっている時間が異なるように小当たりの種別に応じて第２大入賞口３５の開放タイミングを変えている（図４２（ｂ），（ｃ），及び（ｅ）参照）。そのため、第２大入賞口３５の開放時間を１．６秒と比較的短く設定したとしても、通過開放パターンと非通過開放パターンとの両方を設けることが可能である。
【０３１４】
〈８−２．本形態の効果２〉
また本形態のパチンコ遊技機１によれば、２種大当たり遊技の獲得機会が得られる小当たりの当選確率は、特図１の抽選よりも特図２の抽選の方が高い（図８（Ａ）参照）。そのため、大当たり遊技の終了後の遊技状態が通常遊技状態に制御された場合であっても、第２特図保留があれば、大当たり遊技の実行という利益を獲得しやすい状態（有利状態）にある。よって本形態では、このような有利状態のときには、有利演出態様（図４５（ｃ）の第２夜背景を表示画面７ａに表示する演出態様）にて演出を実行するようにしている。そのため、遊技者に対してまだ有利状態にあることを報知することが可能となっている。その結果、遊技者がもう有利状態ではないと勘違いして、不用意に２種大当たり遊技の獲得機会を失うのを防ぐことが可能となっている。特に本形態のパチンコ遊技機１によれば、比較的注目され易い表示画面７ａの背景画像によって有利状態か否かを報知している。そのため、遊技者に対して有利状態か否かをわかりやすく示すことが可能となっている。
【０３１５】
また本形態によれば、通常遊技状態に制御されても有利演出態様にて演出が実行される場合があることで、通常遊技状態に復帰した場合の遊技興趣を高めることが可能となっている。
【０３１６】
また本形態のパチンコ遊技機１によれば、大当たり遊技の終了後に通常遊技状態に制御される場合に、第２特図保留があるときと第２特図保留がないときとで、エンディング演出が異なっている（図４０のステップS5708等参照）。第２特図保留があるときには、図４８（ｃ）に示す第３エンディング演出が実行され、遊技者に対して有利演出態様に制御されることが報知される。これに対して第２特図保留が無いときには、図４８（ｄ）に示す第４エンディング演出又は図４８（ｅ）に示す第５エンディング演出が実行され、遊技者に対して非有利演出態様（図４５（ｄ）の夜明け背景を表示画面７ａに表示する演出態様）に制御されることが報知される。従って、大当たり遊技のエンディング中にどのエンディング演出が実行されるのかに遊技者の意識を向けさせることが可能となっており、大当たり遊技のエンディング中の興趣を高めることが可能となっている。
【０３１７】
また本形態のパチンコ遊技機１によれば、大当たり遊技の開始時には第２特図保留がない場合でも、バトル後ラウンドのラウンド遊技の実行までに第２特図保留が発生したときには、有利演出態様に制御されることを示唆するチャンス突入示唆演出（図４７（ａ）参照）が実行される（図３９のステップS5610等参照）。よって、大当たり遊技中のラウンド演出と、大当たり遊技後の演出態様との整合を図ることが可能となっている。また、バトル後ラウンドのラウンド遊技に伴ってチャンス突入示唆演出とチャンス非突入示唆演出（図４７（ｂ）参照）とのどちらが実行されるかに遊技者の意識を向けさせることが可能となっており、ラウンド遊技中の興趣を高めることが可能となっている。
【０３１８】
また本形態のパチンコ遊技機１によれば、通常遊技状態において有利演出態様（図４５（ｃ）参照）で演出が実行された場合でも、大当たり遊技が実行されることなく第２特図保留がなくなれば、非有利演出態様（図４５（ａ）参照）で演出が実行されるようになる（図３５のステップS4904及びS4905参照）。そのため、遊技者に対して大当たり遊技の実行という利益を獲得しやすい状態ではなくなったことを確実に報知することが可能となっている。その結果、遊技者がいつまでも有利な状態であると誤解するのを防ぐことが可能となっている。
【０３１９】
９．変更例
以下、変更例について説明する。なお、変更例の説明において、上記形態のパチンコ遊技機１と同様の構成については、上記形態と同じ符号を付して説明を省略する。
【０３２０】
上記形態では、画像表示装置７を用いた画像表示演出の演出態様を非有利演出態様又は有利演出態様に変える（表示画面７ａの背景画像を変える）構成としたが、液晶表示装置を有しない遊技機として構成した場合には、遊技盤に設けられた盤ランプの演出態様を変えるようにしてもよい。例えば、非有利演出態様では、盤ランプを青色に発光させているのに対して、有利演出態様では、盤ランプを緑色に発光させる等としてもよい。
【０３２１】
また上記形態では、大当たり遊技の終了後に時短状態に制御するか否かを、当選した特別図柄の種類（当たりの種類）のみに応じて決定するように構成したが、特別図柄の種類および当選時の遊技状態に応じて決めるようにしてもよい。
【０３２２】
また上記形態では、ラウンド演出としてのチャンス突入示唆演出（図４７（ａ））を、時短当たりである場合も、非時短当たりだが第２特図保留が有る場合も同じ演出としたが、有利演出態様に制御されることが示唆できれば、異なる演出としてもよい。また、有利演出態様としての背景画像を１種類としてもよく、また、非有利演出態様としての背景画像を１種類としてもよい。
【０３２３】
また上記形態では、特図１の抽選においても小当たりの当否判定を行うように構成したが、特図１の抽選では小当たりの当否判定を行わない構成としてもよい。つまり、特図２の抽選においてのみ小当たりに当選する可能性がある構成としてもよい。
【０３２４】
また上記形態では、所謂１種２種混合機として構成したが、２種大当たりのみの遊技機（１種大当たりのない遊技機、所謂羽根物）として構成してもよい。
【０３２５】
また上記形態では、特図２の抽選にて小当たりに当選した場合には、第２大入賞口３５への入賞タイミングに関わらず特定領域３９への通過が可能な通過開放パターンにて第２大入賞口３５を開放する構成とした。これに対して、特図２の抽選にて小当たりに当選した場合に、第２大入賞口３５へ入賞した遊技球が特定領域３９を通過する可能性はあるが、通過しないこともある開放パターンにて第２大入賞口３５が開放され得るように構成してもよい。
【０３２６】
また上記形態では、遊技状態に応じて右打ちを行う遊技機としたが、左打ちのみにより遊技を進行する遊技機としてもよい。つまり、第１流路Ｒ１上に、ゲート２８や電チュー２２、第１大入賞装置３１、第２大入賞装置３６が配置されている構成としてもよい。
【０３２７】
また上記形態では、非時短当たりの当選時であっても、所定のラウンドのラウンド演出の実行開始時に特２保留があればチャンス突入示唆演出（図４７（ａ））を行い（図３９）、また、エンディング演出の実行開始時に特２保留があれば第３エンディング演出（図４８（ｃ））を行うように構成した（図４０）。これに対して、非時短当たり当選時のオープニング演出の実行開始時に特２保留があることに基づいて、チャンス突入示唆演出や第３エンディング演出を行うように構成してもよい。
【０３２８】
また、背景画像の表示制御に関して、演出制御用マイコン９１から画像制御基板１００に対して、演出制御用マイコン９１がセットした背景画像を示す背景コマンドを送信し、画像制御基板１００がその背景コマンドに基づいて、背景画像を表示するようにしてもよい。また、右矢印画像ＲＩの表示制御に関して、右打ち指定コマンドに基づく表示制御としなくてもよい。例えば、画像制御基板１００が受信したオープニング演出開始コマンドが大当たりＯＰ演出又は特２小当たり用演出に係るものであれば、画像制御基板１００がそのコマンドに基づいて、右矢印画像ＲＩを表示するように構成してもよい。但しこの場合であっても、エンディング演出の実行中は右矢印画像ＲＩを表示しないように構成するとよい。
【０３２９】
また上記形態では、特１Ｖ通過小当たり当選時において、Ｖチャンス報知演出の実行タイミングと右打ち画像の表示タイミングとを一致させたが（図５２（ｆ）及び（ｈ）参照）、Ｖチャンス報知演出の実行後に所定時間が経過してから右打ち画像を表示してもよい。この場合、右打ち画像を構成するＶ打込指示画像ＮＩ（図５１（ｂ）参照）を表示画面７ａの全域に表示することとしてもよい。また、特１小当たり当選時における共通演出（図５１（ａ）参照）を、遊技者に対して演出ボタン６３の押下を促すＳＷ演出とし、その演出ボタンの押下に基づいてＶチャンス報知演出又は非Ｖチャンス報知演出のいずれかを実行する構成としてもよい。
【０３３０】
また上記形態では、特図２の変動を特図１の変動に優先して実行するように構成した。これに対して、特図２の変動と特図１の変動を始動口への入賞順序に従って実行するように構成してもよい。この場合、第１特図保留と第２特図保留とを合算して記憶可能な記憶領域をＲＡＭ８４に設け、その記憶領域に入賞順序に従って数値情報を記憶し、記憶順の古いものから消化するように構成すればよい。また、特図２の変動中であっても特図１の変動を実行でき、且つ、特図１の変動中であっても特図２の変動を実行できるように構成してもよい。つまり、所謂同時変動を行う遊技機として構成してもよい。
【０３３１】
また上記形態では、特図２の抽選にはハズレがないように構成したが、特図２の抽選においてもハズレがあるように構成してもよい。この場合、特図２の抽選にて当選した小当たりは、必ず時短小当たりとなるように構成してもよい。このように構成すれば、時短状態の上限実行回数に第２特図保留の上限記憶数を加えた数の変動表示が、２種大当たり遊技を獲得し易いチャンス変動となる。なおこの場合には、大当たり遊技の終了後に時短状態に制御される連続回数に制限を設けてもよい。つまり所定の上限回数の時短リミッタを設けてもよい。この場合、時短リミッタの上限回数に到達すれば、大当たり遊技の終了後には通常遊技状態に制御されることとなる。より具体的には、遊技状態設定処理（図２４参照）において時短フラグをＯＮする度に時短状態への制御回数をカウントする連続時短カウンタを１加算するとともに、時短フラグをＯＮする前にこの連続時短カウンタの値が予め定めた上限回数（時短リミッタ回数）に至っているかを確認し、至っていれば時短フラグをＯＮせず、至っていなければ時短フラグをＯＮする構成とすればよい。なお、連続時短カウンタの値は、大当たり遊技の終了後に時短状態に制御しないときにはリセットする。
【０３３２】
また上記形態では、第２特図保留の上限記憶数を「１」としたが、２以上としてもよい。例えば、上限記憶数を「２」とすれば、３回ループのパチンコ遊技機（特図１の抽選にて時短図柄で当選した場合の初当たりを含む大当たりの連チャン回数が最低４回となる遊技機）を構成することができる。また、上限記憶数を「３」とすれば、４回ループのパチンコ遊技機（特図１の抽選にて時短図柄で当選した場合の初当たりを含む大当たりの連チャン回数が最低５回となる遊技機）を構成することができる。また、上限記憶数を「４」とすれば、５回ループのパチンコ遊技機（特図１の抽選にて時短図柄で当選した場合の初当たりを含む大当たりの連チャン回数が最低６回となる遊技機）を構成することができる。なお、第２特図保留の上限記憶数を２以上とする場合には、時短状態における初回の変動表示中に第２特図保留が上限記憶数まで貯まるように、時短状態における初回の変動表示の変動時間を設定するとよい。
【０３３３】
また上記形態では、特図１の抽選において「１６Ｒ時短小当たりＡ」に当選した場合には、遊技球が第２大入賞口３５へ入賞しても特定領域３９を通過することが実質的に不可能な開放パターンに設定するように構成した。これに対して、特定領域３９を通過することが完全に不可能な開放パターン（例えば、振分部材７１の第１Ｖ開放の終了直後に、１．６秒にわたる第２大入賞口３５の開放が開始される開放パターン）としてもよい。
【０３３４】
また上記形態では、第１特別図柄の抽選にて当選し得る小当たりとして、Ｖ通過不可能な「１６Ｒ時短小当たりＡ」と、Ｖ通過可能な「１６Ｒ時短小当たりＢ」とを設けたが、Ｖ通過不可能な小当たりだけとしてもよい。
【０３３５】
また上記形態では、大当たり遊技においては第１大入賞口３０を開放し、小当たり遊技においては第２大入賞口３５を開放するように構成した。これに対して、大当たり遊技の少なくとも一部のラウンドに、第２大入賞口３５を開放するラウンドがある構成としてもよい。この場合には、大当たり遊技の実行中のＶ通過によってさらに大当たり遊技が実行されることがないように構成する。
【０３３６】
また上記形態では、第１始動口２０又は第２始動口２１への入賞に基づいて取得する乱数（数値情報）として、大当たり乱数等の４つの乱数を取得することとしたが、一つの乱数を取得してその乱数に基づいて、大当たり又は小当たりか否か、大当たり又は小当たりの種類、リーチの有無、及び変動パターンの種類を決めるようにしてもよい。すなわち、始動入賞に基づいて取得する乱数の個数および各乱数において何を決定するようにするかは任意に設定可能である。
【０３３７】
また上記形態では、９９回の特別図柄の変動表示が実行されると高ベース状態を終了するように構成したが、高ベース状態の終了条件としての特別図柄の変動表示の実行回数（所定の上限実行回数）は、任意に変更可能である。
【０３３８】
また上記形態では、普図保留の上限記憶数を４個としたが、普図保留のない構成としてもよい。この場合、ゲート２８への遊技球の通過検知時に、普通図柄の変動表示の実行中でなく、補助遊技の実行中（電チュー２２の作動中）でもなければ、普通図柄乱数を取得するように構成すればよい。
【０３３９】
また上記形態では、非時短状態中に右打ちがなされると、特図２の抽選に基づいて２種大当たりに当選してしまう（特定領域３９への通過が発生してしまう）おそれがある。そこで、時短状態中又は特別遊技中ではないのに右打ちされた場合には、左打ちで遊技するべき旨を報知する警告画像を表示画面７ａに表示する等の注意喚起を行うようにしてもよい。この場合には、例えばゲートセンサ２８ａを右打ち検知センサとして機能させてもよいし（つまりゲートセンサ２８ａによる検知に基づいて警告画像を表示画面７ａに表示するようにしてもよいし）、別途、右打ち検知センサを設けてもよい。また、非時短状態において右打ちされても電チュー２２に係る第２始動口２１への入賞が発生することのないように、非時短状態中の普通図柄抽選の当選確率を零に設定してもよい。
【０３４０】
なお上記形態では、特２保留ありの状態で時短当たりの大当たり遊技が終了した場合に右打ちを続けていると、その後の時短状態において追加的に特２保留を発生させるよりも前に、大当たり遊技の終了時点で残っていた特２保留に基づいて２種大当たり遊技が開始されてしまう可能性もある。大当たり遊技中に普通図柄の変動表示が開始されると、その普通図柄の変動表示の時間は３０秒と長いため（図８（Ｅ））、電チュー２２が開放されるよりも前に２種大当たり遊技が開始され得るからである。そうなると、時短状態において容易に特２保留を発生させる機会を失ってしまう可能性がある。そのため、特２保留ありの状態で時短状態に移行した場合には、その特２保留に基づく小当たり遊技ではＶ入賞させず、新たに第２始動口２１へ２回入賞させる方が好ましい。そこで、時短当たりの大当たり遊技中に普通図柄の変動表示が実行されたときには、その旨を遊技者に対して報知するとよい。具体的には、演出制御用マイコン９１が、普図変動開始コマンド（図１４のステップS310でセットされるコマンド）の受信時に大当たり遊技中か否かを判定し、そうであれば普通図柄の変動表示中である旨を報知する（例えば表示画面７ａに表示する）ようにするとよい。このように構成すれば、この報知を見た遊技者は上記のようなことにならないように注意して遊技を進行することが可能となる。
【０３４１】
また上記形態において、遊技制御用マイコン８１は、左打ち指定期間中（電源投入時や、左打ち指定コマンドの送信後であって右打ち指定コマンドの送信前）に、第２始動口２１への入賞及び特定領域３９への通過が生じれば、異常と判断して、異常コマンドをサブ制御基板９０に送信するとよい。そして、このような異常な遊技により生じた２種大当たり遊技の終了時には、時短状態に制御される場合や、非時短状態に制御されるが第２特図保留が有る場合であっても、左打ち指定コマンドを送信するとよい。そしてこれを受信した演出制御用マイコン９１は、左打ち画像を表示するとともに、通常背景を表示するとよい。さらに演出制御用マイコン９１は、異常コマンドに基づいて異常報知（不正報知）を行うようにするとよい。このように構成すれば、意図しない不正な遊技が行われるのを抑制することが可能となる。なお右打ち指定期間中（右打ち指定コマンドの送信後であって左打ち指定コマンドの送信前）であれば、第２始動口２１への入賞及び特定領域３９への通過があっても異常と判断しないようにする。そうすれば、第２特図保留ありの状態で大当たり遊技後に通常遊技状態に制御された場合や、大当たり遊技の実行中は、右打ち指定期間中となるため、第２始動口２１への入賞があっても正常と判断されることとなる。
【０３４２】
また上記形態において、大当たり遊技中に電断が生じた場合には、演出制御用マイコン９１は、エンディング演出の開始時に時短当たりか否かを判定し、時短当たりであれば「夜背景モード突入！」の表示を行い（つまり図４８（ａ）の第１エンディング演出を行い）、そうでなければ、続いて特２保留の有無を判定し、有れば「夜背景モード残り１回！」の表示を行い（つまり図４８（ｃ）の第３エンディング演出を行い）、無ければ「またね！」の表示を行う（つまり図４８（ｅ）の第５エンディング演出を行う）ようにするとよい。このように構成すれば、演出制御用マイコン９１が電断時に背景データのバックアップをとらない構成（つまり「初当たり」であるか否かの判定ができない構成）としても、遊技機の状態に適したエンディング演出を実行することが可能となる。
【０３４３】
なお、本発明の「第１の判定条件」とは、上記実施形態では、特別図柄の変動中および特別遊技の実行中でなく、第２特図保留の数が「０」であり、第１特図保留の数が「０」でないことである。
また、本発明の「第２の判定条件」とは、上記実施形態では、特別図柄の変動中および特別遊技の実行中でなく、第２特図保留の数が「０」でないことである。
また、本発明の「所定の終了条件」とは、上記実施形態では、大当たり遊技の実行が開始されること、又は、予め定めた上限実行回数に及ぶ特別図柄の変動表示の実行が終了することである。
また、本発明の「第２当否判定の結果は、小当たり当選又は大当たり当選のいずれかであり、」には、上記形態のようにハズレを全く含まない構成のみならず、実質的にハズレを含まない構成も含むものとする。実質的にハズレを含まない構成とは、ハズレの確率が例えば１/２０００以下であるなど、ハズレとなることがほとんどない構成である。
【符号の説明】
【０３４４】
１…パチンコ遊技機
３…遊技領域
７…画像表示装置（演出手段）
７ａ…表示画面
２０…第１始動口（第１入球口）
２１…第２始動口（第２入球口）
２３…可動部材（入球口開閉部材）
３０…第１大入賞口（他の特別入賞口）
３１…第１大入賞装置（他の特別入賞手段）
３２…開閉部材（他の特別入賞口開閉部材）
３５…第２大入賞口（特別入賞口）
３６…第２大入賞装置（特別入賞手段）
３７…開閉部材（特別入賞口開閉部材）
３９…特定領域
８１…遊技制御用マイコン
８５ｂ…第２特図保留記憶部（第２入球口用記憶手段）
９１…演出制御用マイコン
【要約】
【課題】遊技者の利益を不当に損なわせてしまうのを防止すること。
【解決手段】第１入球口（２０）への入球に基づく抽選よりも、入球し易さが変化可能な第２入球口（２１）への入球に基づく抽選の方が、特定当たり（小当たり）の当選確率が高く設定されている。第１特別遊技（小当たり遊技）にて特定領域３９へ遊技球が通過すると第２特別遊技（大当たり遊技）が実行される。パチンコ遊技機１は、第２特別遊技の終了後に２１への入球が容易な特典遊技状態に制御される場合には、第２入球口用記憶手段（第２特図保留記憶部８５ｂ）に数値情報の記憶があるか否かにかかわらず有利演出態様（特別背景）に設定する。一方、第２特別遊技の終了後に通常遊技状態に制御される場合には、その第２特別遊技の終了時に８５ｂに数値情報の記憶があれば有利演出態様（ラストチャンス背景）に設定し、なければ非有利演出態様（チャンス終了直後背景）に設定する。
【選択図】図４０【図１】
0005927562.tif 000002
【図２】
0005927562.tif 000003
【図３】
0005927562.tif 000004
【図４】
0005927562.tif 000005
【図５】
0005927562.tif 000006
【図６】
0005927562.tif 000007
【図７】
0005927562.tif 000008
【図８】
0005927562.tif 000009
【図９】
0005927562.tif 000010
【図１０】
0005927562.tif 000011
【図１１】
0005927562.tif 000012
【図１２】
0005927562.tif 000013
【図１３】
0005927562.tif 000014
【図１４】
0005927562.tif 000015
【図１５】
0005927562.tif 000016
【図１６】
0005927562.tif 000017
【図１７】
0005927562.tif 000018
【図１８】
0005927562.tif 000019
【図１９】
0005927562.tif 000020
【図２０】
0005927562.tif 000021
【図２１】
0005927562.tif 000022
【図２２】
0005927562.tif 000023
【図２３】
0005927562.tif 000024
【図２４】
0005927562.tif 000025
【図２５】
0005927562.tif 000026
【図２６】
0005927562.tif 000027
【図２７】
0005927562.tif 000028
【図２８】
0005927562.tif 000029
【図２９】
0005927562.tif 000030
【図３０】
0005927562.tif 000031
【図３１】
0005927562.tif 000032
【図３２】
0005927562.tif 000033
【図３３】
0005927562.tif 000034
【図３４】
0005927562.tif 000035
【図３５】
0005927562.tif 000036
【図３６】
0005927562.tif 000037
【図３７】
0005927562.tif 000038
【図３８】
0005927562.tif 000039
【図３９】
0005927562.tif 000040
【図４０】
0005927562.tif 000041
【図４１】
0005927562.tif 000042
【図４２】
0005927562.tif 000043
【図４３】
0005927562.tif 000044
【図４４】
0005927562.tif 000045
【図４５】
0005927562.tif 000046
【図４６】
0005927562.tif 000047
【図４７】
0005927562.tif 000048
【図４８】
0005927562.tif 000049
【図４９】
0005927562.tif 000050
【図５０】
0005927562.tif 000051
【図５１】
0005927562.tif 000052
【図５２】
0005927562.tif 000053
【図５３】
0005927562.tif 000054
【図５４】
0005927562.tif 000055
【図５５】
0005927562.tif 000056